(57)【要約】【課題】無線端末装置の移動動作を適切に制御することにより、通信の安定化を図ることが可能な無線端末装置、無線基地局装置、通信制御装置、管理装置、通信制御方法および通信制御プログラムを提供する。【解決手段】無線端末装置２０２は、移動動作を行なうことにより複数の無線基地局装置１０１と通信を行い、自己の移動動作の実行回数をカウントするためのカウント部１１と、上記実行回数に基づいて、自己の移動状態を推定するための移動状態推定部１２と、移動状態推定部１２によって推定された移動状態、および通信相手として選択している無線基地局装置１０１であるサービング基地局以外の他の無線基地局装置１０１である周辺基地局の種別に基づいて、自己の移動動作の実行判断に関わる設定を行うための設定部１４とを備える。【選択図】図３０
2013201585.tif 000002
【特許請求の範囲】
【請求項１】
移動動作を行なうことにより複数の無線基地局装置と通信可能な無線端末装置であって、
自己の無線端末装置の前記移動動作の実行回数をカウントするためのカウント部と、
前記カウント部によってカウントされた前記実行回数に基づいて、自己の無線端末装置の移動状態を推定するための移動状態推定部と、
前記移動状態推定部によって推定された前記移動状態、および自己の無線端末装置が通信相手として選択している無線基地局装置であるサービング基地局以外の他の無線基地局装置である周辺基地局の種別に基づいて、自己の無線端末装置の前記移動動作の実行判断に関わる自己の無線端末装置の設定を行うための設定部とを備える、無線端末装置。
【請求項２】
前記設定部は、前記移動状態および前記種別に基づいて、自己の無線端末装置のハンドオーバ動作の実行判断に関わる自己の無線端末装置の動作に関する設定を行う、請求項１に記載の無線端末装置。
【請求項３】
前記設定部は、前記周辺基地局に所定種別の無線基地局装置が含まれるか否かと、前記移動状態との組み合わせに応じて前記設定を変更する、請求項１または請求項２に記載の無線端末装置。
【請求項４】
前記設定部は、前記移動状態のレベルに応じて前記設定を変更し、前記周辺基地局に所定種別の無線基地局装置が含まれる場合に、前記移動状態推定部によって推定された前記移動状態と比べて前記実行回数の大きい場合に推定される前記移動状態、のレベルに対応する前記設定を選択する、請求項１または請求項２に記載の無線端末装置。
【請求項５】
前記移動状態は、前記無線端末装置の移動速度であり、
前記所定種別は、小型基地局である、請求項３または請求項４に記載の無線端末装置。
【請求項６】
前記無線端末装置は、さらに、
前記無線基地局装置の保持する周辺基地局リストを取得するための基地局リスト取得部を備え、
前記設定部は、前記周辺基地局リストから前記周辺基地局の種別を判断する、請求項１から請求項５のいずれか１項に記載の無線端末装置。
【請求項７】
ハンドオーバ動作を行なうことにより複数の無線基地局装置と通信可能な無線端末装置であって、
自己の無線端末装置の前記ハンドオーバ動作の実行回数をカウントするためのカウント部と、
前記カウント部によってカウントされた前記実行回数に基づいて、自己の無線端末装置の移動状態を推定するための移動状態推定部と、
前記移動状態推定部によって推定された前記移動状態、および自己の無線端末装置が通信相手として選択している無線基地局装置であるサービング基地局以外の他の無線基地局装置である周辺基地局の種別に基づいて、ＴＴＴ（Time to Trigger）の値を設定するための設定部と、
前記無線基地局装置から送信される無線信号の受信電力を測定し、測定結果が前記ＴＴＴで示される時間継続して所定条件を満たす場合に、前記測定結果を示すメジャメントレポートを前記サービング基地局へ送信するための受信電力報告部とを備える、無線端末装置。
【請求項８】
移動動作を行なうことにより複数の無線基地局装置と通信可能であり、かつ通信相手として選択している無線基地局装置であるサービング基地局以外の他の無線基地局装置である周辺基地局の種別を周辺基地局リストから判断する無線端末装置について、前記周辺基地局リストを作成するための周辺基地局リスト作成部と、
前記周辺基地局リスト作成部によって作成された前記周辺基地局リストを他の装置に通知するための周辺基地局リスト通知部とを備える、通信制御装置。
【請求項９】
前記周辺基地局リスト通知部は、前記周辺基地局リストを各前記無線基地局装置に通知する、請求項８に記載の通信制御装置。
【請求項１０】
請求項８に記載の通信制御装置を備える無線基地局装置。
【請求項１１】
前記無線基地局装置を管理し、請求項８に記載の通信制御装置を備える管理装置。
【請求項１２】
移動動作を行なうことにより複数の無線基地局装置と通信可能な無線端末装置における通信制御方法であって、
自己の無線端末装置の前記移動動作の実行回数をカウントするステップと、
カウントした前記実行回数に基づいて、自己の無線端末装置の移動状態を推定するステップと、
推定した前記移動状態、および自己の無線端末装置が通信相手として選択している無線基地局装置であるサービング基地局以外の他の無線基地局装置である周辺基地局の種別に基づいて、自己の無線端末装置の前記移動動作の実行判断に関わる自己の無線端末装置の設定を行うステップとを含む、通信制御方法。
【請求項１３】
ハンドオーバ動作を行なうことにより複数の無線基地局装置と通信可能な無線端末装置における通信制御方法であって、
自己の無線端末装置の前記ハンドオーバ動作の実行回数をカウントするステップと、
カウントした前記実行回数に基づいて、自己の無線端末装置の移動状態を推定するステップと、
推定した前記移動状態、および自己の無線端末装置が通信相手として選択している無線基地局装置であるサービング基地局以外の他の無線基地局装置である周辺基地局の種別に基づいて、ＴＴＴの値を設定するステップと、
前記無線基地局装置から送信される無線信号の受信電力を測定し、測定結果が前記ＴＴＴで示される時間継続して所定条件を満たす場合に、前記測定結果を示すメジャメントレポートを前記サービング基地局へ送信するステップとを含む、通信制御方法。
【請求項１４】
通信制御装置における通信制御方法であって、
移動動作を行なうことにより複数の無線基地局装置と通信可能であり、かつ通信相手として選択している無線基地局装置であるサービング基地局以外の他の無線基地局装置である周辺基地局の種別を周辺基地局リストから判断する無線端末装置について、前記周辺基地局リストを作成するステップと、
作成した前記周辺基地局リストを他の装置に通知するステップとを含む、通信制御方法。
【請求項１５】
移動動作を行なうことにより複数の無線基地局装置と通信可能な無線端末装置において用いられる通信制御プログラムであって、コンピュータに、
自己の無線端末装置の前記移動動作の実行回数をカウントするステップと、
カウントした前記実行回数に基づいて、自己の無線端末装置の移動状態を推定するステップと、
推定した前記移動状態、および自己の無線端末装置が通信相手として選択している無線基地局装置であるサービング基地局以外の他の無線基地局装置である周辺基地局の種別に基づいて、自己の無線端末装置の前記移動動作の実行判断に関わる自己の無線端末装置の設定を行うステップとを実行させるための、通信制御プログラム。
【請求項１６】
通信制御装置において用いられる通信制御プログラムであって、コンピュータに、
移動動作を行なうことにより複数の無線基地局装置と通信可能であり、かつ通信相手として選択している無線基地局装置であるサービング基地局以外の他の無線基地局装置である周辺基地局の種別を周辺基地局リストから判断する無線端末装置について、前記周辺基地局リストを作成するステップと、
作成した前記周辺基地局リストを他の装置に通知するステップとを実行させるための、通信制御プログラム。
【発明の詳細な説明】
【技術分野】
【０００１】
本発明は、無線端末装置、無線基地局装置、通信制御装置、管理装置、通信制御方法および通信制御プログラムに関し、特に、無線端末装置が移動動作を行なうことにより複数の無線基地局装置と通信可能な通信システムにおける無線端末装置、無線基地局装置、通信制御装置、管理装置、通信制御方法および通信制御プログラムに関する。
【背景技術】
【０００２】
従来、移動通信システムでは、半径数百メートルから数十キロメートルのセルすなわち無線端末装置が通信可能なエリアを形成する無線基地局装置（以下、マクロ基地局とも称する。）による通信サービスが提供されてきた。
【０００３】
近年、移動通信サービスの加入者数の劇的な増加およびデータ通信による通信トラヒック量の増大から、より半径の小さいセルを形成することによって加入者および通信トラヒックを分散し、また、一定レベルの通信速度をユーザへ安定して提供することが望まれている。また、ビルの超高層化に伴う不感地対策のため、企業フロア内および一般家庭内への無線基地局装置の設置も望まれている。
【０００４】
これらの要望と併せて、無線基地局装置で使用される種々のデバイスの処理能力が飛躍的に向上したことによって無線基地局装置の小型化が進み、このような小型化された小型基地局が注目を集めている。
【０００５】
この小型基地局の一種としてフェムト基地局およびピコ基地局が開発されている。フェムト基地局が形成するフェムトセル（Femto Cell）の半径は１０メートル前後と小さいため、フェムト基地局は、マクロ基地局が形成するマクロセル（Macro Cell）の圏外となりマクロ基地局の設置が困難な屋内および地下街等の場所で使用されることが考えられる。
【０００６】
また、フェムト基地局は特定のエリアに多数設置されることから、フェムト基地局を直接コアネットワークに接続することは難しい。このため、特定のエリアに設置された多数のフェムト基地局を一旦、ＨｅＮＢ−ＧＷ等のゲートウェイ装置に接続し、フェムト基地局とコアネットワークとをＨｅＮＢ−ＧＷ経由で接続することが考えられる。
【０００７】
また、ピコ基地局は、マクロ基地局をベースに開発され、たとえば半径１００メートルから２００メートルのピコセル（Pico Cell）を形成する。
【０００８】
このようなフェムト基地局、ピコ基地局およびマクロ基地局が混在する通信システムであるヘテロジーニアスネットワーク（Heterogeneous Network）では、たとえばマクロセル内に複数のフェムトセルまたはピコセルが形成される。このため、無線端末装置のハンドオーバ動作が起こりやすくなり、また、ハンドオーバ動作を行なう状況も複雑になることから、ハンドオーバ動作のタイミングが早すぎたり、あるいは遅すぎたりするなど、不適切なハンドオーバ動作が行なわれる場合がある（たとえば、3GPP（Third Generation Partnership Project） TR 36.902 V9.3.1 2011.3（非特許文献１）参照）。
【先行技術文献】
【非特許文献】
【０００９】
【非特許文献１】3GPP TR 36.902 V9.3.1 2011.3
【発明の概要】
【発明が解決しようとする課題】
【００１０】
非特許文献１に記載されるような不適切なハンドオーバ動作が行なわれると、通信システムにおいて、通信断および通信トラフィックの増大等、種々の問題が生じる。このような不適切なハンドオーバ動作を抑制し、良好な通信システムを構築する技術が望まれる。
【００１１】
この発明は、上述の課題を解決するためになされたもので、その目的は、無線端末装置の移動動作を適切に制御することにより、通信の安定化を図ることが可能な無線基地局装置、無線基地局装置、通信制御装置、管理装置、通信制御方法および通信制御プログラムを提供することである。
【課題を解決するための手段】
【００１２】
（１）上記課題を解決するために、この発明のある局面に係わる無線端末装置は、移動動作を行なうことにより複数の無線基地局装置と通信可能な無線端末装置であって、自己の無線端末装置の上記移動動作の実行回数をカウントするためのカウント部と、上記カウント部によってカウントされた上記実行回数に基づいて、自己の無線端末装置の移動状態を推定するための移動状態推定部と、上記移動状態推定部によって推定された上記移動状態、および自己の無線端末装置が通信相手として選択している無線基地局装置であるサービング基地局以外の他の無線基地局装置である周辺基地局の種別に基づいて、自己の無線端末装置の上記移動動作の実行判断に関わる自己の無線端末装置の設定を行うための設定部とを備える。
【００１３】
このような構成により、たとえば、移動元または移動先の無線基地局装置の種別によって無線端末装置における通信環境が異なる場合においても、無線端末装置の移動状態および周辺基地局の種別に応じて、移動動作の実行判断に関わる当該無線端末装置の設定を適切に行うことができる。
【００１４】
これにより、無線端末装置は、たとえば移動動作のタイミングを適切に調整することができるので、不適切な移動動作の発生等を抑制し、通信システムにおける通信の安定化を図ることができる。
【００１５】
（２）好ましくは、上記設定部は、上記移動状態および上記種別に基づいて、自己の無線端末装置のハンドオーバ動作の実行判断に関わる自己の無線端末装置の動作に関する設定を行う。
【００１６】
このような構成により、ハンドオーバ動作の実行判断に関わる無線端末装置の動作のタイミング等を調整することができる。無線端末装置の移動状態に基づいて上記タイミングの調整を適切に行うことにより、ハンドオーバ動作のタイミングが適正化され、不適切なハンドオーバ動作の発生を抑制することができる。
【００１７】
（３）好ましくは、上記設定部は、上記周辺基地局に所定種別の無線基地局装置が含まれるか否かと、上記移動状態との組み合わせに応じて上記設定を変更する。
【００１８】
このような構成により、周辺基地局が所定種別の無線基地局装置であるか否か、および無線端末装置の移動状態に応じて、上記周辺基地局により送信される無線信号の当該無線端末装置における受信電力が大きく変化する場合においても、上記変化に対して適切に対処することができる。
【００１９】
（４）好ましくは、上記設定部は、上記移動状態のレベルに応じて上記設定を変更し、上記周辺基地局に所定種別の無線基地局装置が含まれる場合に、上記移動状態推定部によって推定された上記移動状態と比べて上記実行回数の大きい場合に推定される上記移動状態、のレベルに対応する上記設定を選択する。
【００２０】
たとえば、所定種別の周辺基地局が送信する無線信号の無線端末装置における受信電力の、当該無線端末装置の位置に対する変化が大きい場合、移動する無線端末装置における上記無線信号の受信電力の変化も大きい。このため、移動動作の実行回数の大きい場合に推定される移動状態のレベルに対応する設定を選択することにより、当該無線端末装置は、上記無線信号の受信電力の変化に適切に対処することができる。
【００２１】
（５）より好ましくは、上記移動状態は、上記無線端末装置の移動速度であり、上記所定種別は、小型基地局である。
【００２２】
このように、小型基地局が送信する無線信号の無線端末装置における受信電力の、当該無線端末装置の位置に対する変化は大きいため、実際の移動速度より大きい移動速度を示す移動状態に対応する設定を行うことにより、当該無線端末装置は、上記無線信号の受信電力の変化に適切に対処することができる。
【００２３】
これにより、無線端末装置は、たとえば移動先の無線基地局装置が小型基地局である場合においても、自己の移動状態に基づいて、上記小型基地局への移動動作を適切に行うことができる。
【００２４】
（６）好ましくは、上記無線端末装置は、さらに、上記無線基地局装置の保持する周辺基地局リストを取得するための基地局リスト取得部を備え、上記設定部は、上記周辺基地局リストから上記周辺基地局の種別を判断する。
【００２５】
このように、無線基地局装置の保持する周辺基地局リストを取得する構成により、たとえば周辺基地局の設定変更により通信システムの構成が変更される場合においても、当該変更を無線端末装置において速やかに反映させることができるので、通信システムの変更に対する柔軟性を高めることができる。
【００２６】
また、移動動作の開始に先立って、周辺基地局の種別を判断することができるので、移動先の無線基地局装置の種別、および無線端末装置の移動状態に基づいて上記設定を適切に行うことができる。
【００２７】
そして、無線端末装置は、上記設定を行うことにより、上記移動先の無線基地局装置への移動動作を適切に行うことができる。
【００２８】
（７）上記課題を解決するために、この発明のある局面に係わる無線端末装置は、ハンドオーバ動作を行なうことにより複数の無線基地局装置と通信可能な無線端末装置であって、自己の無線端末装置の上記ハンドオーバ動作の実行回数をカウントするためのカウント部と、上記カウント部によってカウントされた上記実行回数に基づいて、自己の無線端末装置の移動状態を推定するための移動状態推定部と、上記移動状態推定部によって推定された上記移動状態、および自己の無線端末装置が通信相手として選択している無線基地局装置であるサービング基地局以外の他の無線基地局装置である周辺基地局の種別に基づいて、ＴＴＴ（Time to Trigger）の値を設定するための設定部と、上記無線基地局装置から送信される無線信号の受信電力を測定し、測定結果が上記ＴＴＴで示される時間継続して所定条件を満たす場合に、上記測定結果を示すメジャメントレポートを上記サービング基地局へ送信するための受信電力報告部とを備える。
【００２９】
このような構成により、たとえば、移動元または移動先の無線基地局装置の種別によって無線端末装置における通信環境が異なる場合においても、無線端末装置の移動状態および周辺基地局の種別に応じて、ハンドオーバ動作の実行判断に関わる当該無線端末装置の設定を適切に行うことができる。
【００３０】
そして、３ＧＰＰで規定された無線端末装置において、当該無線端末装置の移動状態および周辺基地局の種別に基づいて、ＴＴＴの調整を適切に行うことにより、ハンドオーバ動作のタイミングを適切に調整することが可能となる。
【００３１】
これにより、無線端末装置は、ハンドオーバ動作のタイミングを適切に調整することができるので、不適切なハンドオーバ動作の発生を抑制し、通信システムにおける通信の安定化を図ることができる。
【００３２】
（８）上記課題を解決するために、この発明のある局面に係わる通信制御装置は、移動動作を行なうことにより複数の無線基地局装置と通信可能であり、かつ通信相手として選択している無線基地局装置であるサービング基地局以外の他の無線基地局装置である周辺基地局の種別を周辺基地局リストから判断する無線端末装置について、上記周辺基地局リストを作成するための周辺基地局リスト作成部と、上記周辺基地局リスト作成部によって作成された上記周辺基地局リストを他の装置に通知するための周辺基地局リスト通知部とを備える。
【００３３】
このように、周辺基地局の種別を含む周辺基地局リストを、たとえば無線端末装置へ通知することにより、当該無線端末装置においては、当該周辺基地局リストに基づいて、周辺基地局の種別を認識することができる。
【００３４】
これにより、無線端末装置は、自己の移動状態および周辺基地局の種別に基づいて、たとえば移動動作のタイミングを適切に調整することができるので、不適切な移動動作の発生等が抑制され、通信システムにおける通信の安定化を図ることができる。
【００３５】
また、たとえば通信制御装置が、不適切な移動動作を含む複数の移動動作を管理する場合、不適切な移動動作の発生状況を考慮した上で、周辺基地局の種別を含む周辺基地局リストを作成することができる。
【００３６】
（９）好ましくは、上記周辺基地局リスト通知部は、上記周辺基地局リストを各上記無線基地局装置に通知する。
【００３７】
このような構成により、通信システムにおける、周辺基地局の種別を含む周辺基地局リストを、通信制御装置において一括で管理し、当該周辺基地局リストを各無線基地局装置へ効率的に通知することができる。
【００３８】
また、自己の周辺基地局を把握する当該各無線基地局装置は、自己が形成するセルに在圏する無線端末装置へ、当該周辺基地局リストに含まれる自己の周辺基地局に関する情報のみを送信することができる。
【００３９】
これにより、当該無線端末装置は、たとえば通信制御装置から当該周辺基地局リストを直接受信する場合と比べて、処理の負担を軽減することができる。
【００４０】
（１０）上記課題を解決するために、この発明のある局面に係わる無線基地局装置は、上記（８）の通信制御装置を備える。
【００４１】
このような構成により、通信システムにおいて、周辺基地局の種別を含む周辺基地局リストの作成および当該周辺基地局リストの通知を各無線基地局装置で行なうことができるため、当該周辺基地局リストの作成処理および当該周辺基地局リストの通知の処理負荷を分散させることができる。
【００４２】
（１１）上記課題を解決するために、この発明のある局面に係わる管理装置は、上記無線基地局装置を管理し、上記（８）の通信制御装置を備える。
【００４３】
このような構成により、通信システムにおいて、周辺基地局の種別を含む周辺基地局リストの作成および当該周辺基地局リストの通知を管理装置において一括して行なうことができるため、当該周辺基地局リストの作成処理および当該周辺基地局リストの通知を、より効率的に行なうことができる。
【００４４】
（１２）また、この発明のある局面に係わる通信制御方法は、移動動作を行なうことにより複数の無線基地局装置と通信可能な無線端末装置における通信制御方法であって、自己の無線端末装置の上記移動動作の実行回数をカウントするステップと、カウントした上記実行回数に基づいて、自己の無線端末装置の移動状態を推定するステップと、推定した上記移動状態、および自己の無線端末装置が通信相手として選択している無線基地局装置であるサービング基地局以外の他の無線基地局装置である周辺基地局の種別に基づいて、自己の無線端末装置の上記移動動作の実行判断に関わる自己の無線端末装置の設定を行うステップとを含む。
【００４５】
このような構成により、たとえば、移動元または移動先の無線基地局装置の種別によって無線端末装置における通信環境が異なる場合においても、無線端末装置の移動状態および周辺基地局の種別に応じて、移動動作の実行判断に関わる当該無線端末装置の設定を適切に行うことができる。
【００４６】
これにより、無線端末装置は、たとえば移動動作のタイミングを適切に調整することができるので、不適切な移動動作の発生を抑制し、通信システムにおける通信の安定化を図ることができる。
【００４７】
（１３）また、この発明のある局面に係わる通信制御方法は、ハンドオーバ動作を行なうことにより複数の無線基地局装置と通信可能な無線端末装置における通信制御方法であって、自己の無線端末装置の上記ハンドオーバ動作の実行回数をカウントするステップと、カウントした上記実行回数に基づいて、自己の無線端末装置の移動状態を推定するステップと、推定した上記移動状態、および自己の無線端末装置が通信相手として選択している無線基地局装置であるサービング基地局以外の他の無線基地局装置である周辺基地局の種別に基づいて、ＴＴＴの値を設定するステップと、上記無線基地局装置から送信される無線信号の受信電力を測定し、測定結果が上記ＴＴＴで示される時間継続して所定条件を満たす場合に、上記測定結果を示すメジャメントレポートを上記サービング基地局へ送信するステップとを含む。
【００４８】
このような構成により、たとえば、移動元または移動先の無線基地局装置の種別によって無線端末装置における通信環境が異なる場合においても、無線端末装置の移動状態および周辺基地局の種別に応じて、ハンドオーバ動作の実行判断に関わる当該無線端末装置の設定を適切に行うことができる。
【００４９】
そして、３ＧＰＰで規定された無線端末装置において、当該無線端末装置の移動状態および周辺基地局の種別に基づいて、ＴＴＴの調整を適切に行うことにより、ハンドオーバ動作のタイミングを適切に調整することが可能となる。
【００５０】
これにより、無線端末装置は、ハンドオーバ動作のタイミングを適切に調整することができるので、不適切なハンドオーバ動作の発生を抑制し、通信システムにおける通信の安定化を図ることができる。
【００５１】
（１４）また、この発明のある局面に係わる通信制御方法は、通信制御装置における通信制御方法であって、移動動作を行なうことにより複数の無線基地局装置と通信可能であり、かつ通信相手として選択している無線基地局装置であるサービング基地局以外の他の無線基地局装置である周辺基地局の種別を周辺基地局リストから判断する無線端末装置について、上記周辺基地局リストを作成するステップと、作成した上記周辺基地局リストを他の装置に通知するステップとを含む。
【００５２】
このように、周辺基地局の種別を含む周辺基地局リストを、たとえば無線端末装置へ通知することにより、当該無線端末装置においては、当該周辺基地局リストに基づいて、周辺基地局の種別を認識することができる。
【００５３】
これにより、無線端末装置は、自己の移動状態および周辺基地局の種別に基づいて、たとえば移動動作のタイミングを適切に調整することができるので、不適切な移動動作の発生等が抑制され、通信システムにおける通信の安定化を図ることができる。
【００５４】
また、たとえば通信制御装置が、不適切な移動動作を含む複数の移動動作を管理する場合、不適切な移動動作の発生状況を考慮した上で、周辺基地局の種別を含む周辺基地局リストを作成することができる。
【００５５】
（１５）また、この発明のある局面に係わる通信制御プログラムは、移動動作を行なうことにより複数の無線基地局装置と通信可能な無線端末装置において用いられる通信制御プログラムであって、コンピュータに、自己の無線端末装置の上記移動動作の実行回数をカウントするステップと、カウントした上記実行回数に基づいて、自己の無線端末装置の移動状態を推定するステップと、推定した上記移動状態、および自己の無線端末装置が通信相手として選択している無線基地局装置であるサービング基地局以外の他の無線基地局装置である周辺基地局の種別に基づいて、自己の無線端末装置の上記移動動作の実行判断に関わる自己の無線端末装置の設定を行うステップとを実行させる。
【００５６】
このような構成により、たとえば、移動元または移動先の無線基地局装置の種別によって無線端末装置における通信環境が異なる場合においても、無線端末装置の移動状態および周辺基地局の種別に応じて、移動動作の実行判断に関わる当該無線端末装置の設定を適切に行うことができる。
【００５７】
これにより、無線端末装置は、たとえば移動動作のタイミングを適切に調整することができるので、不適切な移動動作の発生を抑制し、通信システムにおける通信の安定化を図ることができる。
【００５８】
（１６）また、この発明のある局面に係わる通信制御プログラムは、通信制御装置において用いられる通信制御プログラムであって、コンピュータに、移動動作を行なうことにより複数の無線基地局装置と通信可能であり、かつ通信相手として選択している無線基地局装置であるサービング基地局以外の他の無線基地局装置である周辺基地局の種別を周辺基地局リストから判断する無線端末装置について、上記周辺基地局リストを作成するステップと、作成した上記周辺基地局リストを他の装置に通知するステップとを実行させる。
【００５９】
このように、周辺基地局の種別を含む周辺基地局リストを、たとえば無線端末装置へ通知することにより、当該無線端末装置においては、当該周辺基地局リストに基づいて、周辺基地局の種別を認識することができる。
【００６０】
これにより、無線端末装置は、自己の移動状態および周辺基地局の種別に基づいて、たとえば移動動作のタイミングを適切に調整することができるので、不適切な移動動作の発生等が抑制され、通信システムにおける通信の安定化を図ることができる。
【００６１】
また、たとえば通信制御装置が、不適切な移動動作を含む複数の移動動作を管理する場合、不適切な移動動作の発生状況を考慮した上で、周辺基地局の種別を含む周辺基地局リストを作成することができる。
【発明の効果】
【００６２】
本発明によれば、無線端末装置の移動動作を適切に制御することにより、通信の安定化を図ることができる。
【図面の簡単な説明】
【００６３】
【図１】本発明の実施の形態に係る無線通信システムの構成を示す図である。
【図２】本発明の実施の形態に係る無線通信システムにおいて移動動作が行われる状況の一例を示す図である。
【図３】本発明の実施の形態に係る無線通信システムにおけるセル再選択動作のシーケンスの一例を示す図である。
【図４】本発明の実施の形態に係る無線通信システムにおけるハンドオーバ動作のシーケンスの一例を示す図である。
【図５】本発明の実施の形態に係る無線通信システムにおいて、不適切なハンドオーバ動作（Ｔｏｏ  Ｌａｔｅ  ＨＯ）が生じた状況の一例を示す図である。
【図６】本発明の実施の形態に係る無線通信システムにおける、不適切なハンドオーバ動作（Ｔｏｏ  Ｌａｔｅ  ＨＯ）およびその検出処理のシーケンスの一例を示す図である。
【図７】本発明の実施の形態に係る無線通信システムにおいて、不適切なハンドオーバ動作（Ｔｏｏ  Ｅａｒｌｙ  ＨＯ）が生じた状況の一例を示す図である。
【図８】本発明の実施の形態に係る無線通信システムにおいて、不適切なハンドオーバ動作（Ｔｏｏ  Ｅａｒｌｙ  ＨＯ）が生じた状況の一例を示す図である。
【図９】本発明の実施の形態に係る無線通信システムにおける、不適切なハンドオーバ動作（Ｔｏｏ  Ｅａｒｌｙ  ＨＯ）およびその検出処理のシーケンスの一例を示す図である。
【図１０】本発明の実施の形態に係る無線通信システムにおいて、不適切なハンドオーバ動作（ＨＯ  ｔｏ  Ｗｒｏｎｇ  Ｃｅｌｌ）が生じた状況の一例を示す図である。
【図１１】本発明の実施の形態に係る無線通信システムにおける、不適切なハンドオーバ動作（ＨＯ  ｔｏ  Ｗｒｏｎｇ  Ｃｅｌｌ）およびその検出処理のシーケンスの一例を示す図である。
【図１２】本発明の実施の形態に係る無線通信システムにおける、無線端末装置の受信品質のシミュレーション結果を示す図である。
【図１３】本発明の実施の形態に係る無線通信システムにおいて、無線端末装置が測定結果通知を送信するイベントＡ１を示す図である。
【図１４】本発明の実施の形態に係る無線通信システムにおいて、無線端末装置が測定結果通知を送信するイベントＡ２を示す図である。
【図１５】本発明の実施の形態に係る無線通信システムにおいて、無線端末装置が測定結果通知を送信するイベントＡ３を示す図である。
【図１６】本発明の実施の形態に係る無線通信システムにおいて、無線端末装置が測定結果通知を送信するイベントＡ４を示す図である。
【図１７】本発明の実施の形態に係る無線通信システムにおいて、無線端末装置が測定結果通知を送信するイベントＡ５を示す図である。
【図１８】本発明の実施の形態に係る無線通信システムにおいて、ヒステリシスＨＳの調整によるハンドオーバ動作のタイミング制御を示す図である。
【図１９】本発明の実施の形態に係る無線通信システムにおいて、ＴＴＴの調整によるハンドオーバ動作のタイミング制御を示す図である。
【図２０】本発明の実施の形態に係る無線通信システムにおいて、オフセットＯＳＴの調整によるハンドオーバ動作のタイミング制御を示す図である。
【図２１】本発明の実施の形態に係る無線通信システムにおける、各位置の無線信号の受信電力の一例を示す図である。
【図２２】本発明の実施の形態に係る無線通信システムにおいて、ハンドオーバ動作のタイミングを制御するためのパラメータの他の例を説明するための図である。
【図２３】本発明の実施の形態に係る無線通信システムにおいて、接続確立状態の無線端末装置が移動状態の検出処理を行う際の動作手順を定めたフローチャートである。
【図２４】本発明の実施の形態に係る無線通信システムにおいて、アイドル状態の無線端末装置が移動状態の検出処理を行う際の動作手順を定めたフローチャートである。
【図２５】本発明の実施の形態に係る無線通信システムにおいて、接続確立状態の無線端末装置がハンドオーバ動作のタイミング調整を行う際の動作手順を定めたフローチャートである。
【図２６】本発明の実施の形態に係る無線通信システムにおいて、アイドル状態の無線端末装置がセル再選択動作のタイミング調整を行う際の動作手順を定めたフローチャートである。
【図２７】本発明の実施の形態に係る無線通信システムにおいて、複数の無線基地局装置が形成する各セル間を無線端末装置が移動する際の移動経路の一例を示す図である。
【図２８】本発明の実施の形態に係る無線通信システムにおいて、移動する無線端末装置における無線信号の受信電力の時間変化の一例を示す図である。
【図２９】本発明の実施の形態に係る無線端末装置の構成を示す図である。
【図３０】本発明の実施の形態に係る無線端末装置における制御部の構成を示す図である。
【図３１】本発明の実施の形態に係る無線通信システムにおける、周辺セル情報の一例を示す図である。
【図３２】本発明の実施の形態に係る無線通信システムにおける、基地局種別リストおよびスモールセルリストの一例を示す図である。
【図３３】本発明の実施の形態に係る無線基地局装置の構成を示す図である。
【図３４】本発明の実施の形態に係る無線基地局装置における制御部の構成を示す図である。
【図３５】本発明の実施の形態に係る無線通信システムにおける、無線端末装置の移動経路の一例を示す図である。
【図３６】本発明の実施の形態に係る無線通信システムにおける、周辺基地局リストの更新処理および周辺基地局リストの無線端末装置への送信処理のシーケンスの一例を示す図である。
【図３７】本発明の実施の形態に係る無線通信システムにおいて、無線基地局装置が周辺基地局リストの更新処理を行う際の動作手順を定めたフローチャートである。
【図３８】本発明の実施の形態に係る無線通信システムにおいて、無線基地局装置が基地局種別リストの更新処理を行う際の動作手順の他の例を定めたフローチャートである。
【図３９】本発明の実施の形態に係る無線通信システムにおいて、無線基地局装置が、無線基地局装置の種別を無線端末装置へ通知する際の動作手順を定めたフローチャートである。
【図４０】本発明の実施の形態に係る無線通信システムにおいて、無線端末装置がハンドオーバ動作を行う際におけるパラメータの更新処理の一例を示すシーケンス図である。
【図４１】本発明の実施の形態に係る無線通信システムにおいて、無線端末装置が自己の移動状態および周辺基地局の種別に応じた設定処理を行う際の動作手順を定めたフローチャートである。
【図４２】本発明の実施の形態に係る無線通信システムにおいて、移動状態に応じて選択されるスケール因子の一例を示す図である。
【図４３】本発明の実施の形態に係る無線通信システムにおいて、接続確立状態の無線端末装置が、移動状態およびターゲット基地局の種別に応じてＴＴＴを調整する際の動作手順を定めたフローチャートである。
【図４４】本発明の実施の形態に係る無線通信システムにおいて、接続確立状態の無線端末装置が、移動状態およびターゲット基地局の種別に応じてＴＴＴを調整する際の動作手順の他の例を定めたフローチャートである。
【発明を実施するための形態】
【００６４】
以下、本発明の実施の形態について図面を用いて説明する。なお、図中同一または相当部分には同一符号を付してその説明は繰り返さない。
【００６５】
無線基地局装置は、自らの形成するセルおよび周辺セルについての情報、すなわち無線信号の周波数および周辺セルのＩＤ（identification）等を無線端末装置に通知する。無線端末装置は、無線基地局装置から通知された情報に基づいて、周辺セルの検出および測定を行なう。無線端末装置は、この測定結果に基づいて、周辺セルへの移動を開始する。ここで、無線端末装置の「移動」とは、ハンドオーバを意味することに加えて、セル再選択（Cell Reselection）を意味する。
【００６６】
ハンドオーバとは、ある無線基地局装置との通信接続が確立した状態（以下、接続確立状態と称する）にある無線端末装置の通信接続先が他の無線基地局装置へ切り替えられることを意味する。
【００６７】
セル再選択とは、アイドル状態の無線端末装置が今後通信を開始する、すなわち通話またはデータ通信を開始する際にどのセルを介して通信を行なうかを選択することを意味すし、たとえば３ＧＰＰ  ＴＳ  ３６．３０４に記載の内容が当てはまる。
【００６８】
ハンドオーバ動作は、無線端末装置の通信接続先の無線基地局装置主導で行なわれる。一方、セル再選択は、無線端末装置主導で行なわれ、通常、無線基地局装置が無線端末装置に対して特に指示を与えることなく実行される。
【００６９】
無線端末装置の「アイドル状態」とは、ある無線基地局装置を無線端末装置が通信相手として選択しており、かつ当該無線基地局装置と通信を行っていない状態である。また、「通信を行っていない状態」とは、当該無線基地局装置へ何らかの情報を送信する動作を行っていない状態である。
【００７０】
たとえば、無線端末装置が無線基地局装置と通信しているときには、無線端末装置の移動先は無線基地局装置またはコアネットワークにおける上位装置が決定する。また、たとえば、無線端末装置が無線基地局装置と通信していないときには、無線端末装置の移動先は無線端末装置が決定する。
【００７１】
また、無線端末装置がセルに在圏している、とは、無線端末装置が、当該セルを形成する無線基地局装置を通信先として選択し、かつ当該無線基地局装置と通信可能な状態または通信中である状態を意味する。
【００７２】
具体的には、たとえば、無線端末装置が新たなセルすなわち無線基地局装置へ移動したことを当該無線基地局装置の上位装置が登録した状態を意味する。
【００７３】
また、「在圏」は、無線端末装置の属するトラッキングエリアの更新を上位装置が登録した状態を含むものとする。
【００７４】
すなわち、無線端末装置は、新たなセルへ移動した場合、この移動によって自己の存在するトラッキングエリアすなわちページング処理の対象エリアが変わった場合には、トラッキングエリア更新処理を実行する。
【００７５】
フェムトセルおよびアクセスモードは、３ＧＰＰ  ＳＰＥＣ  ＴＳ２２．２２０において以下のように説明されている。すなわち、フェムト基地局は、無線インタフェースを介して接続されている無線端末装置を、ＩＰバックホール（backhaul）を用いて、移動通信事業者網に接続する顧客構内装置である。
【００７６】
また、フェムトセルのアクセスモードにおいて、クローズドアクセスモードのフェムト基地局は、関連するＣＳＧ（Closed Subscriber Group）メンバーにのみサービスを提供する。また、ハイブリッドモードのフェムト基地局は、関連するＣＳＧメンバーおよびＣＳＧノンメンバーにサービスを提供する。また、オープンアクセスモードのフェムト基地局は、通常の基地局として動作する。
【００７７】
本発明の実施の形態に係る無線通信システムにおいても、このような３ＧＰＰの定義を適用してもよい。
【００７８】
また、上記定義と合わせて、あるいは別個に、以下のような定義を適用することも可能である。
【００７９】
マクロ基地局およびピコ基地局は、事業者の管理下にあり、事業者と契約している無線基地局装置が通信可能な無線基地局装置である。また、マクロ基地局およびピコ基地局は、基本的に電源がオフになることはないと考えられる。
【００８０】
また、フェムト基地局は、主に個人または法人の建物内に設置され、ユーザの事情により移動するまたは電源がオフとなる可能性がある無線基地局装置である。
【００８１】
また、フェムト基地局は、オープン／ハイブリッド／クローズドのいずれかのアクセスモードで動作する。フェムト基地局は、クローズドアクセスモードで動作する場合には、登録済みのメンバー（端末）のみ接続可能となる。また、クローズドアクセスモードで動作する場合には、登録済みのメンバーにのみサービスを提供する。また、ハイブリッドモードで動作する場合には、登録済みのメンバー、および未登録のメンバーすなわちノンメンバーの両方にサービスを提供する。また、オープンアクセスモードで動作する場合には、マクロ基地局およびピコ基地局と同じ動作をする。
【００８２】
［構成および基本動作］
図１は、本発明の実施の形態に係る無線通信システムの構成を示す図である。
【００８３】
図１を参照して、無線通信システム４０１は、たとえば３ＧＰＰで規格化されたＬＴＥ（Long Term Evolution）に従う移動体通信システムであり、無線基地局装置１０１Ａ，１０１Ｂ，１０１Ｃを備える。図１では、３つの無線基地局装置を代表的に示しているが、さらに多数の無線基地局装置が設けられてもよい。無線通信システム４０１は、さらに、コアネットワーク３０１に設けられたＳ−ＧＷ（Serving Gateway）１６１と、ＭＭＥ（Mobility Management Entity）１６２と、Ｐ−ＧＷ（Packet Data Network Gateway）１６３とを含む。
【００８４】
無線端末装置２０２は、無線基地局装置１０１Ａ、無線基地局装置１０１Ｂまたは無線基地局装置１０１Ｃと、Ｓ−ＧＷ１６１と、Ｐ−ＧＷ１６３とを介してＩＰ網３０２におけるサーバ等と通信コネクションを確立し、たとえばＩＰ（Internet Protocol）パケットを含む通信データを送受信する。
【００８５】
より詳細には、無線基地局装置１０１Ａ，１０１Ｂ，１０１Ｃは、無線信号を無線端末装置２０２と送受信することにより、無線端末装置２０２との通信を行なう。
【００８６】
Ｓ−ＧＷ１６１は、無線基地局装置１０１Ａ，１０１Ｂ，１０１ＣとＩＰ網３０２との間に接続されている。Ｓ−ＧＷ１６１は、無線基地局装置１０１Ａ，１０１Ｂ，１０１Ｃ経由で無線端末装置２０２から受信した通信データをＰ−ＧＷ１６３経由でＩＰ網３０２へ送信するとともに、ＩＰ網３０２におけるサーバ等からＰ−ＧＷ１６３経由で受信した通信データを無線基地局装置１０１Ａ，１０１Ｂ，１０１Ｃ経由で無線端末装置２０２へ送信する。
【００８７】
ＭＭＥ１６２は、無線通信システム４０１における無線基地局装置１０１Ａ，１０１Ｂ，１０１Ｃ、および無線端末装置２０２等を管理する。ＭＭＥ１６２は、無線基地局装置１０１Ａ，１０１Ｂ，１０１Ｃとの間で制御メッセージを送受信する。
【００８８】
無線基地局装置１０１Ａ，１０１Ｂ，１０１Ｃは、Ｓ−ＧＷ１６１およびＰ−ＧＷ１６３を介してＩＰ網３０２との間で通信データを送受信する。
【００８９】
無線基地局装置１０１Ａ，１０１Ｂ，１０１ＣおよびＳ−ＧＷ１６１は、論理的なインタフェースであるＳ１−Ｕインタフェースに従う通信データを互いに送受信することにより、Ｓ１−Ｕインタフェース経由で種々の情報を互いにやりとりする。
【００９０】
無線基地局装置１０１Ａ，１０１Ｂ，１０１ＣおよびＭＭＥ１６２は、点線で示すように、論理的なインタフェースであるＳ１−ＭＭＥインタフェースに従う通信データを互いに送受信することにより、Ｓ１−ＭＭＥインタフェース経由で種々の情報を互いにやりとりする。
【００９１】
ＭＭＥ１６２およびＳ−ＧＷ１６１は、論理的なインタフェースであるＳ１１インタフェースに従う通信データを互いに送受信することにより、Ｓ１１インタフェース経由で種々の情報を互いにやりとりする。
【００９２】
Ｓ−ＧＷ１６１およびＰ−ＧＷ１６３は、論理的なインタフェースであるＳ５インタフェースに従う通信データを互いに送受信することにより、Ｓ５インタフェース経由で種々の情報を互いにやりとりする。
【００９３】
図２は、本発明の実施の形態に係る無線通信システムにおいて移動動作が行なわれる状況の一例を示す図である。
【００９４】
図２を参照して、無線基地局装置１０１Ａ，１０１Ｂ，１０１Ｃは、たとえばフェムト基地局、ピコ基地局またはマクロ基地局である。
【００９５】
無線基地局装置１０１Ａは、セルＣＡを形成し、セルＣＡ内に存在する無線端末装置２０２と無線信号を送受信することにより、当該無線端末装置２０２と通信することが可能である。無線基地局装置１０１Ｂは、セルＣＢを形成し、セルＣＢ内に存在する無線端末装置２０２と無線信号を送受信することにより、当該無線端末装置２０２と通信することが可能である。無線基地局装置１０１Ｃは、セルＣＣを形成し、セルＣＣ内に存在する無線端末装置２０２と無線信号を送受信することにより、当該無線端末装置２０２と通信することが可能である。
【００９６】
ここで、無線端末装置２０２からコアネットワーク３０１への方向を上り方向と称し、コアネットワーク３０１から無線端末装置２０２への方向を下り方向と称する。
【００９７】
［セル再選択動作の一例］
本発明の実施の形態に係る無線通信システムにおける無線基地局装置および無線端末装置は、以下の各シーケンスの各ステップを含むプログラムを図示しないメモリから読み出して実行する。このプログラムは、外部からインストールすることができる。このインストールされるプログラムは、たとえば記録媒体に格納された状態で流通する。
【００９８】
以下、無線端末装置２０２の移動元の無線基地局装置をサービング基地局とも称し、移動先の無線基地局装置をターゲット基地局とも称する。また、以下では、無線基地局装置１０１Ａがサービング基地局であり、無線基地局装置１０１Ｂがターゲット基地局である場合について説明する。
【００９９】
本発明の実施の形態に係る無線基地局装置では、セル再選択の実行判断に電力測定処理（Measurement）を利用する。この電力測定処理は、たとえば３ＧＰＰでは、レイヤ３スタックのＲＲＣ（Radio Resource Control）に対応する。
【０１００】
ここで、３ＧＰＰ  ＴＳ３６．１３３  ４．２．２．１章では、セル再選択のためのサービングセルの測定周期について、以下のように記載されている。すなわち、無線端末装置２０２は、少なくともＤＲＸ（Discontinuous Reception）サイクルごとに、サービングセルのＲＳＲＰ（Reference Signal Received Power）レベルを測定し、ＴＳ３６．３０４で定義されるＳ値（Cell Selection Criterion S）とＲＳＲＰレベルとを比較する。
【０１０１】
無線端末装置２０２は、サービングセルの測定結果を、少なくとも２回の測定でフィルタリングする。このフィルタリングは、平均化であると考えられる。
【０１０２】
フィルタリング対象となる上記測定の組のうち、少なくとも２回の測定は、少なくともＤＲＸサイクルの１／２の間隔を空けて実行しなければならない。これは、測定間隔をＤＲＸサイクルの１／２以上にしなければならないことを意味する、と考えられる。
【０１０３】
ここで、３ＧＰＰ  ＴＳ３６．１３３  ４．２．２．１章の表４．２．２．１−１では、ＤＲＸサイクル長［秒］とＤＲＸサイクル数Ｎｓｅｒｖとの対応関係が示されている。具体的には、ＤＲＸサイクル長が０．３２秒、０．６４秒、１．２８秒および２．５６秒のとき、ＤＲＸサイクル数Ｎｓｅｒｖがそれぞれ４，４，２，２である。
【０１０４】
無線端末装置２０２は、Ｎｓｅｒｖ回の連続したＤＲＸサイクルにおいて、サービングセルがＳ値を満たしていない場合には、自己の測定（Measurement）機能が何らかの規制により制限されていない限り、サービング基地局から指定されたすべての周辺セルの測定を開始する。すなわち、無線端末装置２０２は、一定期間経過すれば、Ｓ値が条件を満たしていなくても周辺セルの測定を開始する。
【０１０５】
このような３ＧＰＰ  ＴＳ３６．１３３の記載から、サービングセルの測定周期として最短でも０．１６秒（１６０ｍｓ）が必要となり、上記のようなＳ値の判定には少なくとも２回の測定が必要となる。このため、周辺セルの測定開始判断には、実質０．３２秒（３２０ｍｓ）以上の間隔が必要になる。
【０１０６】
また、Ｓ値が条件を満たしていない状態で周辺セルの測定を開始する場合、周辺セルの測定開始判断には０．３２秒×４回＝１．２８秒の間隔が必要になる。
【０１０７】
３ＧＰＰ  ＴＳ３６．１３３  ４．２．２．１章では、ＲＳＲＰについてのみ記載されているが、ＲＳＲＱ（Reference Signal Receive Quality）についてもＲＲＣに従って測定されることから、ＲＳＲＰと同様であると考えられる。
【０１０８】
図３は、本発明の実施の形態に係る無線通信システムにおけるセル再選択動作のシーケンスの一例を示す図である。
【０１０９】
ここでは、図２に示すように、無線端末装置２０２が、セルＣＡ内に位置し、無線基地局装置１０１Ａを通信相手として選択してから、セルＣＡおよびセルＣＢの重複領域へ移動した場合を想定する。
【０１１０】
再び図３を参照して、まず、無線端末装置２０２は、無線基地局装置１０１Ａを新たに通信相手として選択することを決定すると、無線基地局装置１０１Ａから送信される報知情報を受信し（ステップＳ１）、受信した報知情報の内容を保存する（ステップＳ２）。この報知情報に、周辺セル情報、およびセル再選択を行なうための情報が含まれる。
【０１１１】
次に、無線端末装置２０２は、コアネットワーク３０１におけるＭＭＥ１６２等に対して新たなセルＣＡへ移動したことを通知するため、端末登録処理であるアタッチ処理（Attach Procedure）を実行する（ステップＳ３）。
【０１１２】
次に、無線端末装置２０２は、サービング基地局である無線基地局装置１０１Ａから送信される無線信号の受信電力の測定を開始する。すなわち、無線端末装置２０２は、サービングセルの受信電力の測定を行なう。たとえば、無線端末装置２０２は、当該無線信号に含まれるパイロット信号を用いて受信電力を測定する。この測定周期は、たとえば０．１６秒である（ステップＳ４）。
【０１１３】
次に、無線端末装置２０２は、サービングセルの評価値であるＳ値を算出し、Ｓ値判定を行なう（ステップＳ５）。
【０１１４】
無線端末装置２０２は、サービングセルのＳ値が所定条件を満たす場合には（ステップＳ５でＹＥＳ）、報知情報の示す周波数において、報知情報の示す周辺基地局から送信される無線信号の受信電力の測定を開始する。ここで、周辺基地局は、サービング基地局以外の他の無線基地局装置１０１を示す。すなわち、無線端末装置２０２は、サービングセルに加えて、周辺セルの受信電力の測定を行なう。たとえば、無線端末装置２０２は、当該無線信号に含まれるパイロット信号を用いて受信電力を測定する（ステップＳ６）。
【０１１５】
次に、無線端末装置２０２は、周辺セルの評価値であるＳ値を算出し、Ｓ値判定を行なう（ステップＳ７）。
【０１１６】
無線端末装置２０２は、周辺セルのＳ値が所定条件を満たす場合には（ステップＳ７でＹＥＳ）、サービングセルおよび周辺セルの測定結果を用いて、サービングセルおよび周辺セルをたとえば受信電力品質の良い順に順位付けする（ステップＳ８）。
【０１１７】
次に、無線端末装置２０２は、順位付けの結果、最上位のセルがサービングセルでは無かった場合には（ステップＳ９でＹＥＳ）、当該最上位セルへのセル再選択を行なう。すなわち、無線端末装置２０２は、最上位の周辺セルに対応する無線基地局装置、たとえば無線基地局装置１０１Ｂを新たに通信相手として選択することを決定する。そして、無線端末装置２０２は、無線基地局装置１０１Ｂからの報知情報を受信し（ステップＳ１０）、受信した報知情報の内容を保存する（ステップＳ１１）。
【０１１８】
次に、無線端末装置２０２は、コアネットワークにおけるＭＭＥ等に対して新たなセルＣＢへ移動したことを通知するため、端末登録処理であるアタッチ処理を実行する（ステップＳ１２）。
【０１１９】
［ハンドオーバ動作の一例］
図４は、本発明の実施の形態に係る無線通信システムにおけるハンドオーバ動作のシーケンスの一例を示す図である。
【０１２０】
ここでは、図２に示すように、無線端末装置２０２が、セルＣＡ内に位置し、無線基地局装置１０１Ａと通信中である状態から、セルＣＡおよびセルＣＢの重複領域へ移動した場合を想定する。
【０１２１】
以下、無線端末装置２０２と通信中の無線基地局装置またはハンドオーバ元の無線基地局装置をサービング基地局とも称し、ハンドオーバ先の無線基地局装置をターゲット基地局とも称する。また、以下では、無線基地局装置１０１Ａがサービング基地局であり、無線基地局装置１０１Ｂがターゲット基地局である場合について説明する。
【０１２２】
再び図４を参照して、まず、無線基地局装置１０１Ａは、自己と通信中の無線端末装置２０２の測定対象となる周波数と、当該周波数の無線信号を送信する他の無線基地局装置とを設定する（ステップＳ３１）。
【０１２３】
次に、無線基地局装置１０１Ａは、設定した他の無線基地局装置から送信される無線信号の受信レベルを無線端末装置２０２に測定させるための測定開始要求（Measurement Configuration）を無線端末装置２０２へ送信する。この測定開始要求には、周辺セル情報、すなわち測定対象となる無線基地局装置のセルＩＤが含まれる。また、この測定開始要求には、各無線基地局装置の送信周波数が含まれる（ステップＳ３２）。
【０１２４】
次に、無線端末装置２０２は、無線基地局装置１０１Ａから測定開始要求を受信して、電力測定処理（Measurement）を開始する、すなわち受信した測定開始要求の示す周波数において、測定開始要求の示す無線基地局装置から送信される無線信号の受信電力を測定する（ステップＳ３３）。
【０１２５】
次に、無線端末装置２０２は、この受信電力の測定結果を示す測定結果通知（Measurement Report）を無線基地局装置１０１Ａへ送信する。たとえば、無線端末装置２０２は、受信電力の測定を定期的に行ない、無線基地局装置１０１Ａとの通信状態が悪くなった場合、および無線基地局装置１０１Ａ以外の他の無線基地局装置との通信状態が良くなった場合に、測定結果通知を無線基地局装置１０１Ａへ送信する（ステップＳ３４）。
【０１２６】
次に、無線基地局装置１０１Ａは、無線端末装置２０２から受信した測定結果通知に基づいて、セルＩＤごとの測定結果を示す測定情報を取得し、図示しない記憶部に保存する（ステップＳ３５）。
【０１２７】
次に、無線基地局装置１０１Ａは、無線端末装置２０２から受信した測定結果通知に基づいて、当該無線端末装置２０２がハンドオーバすべきか否かを判断し、ハンドオーバすべきであると判断すると、周辺セル情報を参照してたとえば無線基地局装置１０１Ｂをハンドオーバ先として決定する（ステップＳ３６）。
【０１２８】
次に、無線基地局装置１０１Ａは、無線基地局装置１０１Ｂを示すハンドオーバ要求を上位装置へ送信する（ステップＳ３７）。
【０１２９】
次に、上位装置は、無線基地局装置１０１Ａからハンドオーバ要求を受信して、無線基地局装置１０１Ｂへ当該ハンドオーバ要求を送信する（ステップＳ３８）。
【０１３０】
次に、無線基地局装置１０１Ｂは、上位装置からハンドオーバ要求を受信して、上位装置へ当該ハンドオーバ要求に対するハンドオーバ応答を送信する（ステップＳ３９）。
【０１３１】
次に、上位装置は、無線基地局装置１０１Ｂからハンドオーバ応答を受信して、無線基地局装置１０１Ａへハンドオーバ指示を送信する（ステップＳ４０）。
【０１３２】
次に、無線基地局装置１０１Ａは、上位装置からハンドオーバ指示を受信して、無線端末装置２０２へＲＲＣ（Radio Resource Control）コネクション再構成指示（RRC Connection Reconfiguration）を送信する（ステップＳ４１）。
【０１３３】
次に、無線基地局装置１０１Ａは、上位装置へ自己の通信状態等を示す状態通知を送信する（ステップＳ４２）。
【０１３４】
次に、上位装置は、無線基地局装置１０１Ａから状態通知を受信して、無線基地局装置１０１Ｂへ無線端末装置２０２との通信内容等を示す状態通知を送信する（ステップＳ４３）。
【０１３５】
また、無線端末装置２０２および無線基地局装置１０１Ｂ間でＲＲＣコネクションが確立されると、無線端末装置２０２は、無線基地局装置１０１ＢへＲＲＣコネクション再構成完了通知（RRC Connection Reconfiguration Complete）を送信する（ステップＳ４４）。
【０１３６】
次に、無線基地局装置１０１Ｂは、無線端末装置２０２からＲＲＣコネクション再構成完了通知を受信して、上位装置へハンドオーバ完了通知を送信する（ステップＳ４５）。
【０１３７】
次に、上位装置は、無線基地局装置１０１Ｂからハンドオーバ完了通知を受信して、端末情報解放指示を無線基地局装置１０１Ａへ送信する（ステップＳ４６）。
【０１３８】
次に、無線基地局装置１０１Ａは、上位装置から端末情報解放指示を受信して、無線端末装置２０２に関する情報を解放し、上位装置へ端末情報解放完了通知を送信する（ステップＳ４７）。
【０１３９】
［不適切なハンドオーバ動作の例］
図５は、本発明の実施の形態に係る無線通信システムにおいて、不適切なハンドオーバ動作（Ｔｏｏ  Ｌａｔｅ  ＨＯ）が生じた状況の一例を示す図である。
【０１４０】
図６は、本発明の実施の形態に係る無線通信システムにおける、不適切なハンドオーバ動作（Ｔｏｏ  Ｌａｔｅ  ＨＯ）およびその検出処理のシーケンスの一例を示す図である。
【０１４１】
”Ｔｏｏ  Ｌａｔｅ  ＨＯ”は、たとえば以下のような場合をいう。すなわち、ハンドオーバが始まる前、あるいはハンドオーバ処理の最中に、ハンドオーバ元の無線基地局装置について無線リンク断（ＲＬＦ：Radio Link Failure）が発生し、かつハンドオーバ元の無線基地局装置以外の無線基地局装置に対する無線端末装置２０２の接続再確立が生じた場合である。
【０１４２】
”Ｔｏｏ  Ｌａｔｅ  ＨＯ”の検出方法は、たとえば以下のようになる。すなわち、無線端末装置２０２が無線基地局装置１０１ＡについてＲＬＦを起こした後に無線基地局装置１０１Ｂに対して無線リンクを再確立した場合、無線基地局装置１０１Ｂが無線基地局装置１０１Ａに対してＲＬＦ通知を送信する。これにより、無線基地局装置１０１Ａは”Ｔｏｏ  Ｌａｔｅ  ＨＯ”を検出する。
【０１４３】
ここでは、図５に示すように、無線端末装置２０２が、セルＣＡ内に位置し、無線基地局装置１０１Ａと通信中である場合を想定する。
【０１４４】
図５および図６を参照して、まず、無線端末装置２０２は、各無線基地局装置から送信される無線信号の受信電力を測定し、測定した受信電力の測定結果を示す測定結果通知を無線基地局装置１０１Ａへ送信する（ステップＳ５１）。
【０１４５】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ５２）。
【０１４６】
次に、無線基地局装置１０１Ａは、無線基地局装置１０１Ｂを示すハンドオーバ要求を、基地局間インタフェースであるＸ２インタフェース経由で無線基地局装置１０１Ｂへ送信する（ステップＳ５３）。
【０１４７】
次に、無線基地局装置１０１Ｂは、無線基地局装置１０１Ａからハンドオーバ要求を受信して、無線基地局装置１０１Ａへ当該ハンドオーバ要求に対するハンドオーバ応答をＸ２インタフェース経由で送信する（ステップＳ５４）。
【０１４８】
ここで、ネットワーク側のハンドオーバの準備中、すなわち無線基地局装置１０１Ａおよび１０１Ｂが上記のようなハンドオーバのためのメッセージの送受信を行っている間に、無線端末装置２０２が、セルＣＡの圏外、かつセルＣＢの圏内に移動する（ステップＳ５５）。
【０１４９】
この無線端末装置２０２の移動により、無線基地局装置１０１Ａから送信されるハンドオーバを指示するためのＲＲＣコネクション再構成指示（ステップＳ５６）が無線端末装置２０２に届かなくなり、ＲＬＦが発生してしまう（ステップＳ５７）。
【０１５０】
次に、無線端末装置２０２は、ＲＬＦ発生を検出すると、無線信号の受信電力の測定等によって周辺の無線基地局装置の探索を行ない、探索した無線基地局装置１０１Ｂに再接続するために、ＲＲＣコネクション再確立要求（RRC Connection Reestablishment Request）を送信する（ステップＳ５８）。
【０１５１】
次に、無線基地局装置１０１Ｂは、無線端末装置２０２からＲＲＣコネクション再確立要求を受信して、ＲＲＣコネクション再確立応答を無線端末装置２０２へ送信する（ステップＳ５９）。これにより、無線端末装置２０２および無線基地局装置１０１Ｂ間でＲＲＣコネクションが確立される。
【０１５２】
次に、無線端末装置２０２は、無線基地局装置１０１ＢへＲＲＣコネクション再確立完了通知（RRC Connection Reestablishment Complete）を送信する（ステップＳ６０）。
【０１５３】
このＲＲＣコネクション再確立完了通知は、たとえば”rlf-InfoAvailable”というパラメータを含む。無線端末装置２０２は、このパラメータを設定してＲＲＣコネクション再確立完了通知を送信する。これにより、無線基地局装置１０１Ｂは、当該無線端末装置２０２についてＲＬＦの発生があったことを認識する。無線基地局装置１０１Ｂは、ＲＬＦの詳細な情報を取得するため、端末情報要求（UE Information Request）を無線端末装置２０２へ送信する（ステップＳ６１）。
【０１５４】
次に、無線端末装置２０２は、無線基地局装置１０１Ｂから端末情報要求を受信して、ＲＬＦレポートを含む端末情報応答（UE Information Response）を無線基地局装置１０１Ｂへ送信する（ステップＳ６２）。ＲＬＦレポートは、ＲＬＦの発生した無線基地局装置のＰＣＩ（Physical Cell ID）、ＲＲＣコネクション再確立の発生した無線基地局装置のＰＣＩおよびＥＣＧＩ（E- UTRAN Cell Global Identifier）ならびに自己の無線端末装置２０２のＣ−ＲＮＴＩ（Cell Radio Network Temporary Identifier）等を含む。ここでは、ＲＬＦ発生のＰＣＩは無線基地局装置１０１ＡのＩＤであり、ＲＲＣコネクション再確立発生のＰＣＩおよびＥＣＧＩは無線基地局装置１０１ＢのＩＤであり、Ｃ−ＲＮＴＩは無線基地局装置１０１Ａが付与したＩＤである。
【０１５５】
次に、無線基地局装置１０１Ｂは、無線端末装置２０２から受信したＲＬＦレポートのＰＣＩを参照することにより、無線基地局装置１０１ＡにおいてＲＬＦが発生したことを認識する。そして、無線基地局装置１０１Ｂは、”Ｔｏｏ  Ｌａｔｅ  ＨＯ”であることを通知するために、当該ＲＬＦレポートの内容を含むＲＬＦ通知（RLF INDICATION）をＸ２インタフェース経由で無線基地局装置１０１Ａへ送信する（ステップＳ６３）。
【０１５６】
次に、無線基地局装置１０１Ａは、無線基地局装置１０１Ｂから受信したＲＬＦ通知のＰＣＩ、ＥＣＧＩおよびＣ−ＲＮＴＩを参照することにより、セルＣＢへの”Ｔｏｏ  Ｌａｔｅ  ＨＯ”が発生したことを認識する（ステップＳ６４）。
【０１５７】
次に、無線基地局装置１０１Ａは、セルＣＢへの”Ｔｏｏ  Ｌａｔｅ  ＨＯ”の発生が抑制されるように、ハンドオーバ動作の最適化処理を実行する（ステップＳ６５）。
【０１５８】
図７および図８は、本発明の実施の形態に係る無線通信システムにおいて、不適切なハンドオーバ動作（Ｔｏｏ  Ｅａｒｌｙ  ＨＯ）が生じた状況の一例を示す図である。
【０１５９】
図７および図８を参照して、無線基地局装置１０１Ｂの形成するセルＣＢは、無線基地局装置１０１Ｂの設置エリアを含むセルＣＢ１と、セルＣＡ内に形成された、無線基地局装置１０１Ｂの設置エリアを含まないセルＣＢ２とで構成される。
【０１６０】
図９は、本発明の実施の形態に係る無線通信システムにおける、不適切なハンドオーバ動作（Ｔｏｏ  Ｅａｒｌｙ  ＨＯ）およびその検出処理のシーケンスの一例を示す図である。
【０１６１】
”Ｔｏｏ  Ｅａｒｌｙ  ＨＯ”は、たとえば以下のような場合をいう。すなわち、無線端末装置２０２がハンドオーバ先の無線基地局装置に対する接続を成功した後、ＲＬＦが短時間で発生し、かつ、ハンドオーバ元の無線基地局装置に対して、当該無線端末装置２０２の接続再確立が生じた場合である。
【０１６２】
”Ｔｏｏ  Ｅａｒｌｙ  ＨＯ”の検出方法は、たとえば以下のようになる。すなわち、ハンドオーバ先の無線基地局装置１０１Ｂは、ＲＬＦレポートをハンドオーバ元の無線基地局装置１０１Ａから受信した場合において、当該受信タイミングからさかのぼって所定時間内に、当該無線端末装置２０２の自己へのハンドオーバの完了による端末情報開放指示を無線基地局装置１０１Ａへ送信していたときに、”Ｔｏｏ  Ｅａｒｌｙ  ＨＯ”である旨を無線基地局装置１０１Ａに通知する。
【０１６３】
ここで、無線基地局装置１０１Ｂは、上記所定時間を計測するために、タイマを用いる。これにより、無線基地局装置１０１Ｂは、ＲＬＦレポートを受信した場合において、自己の”Ｔｏｏ  Ｌａｔｅ  ＨＯ”によってＲＬＦが発生したのか、無線基地局装置１０１Ａの”Ｔｏｏ  Ｅａｒｌｙ  ＨＯ”によってＲＬＦが発生したのかを判別することができる。
【０１６４】
ここでは、図７に示すように、無線端末装置２０２が、セルＣＡ内に位置し、無線基地局装置１０１Ａと通信中である状態から、セルＣＢ２内へ移動した場合（ステップＳ７０）を想定する。
【０１６５】
図７〜図９を参照して、まず、無線端末装置２０２は、無線基地局装置から送信される無線信号の受信電力を測定し、測定した受信電力の測定結果を示す測定結果通知を無線基地局装置１０１Ａ（Source eNB, Serving eNB)へ送信する（ステップＳ７１）。
【０１６６】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ７２）。
【０１６７】
次に、無線基地局装置１０１Ａは、無線基地局装置１０１Ｂを示すハンドオーバ要求を、基地局間インタフェースであるＸ２インタフェース経由で無線基地局装置１０１Ｂへ送信する（ステップＳ７３）。
【０１６８】
次に、無線基地局装置１０１Ｂは、無線基地局装置１０１Ａからハンドオーバ要求を受信して、無線基地局装置１０１Ａへ当該ハンドオーバ要求に対するハンドオーバ応答をＸ２インタフェース経由で送信する（ステップＳ７４）。
【０１６９】
次に、無線基地局装置１０１Ａは、無線基地局装置１０１Ｂからハンドオーバ応答を受信して、無線端末装置２０２へＲＲＣコネクション再構成指示（RRC Connection Reconfiguration）を送信する（ステップＳ７５）。
【０１７０】
次に、無線端末装置２０２および無線基地局装置１０１Ｂ間でＲＲＣコネクションが確立されると、無線端末装置２０２は、ＲＲＣコネクション再構成完了通知（RRC Connection Reconfiguration Complete）を無線基地局装置１０１Ｂへ送信する（ステップＳ７６）。
【０１７１】
次に、無線基地局装置１０１Ｂは、無線端末装置２０２からＲＲＣコネクション再構成完了通知を受信して、端末情報解放指示を無線基地局装置１０１Ａへ送信する（ステップＳ７７）。
【０１７２】
また、無線基地局装置１０１Ｂは、無線端末装置２０２のセルＣＢにおける滞在時間を計測するために、タイマをスタートさせる（ステップＳ７８）。
【０１７３】
次に、無線基地局装置１０１Ａは、無線基地局装置１０１Ｂから端末情報解放指示を受信して、無線端末装置２０２に関する情報（UE Context）を解放する（ステップＳ７９）。
【０１７４】
以上により、無線端末装置２０２の無線基地局装置１０１Ａから無線端末装置２０２Ｂへのハンドオーバが完了する（ステップＳ８０）。
【０１７５】
ここで、無線端末装置２０２が、測定結果通知（Measurement Report）を無線基地局装置１０１Ｂへ送信する前に、セルＣＢの圏外かつセルＣＡの圏内に移動する（ステップＳ８１）。
【０１７６】
そうすると、無線端末装置２０２は、無線基地局装置１０１Ｂと通信できなくなることから、ＲＬＦが発生してしまう（ステップＳ８３）。
【０１７７】
次に、無線端末装置２０２は、ＲＬＦ発生を検出すると、無線信号の受信電力の測定等によって周辺の無線基地局装置の探索を行ない、探索した無線基地局装置１０１Ａに再接続するために、ＲＲＣコネクション再確立要求（RRC Connection Reestablishment Request）を送信する（ステップＳ８４）。
【０１７８】
次に、無線基地局装置１０１Ａは、当該無線端末装置２０２に関する情報（UE Context）を解放済みであり、保持していないことから、当該無線端末装置２０２からのＲＲＣコネクション再確立要求を受け入れることができず（ステップＳ８５）、ＲＲＣコネクション再確立拒絶を当該無線端末装置２０２へ送信する（ステップＳ８６）。
【０１７９】
次に、無線端末装置２０２は、ＲＲＣコネクション再確立拒絶を無線基地局装置１０１Ａから受信すると、無線基地局装置１０１Ａと通常の接続手順をスタートさせる（ステップＳ８７）。
【０１８０】
すなわち、まず、無線端末装置２０２は、ＲＲＣコネクション要求（RRC Connection Request）を無線基地局装置１０１Ａへ送信する（ステップＳ８８）。
【０１８１】
次に、無線基地局装置１０１Ａは、無線端末装置２０２からＲＲＣコネクション要求を受信して、ＲＲＣコネクション情報（RRC Connection Setup）を無線端末装置２０２へ送信する（ステップＳ８９）。
【０１８２】
次に、無線端末装置２０２は、無線基地局装置１０１ＡからＲＲＣコネクション情報を受信して、ＲＲＣコネクション完了通知（RRC Connection Setup Complete）を送信する（ステップＳ９０）。
【０１８３】
次に、無線基地局装置１０１Ａは、無線端末装置２０２からＲＲＣコネクション完了通知を受信して、セキュリティ情報（Security Mode Command）を無線端末装置２０２へ送信する（ステップＳ９１）。
【０１８４】
次に、無線端末装置２０２は、無線基地局装置１０１Ａからセキュリティ情報を受信して、セキュリティ完了通知（Security Mode Complete）を無線基地局装置１０１Ａへ送信する（ステップＳ９２）。
【０１８５】
次に、無線基地局装置１０１Ａは、無線端末装置２０２へＲＲＣコネクション再構成指示（RRC Connection Reconfiguration）を送信する（ステップＳ９３）。
【０１８６】
次に、無線端末装置２０２および無線基地局装置１０１Ａ間でＲＲＣコネクションが確立されると、無線端末装置２０２は、無線基地局装置１０１ＡへＲＲＣコネクション再構成完了通知（RRC Connection Reconfiguration Complete）を送信する（ステップＳ９４）。
【０１８７】
ここで、ＲＲＣコネクション完了通知およびＲＲＣコネクション再構成完了通知は、たとえば”rlf-InfoAvailable”というパラメータを含む。無線端末装置２０２は、このパラメータを設定してＲＲＣコネクション完了通知およびＲＲＣコネクション再構成完了通知を送信する。これにより、無線基地局装置１０１Ａは、当該無線端末装置２０２についてＲＬＦの発生があったことを認識する。無線基地局装置１０１Ａは、ＲＬＦの詳細な情報を取得するため、端末情報要求（UE Information Request）を無線端末装置２０２へ送信する（ステップＳ９５）。
【０１８８】
次に、無線端末装置２０２は、無線基地局装置１０１Ａから端末情報要求を受信して、ＲＬＦレポートを含む端末情報応答（UE Information Response）を無線基地局装置１０１Ａへ送信する（ステップＳ９６）。ＲＬＦレポートは、ＲＬＦの発生した無線基地局装置のＰＣＩ、ＲＲＣコネクション再確立の発生した無線基地局装置のＰＣＩおよびＥＣＧＩならびに自己の無線端末装置２０２のＣ−ＲＮＴＩを含む。ここでは、ＲＬＦ発生のＰＣＩは無線基地局装置１０１ＢのＩＤであり、ＲＲＣコネクション再確立発生のＰＣＩおよびＥＣＧＩは無線基地局装置１０１ＡのＩＤであり、Ｃ−ＲＮＴＩは無線基地局装置１０１Ｂが付与したＩＤである。
【０１８９】
次に、無線基地局装置１０１Ａは、無線端末装置２０２から受信したＲＬＦレポートのＰＣＩを参照することにより、無線基地局装置１０１ＢにおいてＲＬＦが発生しことを認識し、セルＣＡへの”Ｔｏｏ  Ｌａｔｅ  ＨＯ”が発生したと判断する（ステップＳ９７）。
【０１９０】
次に、無線基地局装置１０１Ａは、”Ｔｏｏ  Ｌａｔｅ  ＨＯ”であることを通知するために、当該ＲＬＦレポートの内容を含むＲＬＦ通知（RLF INDICATION）をＸ２インタフェース経由で無線基地局装置１０１Ｂへ送信する（ステップＳ９８）。
【０１９１】
次に、無線基地局装置１０１Ｂは、無線基地局装置１０１ＡからＲＬＦ通知を受信すると、スタートさせておいたタイマを確認し、タイマが動作している場合、すなわちタイマをスタートさせてから所定時間経過していない場合には、セルＣＡへの”Ｔｏｏ  Ｌａｔｅ  ＨＯ”ではなく、セルＣＢへの”Ｔｏｏ  Ｅａｒｌｙ  ＨＯ”であると判断する。なお、無線基地局装置１０１Ｂは、無線基地局装置１０１ＡからＲＬＦ通知を受信したときにタイマが動作していない場合、すなわちタイマをスタートさせてから上記所定時間経過している場合には、セルＣＡへの”Ｔｏｏ  Ｌａｔｅ  ＨＯ”であると判断する。
【０１９２】
無線基地局装置１０１Ｂは、セルＣＢへの”Ｔｏｏ  Ｅａｒｌｙ  ＨＯ”であると判断すると（ステップＳ９９）、ハンドオーバレポートを無線基地局装置１０１Ａへ送信する（ステップＳ１００）。このハンドオーバレポートは、たとえば”Ｈａｎｄｏｖｅｒ  Ｒｅｐｏｒｔ  Ｔｙｐｅ”というパラメータを含む。無線基地局装置１０１Ｂは、このパラメータを所定値に設定することにより、”Ｔｏｏ  Ｅａｒｌｙ  ＨＯ”を無線基地局装置１０１Ａに通知する。
【０１９３】
次に、無線基地局装置１０１Ａは、無線基地局装置１０１Ｂから当該ハンドオーバレポートを受信して、セルＣＢへの”Ｔｏｏ  Ｅａｒｌｙ  ＨＯ”が発生したことを認識し（ステップＳ１０１）、”Ｔｏｏ  Ｅａｒｌｙ  ＨＯ”の発生が抑制されるように、ハンドオーバ動作の最適化処理を実行する（ステップＳ１０２）。
【０１９４】
図１０は、本発明の実施の形態に係る無線通信システムにおいて、不適切なハンドオーバ動作（ＨＯ  ｔｏ  Ｗｒｏｎｇ  Ｃｅｌｌ）が生じた状況の一例を示す図である。
図１１は、本発明の実施の形態に係る無線通信システムにおける、不適切なハンドオーバ動作（ＨＯ  ｔｏ  Ｗｒｏｎｇ  Ｃｅｌｌ）およびその検出処理のシーケンスの一例を示す図である。
【０１９５】
”ＨＯ  ｔｏ  Ｗｒｏｎｇ  Ｃｅｌｌ”は、たとえば以下のような場合をいう。すなわち、無線端末装置２０２がハンドオーバ先の無線基地局装置との接続に成功した後、短時間でＲＬＦが発生し、かつハンドオーバ元およびハンドオーバ先の無線基地局装置以外の無線基地局装置に対する、無線端末装置２０２の接続再確立が生じた場合である。
【０１９６】
”ＨＯ  ｔｏ  Ｗｒｏｎｇ  Ｃｅｌｌ”の検出方法は、たとえば以下のようになる。すなわち、ハンドオーバ先の無線基地局装置１０１Ｂは、ＲＬＦレポートをハンドオーバ元の無線基地局装置１０１Ａ以外の無線基地局装置１０１Ｃから受信した場合において、当該受信タイミングからさかのぼって所定時間内に、当該無線端末装置２０２の自己へのハンドオーバの完了による端末情報開放指示を無線基地局装置１０１Ａへ送信していたときに、”ＨＯ  ｔｏ  Ｗｒｏｎｇ  Ｃｅｌｌ”である旨を無線基地局装置１０１Ａに通知する。
【０１９７】
ここで、無線基地局装置１０１Ｂは、上記所定時間を計測するために、タイマを用いる。これにより、無線基地局装置１０１Ｂは、ＲＬＦレポートを受信した場合において、自己の”Ｔｏｏ  Ｌａｔｅ  ＨＯ”によってＲＬＦが発生したのか、無線基地局装置１０１Ａの”ＨＯ  ｔｏ  Ｗｒｏｎｇ  Ｃｅｌｌ”によってＲＬＦが発生したのかを判別することができる。
【０１９８】
ここでは、図１０に示すように、無線端末装置２０２が、セルＣＡ内に位置し、無線基地局装置１０１Ａと通信中である状態から、仮想セルＣＢＶおよびセルＣＡの重複領域へ移動した場合（ステップＳ１１０）を想定する。仮想セルＣＢＶは、無線基地局装置１０１Ａから無線基地局装置１０１Ｂへのハンドオーバを促進するために、パラメータであるオフセットＯＳＴに従ってセルＣＢから拡大された仮想的なセルである。この場合、オフセットＯＳＴは、無線基地局装置１０１Ａの保持するパラメータである。
【０１９９】
図１０および図１１を参照して、まず、無線端末装置２０２は、無線基地局装置から送信される無線信号の受信電力を測定し、測定した受信電力の測定結果を示す測定結果通知を無線基地局装置１０１Ａへ送信する（ステップＳ１１１）。
【０２００】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ１１２）。
【０２０１】
次に、無線基地局装置１０１Ａは、無線基地局装置１０１Ｂを示すハンドオーバ要求を、基地局間インタフェースであるＸ２インタフェース経由で無線基地局装置１０１Ｂへ送信する（ステップＳ１１３）。
【０２０２】
次に、無線基地局装置１０１Ｂは、無線基地局装置１０１Ａからハンドオーバ要求を受信して、無線基地局装置１０１Ａへ当該ハンドオーバ要求に対するハンドオーバ応答をＸ２インタフェース経由で送信する（ステップＳ１１４）。
【０２０３】
次に、無線基地局装置１０１Ａは、無線基地局装置１０１Ｂからハンドオーバ応答を受信して、無線端末装置２０２へＲＲＣコネクション再構成指示（RRC Connection Reconfiguration）を送信する（ステップＳ１１５）。
【０２０４】
次に、無線端末装置２０２および無線基地局装置１０１Ｂ間でＲＲＣコネクションが確立されると、無線端末装置２０２は、ＲＲＣコネクション再構成完了通知（RRC Connection Reconfiguration Complete）を無線基地局装置１０１Ｂへ送信する（ステップＳ１１６）。
【０２０５】
次に、無線基地局装置１０１Ｂは、無線端末装置２０２からＲＲＣコネクション再構成完了通知を受信して、端末情報解放指示を無線基地局装置１０１Ａへ送信する（ステップＳ１１７）。
【０２０６】
また、無線基地局装置１０１Ｂは、無線端末装置２０２のセルＣＢにおける滞在時間を計測するために、タイマをスタートさせる（ステップＳ１１８）。
【０２０７】
次に、無線基地局装置１０１Ａは、無線基地局装置１０１Ｂから端末情報解放指示を受信して、無線端末装置２０２に関する情報（UE Context）を解放する（ステップＳ１１９）。
【０２０８】
以上により、無線端末装置２０２の無線基地局装置１０１Ａから無線端末装置２０２Ｂへのハンドオーバが完了する（ステップＳ１２０）。
【０２０９】
ここで、無線端末装置２０２が、測定結果通知（Measurement Report）を無線基地局装置１０１Ｂへ送信する前に、セルＣＢの圏外、かつ仮想セルＣＢＶおよびセルＣＣの圏内に移動する（ステップＳ１２１）。
【０２１０】
そうすると、無線端末装置２０２は、無線基地局装置１０１Ｃ（Other eNB）から送信される無線信号の干渉が大きく、無線基地局装置１０１Ｂと通信できなくなることから、ＲＬＦが発生してしまう（ステップＳ１２３）。
【０２１１】
次に、無線端末装置２０２は、ＲＬＦ発生を検出すると、無線信号の受信電力の測定等によって周辺の無線基地局装置の探索を行なう。この場合、無線基地局装置１０１Ｃからの無線信号の受信電力が最大となることから、無線端末装置２０２は、探索した無線基地局装置１０１Ｃに再接続するために、ＲＲＣコネクション再確立要求（RRC Connection Reestablishment Request）を無線基地局装置１０１Ｃへ送信する（ステップＳ１２４）。
【０２１２】
次に、無線基地局装置１０１Ｃは、当該無線端末装置２０２に関する情報（UE Context）を保持していないことから、当該無線端末装置２０２からのＲＲＣコネクション再確立要求を受け入れることができず（ステップＳ１２５）、ＲＲＣコネクション再確立拒絶を当該無線端末装置２０２へ送信する（ステップＳ１２６）。
【０２１３】
次に、無線端末装置２０２は、ＲＲＣコネクション再確立拒絶を無線基地局装置１０１Ｃから受信して、無線基地局装置１０１Ｃと通常の接続手順をスタートさせる（ステップＳ１２７）。
【０２１４】
すなわち、まず、無線端末装置２０２は、ＲＲＣコネクション要求（RRC Connection Request）を無線基地局装置１０１Ｃへ送信する（ステップＳ１２８）。
【０２１５】
次に、無線基地局装置１０１Ｃは、無線端末装置２０２からＲＲＣコネクション要求を受信して、ＲＲＣコネクション情報（RRC Connection Setup）を無線端末装置２０２へ送信する（ステップＳ１２９）。
【０２１６】
次に、無線端末装置２０２は、無線基地局装置１０１ＣからＲＲＣコネクション情報を受信して、ＲＲＣコネクション完了通知（RRC Connection Setup Complete）を送信する（ステップＳ１３０）。
【０２１７】
次に、無線基地局装置１０１Ｃは、無線端末装置２０２からＲＲＣコネクション完了通知を受信して、セキュリティ情報（Security Mode Command）を無線端末装置２０２へ送信する（ステップＳ１３１）。
【０２１８】
次に、無線端末装置２０２は、無線基地局装置１０１Ｃからセキュリティ情報を受信して、セキュリティ完了通知（Security Mode Complete）を無線基地局装置１０１Ｃへ送信する（ステップＳ１３２）。
【０２１９】
次に、無線基地局装置１０１Ｃは、無線端末装置２０２へＲＲＣコネクション再構成指示（RRC Connection Reconfiguration）を送信する（ステップＳ１３３）。
【０２２０】
次に、無線端末装置２０２および無線基地局装置１０１Ｃ間でＲＲＣコネクションが確立されると、無線端末装置２０２は、無線基地局装置１０１ＣへＲＲＣコネクション再構成完了通知（RRC Connection Reconfiguration Complete）を送信する（ステップＳ１３４）。
【０２２１】
ここで、ＲＲＣコネクション完了通知およびＲＲＣコネクション再構成完了通知は、たとえば”rlf-InfoAvailable”というパラメータを含む。無線端末装置２０２は、このパラメータを設定してＲＲＣコネクション完了通知およびＲＲＣコネクション再構成完了通知を送信する。これにより、無線基地局装置１０１Ｃは、当該無線端末装置２０２についてＲＬＦの発生があったことを認識する。無線基地局装置１０１Ｃは、ＲＬＦの詳細な情報を取得するため、端末情報要求（UE Information Request）を無線端末装置２０２へ送信する（ステップＳ１３５）。
【０２２２】
次に、無線端末装置２０２は、無線基地局装置１０１Ｃから端末情報要求を受信して、ＲＬＦレポートを含む端末情報応答（UE Information Response）を無線基地局装置１０１Ｃへ送信する（ステップＳ１３６）。ＲＬＦレポートは、ＲＬＦの発生した無線基地局装置のＰＣＩ、ＲＲＣコネクション再確立の発生した無線基地局装置のＰＣＩおよびＥＣＧＩならびに自己の無線端末装置２０２のＣ−ＲＮＴＩを含む。ここでは、ＲＬＦ発生のＰＣＩは無線基地局装置１０１ＢのＩＤであり、ＲＲＣコネクション再確立発生のＰＣＩおよびＥＣＧＩは無線基地局装置１０１ＣのＩＤであり、Ｃ−ＲＮＴＩは無線基地局装置１０１Ｂが付与したＩＤである。
【０２２３】
次に、無線基地局装置１０１Ｃは、無線端末装置２０２から受信したＲＬＦレポートのＰＣＩを参照することにより、無線基地局装置１０１ＢにおいてＲＬＦが発生しことを認識し、セルＣＣへの”Ｔｏｏ  Ｌａｔｅ  ＨＯ”が発生したと判断する（ステップＳ１３７）。
【０２２４】
次に、無線基地局装置１０１Ｃは、”Ｔｏｏ  Ｌａｔｅ  ＨＯ”であることを通知するために、当該ＲＬＦレポートの内容を含むＲＬＦ通知（RLF INDICATION）をＸ２インタフェース経由で無線基地局装置１０１Ｂへ送信する（ステップＳ１３８）。
【０２２５】
次に、無線基地局装置１０１Ｂは、無線基地局装置１０１ＣからＲＬＦ通知を受信すると、スタートさせておいたタイマを確認し、タイマが動作している場合、すなわちタイマをスタートさせてから所定時間経過していない場合には、セルＣＣへの”Ｔｏｏ  Ｌａｔｅ  ＨＯ”ではないと判断し、さらに、無線基地局装置１０１Ａ以外の無線基地局装置１０１ＣからＲＬＦ通知を受信したことから、セルＣＢへの”Ｔｏｏ  Ｅａｒｌｙ  ＨＯ”ではなく、セルＣＢへの”ＨＯ  ｔｏ  Ｗｒｏｎｇ  Ｃｅｌｌ”であると判断する。なお、無線基地局装置１０１Ｂは、無線基地局装置１０１ＣからＲＬＦ通知を受信したときにタイマが動作していない場合、すなわちタイマをスタートさせてから上記所定時間経過している場合には、セルＣＣへの”Ｔｏｏ  Ｌａｔｅ  ＨＯ”であると判断する。
【０２２６】
無線基地局装置１０１Ｂは、セルＣＢへの”ＨＯ  ｔｏ  Ｗｒｏｎｇ  Ｃｅｌｌ”であると判断すると（ステップＳ１３９）、ハンドオーバレポートを無線基地局装置１０１Ａへ送信する（ステップＳ１４０）。このハンドオーバレポートは、たとえば”Ｈａｎｄｏｖｅｒ  Ｒｅｐｏｒｔ  Ｔｙｐｅ”というパラメータを含む。無線基地局装置１０１Ｂは、このパラメータを所定値に設定することにより、”ＨＯ  ｔｏ  Ｗｒｏｎｇ  Ｃｅｌｌ”を無線基地局装置１０１Ａに通知する。
【０２２７】
次に、無線基地局装置１０１Ａは、無線基地局装置１０１Ｂから当該ハンドオーバレポートを受信して、セルＣＢへの”ＨＯ  ｔｏ  Ｗｒｏｎｇ  Ｃｅｌｌ”が発生したことを認識し（ステップＳ１４１）、”ＨＯ  ｔｏ  Ｗｒｏｎｇ  Ｃｅｌｌ”の発生が抑制されるように、ハンドオーバ動作の最適化処理を実行する（ステップＳ１４２）。
【０２２８】
以上のような”Ｔｏｏ  Ｌａｔｅ  ＨＯ”、”Ｔｏｏ  Ｅａｒｌｙ  ＨＯ”および”ＨＯ  ｔｏ  Ｗｒｏｎｇ  Ｃｅｌｌ”の他に、不適切なハンドオーバ動作として”Ｐｉｎｇ  Ｐｏｎｇ  ＨＯ”がある。
【０２２９】
これは、ある無線端末装置について、２つの無線基地局装置が互いに他の無線基地局装置へのハンドオーバを判断する場合である。この”Ｐｉｎｇ  Ｐｏｎｇ  ＨＯ”が発生すると、無線端末装置および無線基地局装置間の接続が切断されることはないが、当該無線端末装置についてはハンドオーバ動作のための処理が繰り返され、通話およびデータ通信を行なうことができなくなり、また、上位ネットワーク側の負荷が増大してしまう。
【０２３０】
［ハンドオーバ動作の制御パラメータ］
図１２は、本発明の実施の形態に係る無線通信システムにおける、無線端末装置の受信品質のシミュレーション結果を示す図である。
【０２３１】
図１２は、無線端末装置２０２が、時速３０ｋｍでピコ基地局付近を通過し、マクロ基地局付近を通過するまでの１００秒間における無線端末装置２０２のＲＳＳＩ（Received Signal Strength Indication）を示している。
【０２３２】
図１２において、グラフＧ１およびＧ３は、マクロ基地局から送信される無線信号のＲＳＳＩを示し、グラフＧ２およびＧ４は、ピコ基地局から送信される無線信号のＲＳＳＩを示している。また、グラフＧ１およびＧ２は、シャドウィング、すなわち無線端末装置２０２および他の物体間の相対的な位置変化に起因する、当該無線端末装置２０２における無線信号の受信電力の時間的な変化を考慮したシミュレーション結果であり、グラフＧ３およびＧ４は、シャドウィングを考慮しないシミュレーション結果である。
【０２３３】
図１２を参照して、無線端末装置２０２のピコ基地局からマクロ基地局へのハンドオーバの理想位置は、グラフの交点付近すなわち移動時間が約１７秒となる位置である。しかしながら、実際には、無線端末装置２０２の未来の通信環境を無線通信システムにおいて把握することは困難であるため、各種測定結果等に基づいてハンドオーバ動作のタイミングを調整することにより、ハンドオーバ動作の最適化を図ることが重要である。
【０２３４】
また、移動時間が１５秒から２０秒の期間では、各無線基地局装置からの無線信号の強弱が入り組んでいるため、たとえば”Ｔｏｏ  Ｅａｒｌｙ  ＨＯ”または”Ｐｉｎｇ  Ｐｏｎｇ  ＨＯ”が発生しやすくなる。また、移動時間が２０秒となるタイミング付近では、ピコ基地局からの無線信号の受信電力が急に小さくなり、マクロ基地局からの無線信号の受信電力が急に大きくなり、ＳＩＮＲ（Signal to Interference-plus-Noise Ratio）が急激に悪化するため、”Ｔｏｏ  Ｌａｔｅ  ＨＯ”が発生しやすくなる。
【０２３５】
ここで、３ＧＰＰで規定されたハンドオーバの最適化を図るＭＲＯ（Mobility Robustness Optimization）の評価関数をＹ＝ＭＲＯ（Ｘ）とすると、Ｙは、たとえば”Ｔｏｏ  Ｌａｔｅ  ＨＯ”の発生頻度、”Ｔｏｏ  Ｅａｒｌｙ  ＨＯ”の発生頻度、”ＨＯ  ｔｏ  Ｗｒｏｎｇ  Ｃｅｌｌ”の発生頻度、”Ｐｉｎｇ  Ｐｏｎｇ  ＨＯ”等の不必要なハンドオーバの発生頻度、またはＲＲＣコネクション情報を送信した直後すなわち無線端末装置２０２が無線基地局装置に接続された直後のハンドオーバの発生頻度である。
【０２３６】
また、たとえば、Ｘは、電力測定処理（Measurement）用のパラメータであり、ヒステリシスＨＳ：０ｄＢ〜＋１５ｄＢ、ＴＴＴ（Time to Trigger）：０ｍｓ〜５１２０ｍｓ、またはオフセットＯＳＴ（Cell Individual Offset）：−２４ｄＢ〜＋２４ｄＢである。あるいは、Ｘは、セル再選択処理用のパラメータである。
【０２３７】
たとえば、ヒステリシスＨＳおよびＴＴＴは後述するイベントごとに設定可能であり、オフセットＯＳＴはサービング基地局の形成するサービングセル、および周辺セルごとに設定可能であり、後述するギャップＭＧおよびフィルタリング係数αはサービングセルごとに設定可能である。
【０２３８】
ここでは、無線基地局装置は、無線端末装置２０２の上り送信負荷を軽減するために、測定結果通知（Measurement Report）を受信するとハンドオーバの判断を行なうものとする。すなわち、測定結果通知の送信タイミングとハンドオーバのタイミングとが対応するものとする。
【０２３９】
以下、測定結果通知を送信する各種イベントと電力測定処理のパラメータとの関係について説明する。
【０２４０】
図１３は、本発明の実施の形態に係る無線通信システムにおいて、無線端末装置が測定結果通知を送信するイベントＡ１を示す図である。図１３において、横軸は時間であり、縦軸は無線端末装置２０２における無線信号の受信電力またはＳＩＮＲであり、ＳＶＣはサービングセルの受信電力またはＳＩＮＲすなわちサービング基地局が送信する無線信号の受信電力またはＳＩＮＲである。
【０２４１】
図１３を参照して、イベントＡ１では、閾値Ｔｈに対して正負の方向にヒステリシスＨＳが設定される。
【０２４２】
無線端末装置２０２は、サービングセルの受信電力またはＳＩＮＲが（Ｔｈ＋ＨＳ）よりも大きくなると、レポートオン状態へ遷移する（タイミングＴ１）。
【０２４３】
そして、無線端末装置２０２は、受信電力またはＳＩＮＲが（Ｔｈ−ＨＳ）よりも大きい、という条件が満たされた状態でタイミングＴ１からＴＴＴ経過すると、測定結果通知を送信する（タイミングＴ２）。
【０２４４】
次に、無線端末装置２０２は、当該条件が満たされた状態でタイミングＴ２からＴＴＴ経過すると、測定結果通知を送信する（タイミングＴ３）。
【０２４５】
次に、無線端末装置２０２は、タイミングＴ３からＴＴＴ経過するまでに当該条件が満たされなくなると、測定結果通知を送信せず、レポートオフ状態へ遷移する（タイミングＴ４）。
【０２４６】
ここで、無線端末装置２０２は、レポートオン状態およびレポートオフ状態間の遷移とは無関係に、たとえば周期的に電力測定処理を行なっており、直近の測定結果を測定結果通知として送信する。また、たとえば、無線端末装置２０２は、受信電力およびＳＩＮＲの各々について独立にレポートオン状態およびレポートオフ状態間の遷移を行なう。すなわち、無線端末装置２０２は、受信電力およびＳＩＮＲの一方について条件を満たせば、測定結果通知を送信する。
【０２４７】
図１４は、本発明の実施の形態に係る無線通信システムにおいて、無線端末装置が測定結果通知を送信するイベントＡ２を示す図である。図の見方は図１３と同様である。
【０２４８】
図１４を参照して、イベントＡ２では、閾値Ｔｈに対して正負の方向にヒステリシスＨＳが設定される。
【０２４９】
無線端末装置２０２は、サービングセルの受信電力またはＳＩＮＲが（Ｔｈ−ＨＳ）よりも小さくなると、レポートオン状態へ遷移する（タイミングＴ１１）。
【０２５０】
そして、無線端末装置２０２は、受信電力またはＳＩＮＲが（Ｔｈ＋ＨＳ）よりも小さい、という条件が満たされた状態でタイミングＴ１１からＴＴＴ経過すると、測定結果通知を送信する（タイミングＴ１２）。
【０２５１】
次に、無線端末装置２０２は、当該条件が満たされた状態でタイミングＴ１２からＴＴＴ経過すると、測定結果通知を送信する（タイミングＴ１３）。
【０２５２】
次に、無線端末装置２０２は、タイミングＴ１３からＴＴＴ経過するまでに当該条件が満たされなくなると、測定結果通知を送信せず、レポートオフ状態へ遷移する（タイミングＴ１４）。
【０２５３】
図１５は、本発明の実施の形態に係る無線通信システムにおいて、無線端末装置が測定結果通知を送信するイベントＡ３を示す図である。図１５において、横軸は時間であり、縦軸は無線端末装置２０２における無線信号の受信電力またはＳＩＮＲであり、ＳＶＣはサービングセルの受信電力またはＳＩＮＲであり、ＮＢＣは周辺セルの受信電力またはＳＩＮＲすなわち周辺基地局が送信する無線信号の受信電力またはＳＩＮＲである。
【０２５４】
図１５を参照して、イベントＡ３では、サービングセルの受信電力またはＳＩＮＲに対してオフセットＯＳＴ１が正方向に設定されており、さらに、正負の方向にヒステリシスＨＳが設定される。また、周辺セルの受信電力またはＳＩＮＲに対してオフセットＯＳＴ２が正方向に設定される。
【０２５５】
無線端末装置２０２は、｛（周辺セルの受信電力またはＳＩＮＲ）＋ＯＳＴ２｝が｛（サービングセルの受信電力またはＳＩＮＲ）＋ＯＳＴ１＋ＨＳ｝よりも大きくなると、レポートオン状態へ遷移する（タイミングＴ２１）。
【０２５６】
そして、無線端末装置２０２は、｛（周辺セルの受信電力またはＳＩＮＲ）＋ＯＳＴ２｝が｛（サービングセルの受信電力またはＳＩＮＲ）＋ＯＳＴ１−ＨＳ｝よりも大きい、という条件が満たされた状態でタイミングＴ２１からＴＴＴ経過すると、測定結果通知を送信する（タイミングＴ２２）。
【０２５７】
次に、無線端末装置２０２は、当該条件が満たされた状態でタイミングＴ２２からＴＴＴ経過すると、測定結果通知を送信する（タイミングＴ２３）。
【０２５８】
次に、無線端末装置２０２は、タイミングＴ２３からＴＴＴ経過するまでに当該条件が満たされなくなると、測定結果通知を送信せず、レポートオフ状態へ遷移する（タイミングＴ２４）。
【０２５９】
図１６は、本発明の実施の形態に係る無線通信システムにおいて、無線端末装置が測定結果通知を送信するイベントＡ４を示す図である。図の見方は図１５と同様である。
【０２６０】
図１６を参照して、イベントＡ４では、周辺セルの受信電力またはＳＩＮＲに対してオフセットＯＳＴが正方向に設定されており、閾値Ｔｈに対して正負の方向にヒステリシスＨＳが設定される。
【０２６１】
無線端末装置２０２は、｛（周辺セルの受信電力またはＳＩＮＲ）＋ＯＳＴ｝が（Ｔｈ＋ＨＳ）よりも大きくなると、レポートオン状態へ遷移する（タイミングＴ３１）。
【０２６２】
そして、無線端末装置２０２は、｛（周辺セルの受信電力またはＳＩＮＲ）＋ＯＳＴ｝が（Ｔｈ−ＨＳ）よりも大きい、という条件が満たされた状態でタイミングＴ３１からＴＴＴ経過すると、測定結果通知を送信する（タイミングＴ３２）。
【０２６３】
次に、無線端末装置２０２は、当該条件が満たされた状態でタイミングＴ３２からＴＴＴ経過すると、測定結果通知を送信する（タイミングＴ３３）。
【０２６４】
次に、無線端末装置２０２は、タイミングＴ３３からＴＴＴ経過するまでに当該条件が満たされなくなると、測定結果通知を送信せず、レポートオフ状態へ遷移する（タイミングＴ３４）。
【０２６５】
図１７は、本発明の実施の形態に係る無線通信システムにおいて、無線端末装置が測定結果通知を送信するイベントＡ５を示す図である。図の見方は図１５と同様である。
【０２６６】
図１７を参照して、イベントＡ５では、周辺セルの受信電力またはＳＩＮＲに対してオフセットＯＳＴが正方向に設定されており、閾値Ｔｈ１に対して正負の方向にヒステリシスＨＳ１が設定されており、閾値Ｔｈ２に対して正負の方向にヒステリシスＨＳ２が設定される。
【０２６７】
無線端末装置２０２は、サービングセルの受信電力またはＳＩＮＲが（Ｔｈ１−ＨＳ１）よりも小さくなり、かつ｛（周辺セルの受信電力またはＳＩＮＲ）＋ＯＳＴ｝が（Ｔｈ２＋ＨＳ２）よりも大きくなると、レポートオン状態へ遷移する（タイミングＴ４１）。
【０２６８】
そして、無線端末装置２０２は、サービングセルの受信電力またはＳＩＮＲが（Ｔｈ１＋ＨＳ１）よりも小さく、かつ｛（周辺セルの受信電力またはＳＩＮＲ）＋ＯＳＴ｝が（Ｔｈ２−ＨＳ２）よりも大きい、という条件が満たされた状態でタイミングＴ４１からＴＴＴ経過すると、測定結果通知を送信する（タイミングＴ４２）。
【０２６９】
次に、無線端末装置２０２は、タイミングＴ４２からＴＴＴ経過するまでに当該条件が満たされなくなると、測定結果通知を送信せず、レポートオフ状態へ遷移する（タイミングＴ４３）。
【０２７０】
以上のように、イベントＡ１〜Ａ５で説明したパラメータ、すなわちヒステリシスＨＳ、ＴＴＴおよびオフセットＯＳＴを調整すれば、無線端末装置２０２のハンドオーバ動作のタイミングを制御することが可能である。
【０２７１】
図１８は、本発明の実施の形態に係る無線通信システムにおいて、ヒステリシスＨＳの調整によるハンドオーバ動作のタイミング制御を示す図である。図１８は、イベントＡ３の場合を示す。
【０２７２】
図１８を参照して、ヒステリシスＨＳをゼロに設定した場合には、タイミングＴ５１においてレポ−トオン状態へ遷移し、タイミングＴ５３において測定結果通知が送信され、タイミングＴ５５においてレポートオフ状態へ遷移する。
【０２７３】
これに対して、ヒステリシスＨＳをゼロより大きく設定した場合には、タイミングＴ５１より後のタイミングＴ５２においてレポ−トオン状態へ遷移し、タイミングＴ５３より後のタイミングＴ５４において測定結果通知が送信され、タイミングＴ５５より後のタイミングＴ５６においてレポートオフ状態へ遷移する。
【０２７４】
すなわち、ヒステリシスＨＳを大きくすると、測定結果通知の送信タイミングすなわちハンドオーバ動作のタイミングを遅くすることができる。
【０２７５】
図１９は、本発明の実施の形態に係る無線通信システムにおいて、ＴＴＴの調整によるハンドオーバ動作のタイミング制御を示す図である。図１９は、イベントＡ３の場合を示す。
【０２７６】
図１９を参照して、ＴＴＴを小さく設定した場合には、タイミングＴ６２において測定結果通知が送信される。
【０２７７】
これに対して、ＴＴＴを大きく設定した場合には、タイミングＴ６１より後のタイミングＴ６３において測定結果通知が送信される。
【０２７８】
すなわち、ＴＴＴを大きくすると、測定結果通知の送信タイミングすなわちハンドオーバ動作のタイミングを遅くすることができる。
【０２７９】
図２０は、本発明の実施の形態に係る無線通信システムにおいて、オフセットＯＳＴの調整によるハンドオーバ動作のタイミング制御を示す図である。図２０は、イベントＡ３の場合を示す。
【０２８０】
図２０を参照して、オフセットＯＳＴをゼロに設定した場合には、タイミングＴ７１においてレポ−トオン状態へ遷移し、タイミングＴ７３において測定結果通知が送信され、タイミングＴ７６においてレポートオフ状態へ遷移する。
【０２８１】
これに対して、オフセットＯＳＴをゼロより小さく設定した場合には、タイミングＴ７１より後のタイミングＴ７２においてレポ−トオン状態へ遷移し、タイミングＴ７３より後のタイミングＴ７４において測定結果通知が送信され、タイミングＴ７６より前のタイミングＴ７５においてレポートオフ状態へ遷移する。
【０２８２】
すなわち、オフセットＯＳＴを小さくすると、測定結果通知の送信タイミングすなわちハンドオーバ動作のタイミングを遅くすることができる。
【０２８３】
以上のように、ヒステリシスＨＳを大きくするか、ＴＴＴを大きくするか、あるいはオフセットＯＳＴを小さくすることにより、ハンドオーバ動作のタイミングが遅くなる。すなわち、無線端末装置２０２がサービング基地局に接続される時間が長くなることから、”Ｔｏｏ  Ｅａｒｌｙ  ＨＯ”、”ＨＯ  ｔｏ  Ｗｒｏｎｇ  Ｃｅｌｌ”および”Ｐｉｎｇ  Ｐｏｎｇ  ＨＯ”の発生頻度が減り、”Ｔｏｏ  Ｌａｔｅ  ＨＯ”の発生頻度が増えることになる。
【０２８４】
ここで、ヒステリシスＨＳ、ＴＴＴおよびオフセットＯＳＴを調整する効果の違いについて考察する。
【０２８５】
いずれのパラメータを調整しても、ハンドオーバのタイミングを調整することができるが、これらの効果は、干渉を含む地形、および無線端末装置の移動速度等によって異なる。
【０２８６】
ヒステリシスＨＳおよびオフセットＯＳＴを調整することは、セルを仮想的に大きくしたり小さくしたりして、ハンドオーバの行なわれる位置を調整することに相当する。たとえば、サービングセルのヒステリシスＨＳを大きくすることにより、無線信号の受信電力を大きく見せて、他セルへのハンドオーバが行なわれにくくする。また、周辺セルのオフセットＯＳＴを負の値に設定することにより、周辺セルからの無線信号の受信電力を小さく見せて、他セルへのハンドオーバが行なわれにくくする。
【０２８７】
また、ヒステリシスＨＳおよびオフセットＯＳＴは、無線端末装置の移動速度による影響を受けにくいパラメータである。
【０２８８】
図２１は、本発明の実施の形態に係る無線通信システムにおける、各位置の無線信号の受信電力の一例を示す図である。
【０２８９】
図２１を参照して、受信電力が極大値となる位置Ｐ１，Ｐ３，Ｐ５では、ヒステリシスＨＳを調整することにより、ハンドオーバ動作のタイミングを調整することが好ましい。また、受信電力が極小値となる位置Ｐ２，Ｐ４，Ｐ６では、オフセットＯＳＴを調整することにより、ハンドオーバ動作のタイミングを調整することが好ましい。
【０２９０】
一方、ＴＴＴは、ハンドオーバ動作のタイミングを時間領域で遅らせることが可能なパラメータである。ＴＴＴを調整する場合には、ハンドオーバ動作のタイミングが電波環境および地形に依存しない代わりに、ハンドオーバの行なわれる位置が無線端末装置２０２の移動速度によって大きく変わることになる。たとえば、ＴＴＴを大きく設定しすぎると、高速で移動する無線端末装置では、周囲の電波環境の変化が大きいため、ハンドオーバの失敗が生じやすくなる。
【０２９１】
図２２は、本発明の実施の形態に係る無線通信システムにおいて、ハンドオーバ動作のタイミングを制御するためのパラメータの他の例を説明するための図である。
【０２９２】
図２２を参照して、無線端末装置２０２は、たとえばギャップＭＧの時間間隔で、無線基地局装置から送信される無線信号の受信電力を測定する。
【０２９３】
ギャップＭＧを大きくする場合には、より過去の受信電力がハンドオーバの判断に用いられることになるため、ハンドオーバ動作のタイミングが遅くなる。一方、ギャップＭＧを小さくする場合には、より最近の受信電力がハンドオーバの判断に用いられることになるため、ハンドオーバ動作のタイミングが早くなる。
【０２９４】
ギャップＭＧを小さくすることにより、より最近の受信電力に基づいた適切なハンドオーバを行なうことが可能となる。一方、ギャップＭＧを大きくすることにより、無線端末装置２０２の処理負荷を低減することができる。
【０２９５】
また、無線端末装置２０２は、たとえば、時刻（ｔ−１）において測定した受信電力Ｍ（ｔ−１）、時刻（ｔ−１）より後の時刻ｔにおいて測定した受信電力Ｍ（ｔ）およびフィルタリング係数αから、以下の式で表される受信電力ＭＲ（ｔ）を算出する。
ＭＲ（ｔ）＝α×Ｍ（ｔ−１）＋（１−α）×Ｍ（ｔ）
【０２９６】
無線端末装置２０２は、受信電力ＭＲ（ｔ）を示す測定結果通知を無線基地局装置へ送信する。
【０２９７】
フィルタリング係数αを大きくする場合には、より過去の受信電力が測定結果通知に反映されることになるため、ハンドオーバ動作のタイミングが遅くなる。一方、フィルタリング係数αを小さくする場合には、より最近の受信電力が測定結果通知に反映されることになるため、ハンドオーバ動作のタイミングが早くなる。
【０２９８】
ここで、無線基地局装置から無線端末装置２０２へ送信される測定開始要求（Measurement Configuration）およびＲＲＣコネクション再構成指示（RRC Connection Reconfiguration）には、たとえば、周辺セルごとにオフセットＯＳＴが設定され、イベントＡ１〜Ａ５のうちの少なくとも１つが設定され、設定イベントに対応するヒステリシスＨＳおよびＴＴＴが設定される。また、測定開始要求には、サービングセルごとにギャップＭＧおよびフィルタリング係数αが設定される。
【０２９９】
［接続確立状態における無線端末装置の移動状態の検出処理］
図２３は、本発明の実施の形態に係る無線通信システムにおいて、接続確立状態の無線端末装置が移動状態の検出処理を行う際の動作手順を定めたフローチャートである。
【０３００】
無線端末装置２０２は、たとえば無線基地局装置１０１へのハンドオーバ動作を行った後、当該ハンドオーバ動作において無線基地局装置１０１から受信したＲＲＣコネクション再構成指示に含まれる移動状態パラメータ（MobilityStateParameters）に基づいて、自己の移動状態の推定処理を行うことが可能である。
【０３０１】
そして、無線端末装置２０２は、自己の移動状態の推定処理の結果に基づいて、自己の移動状態を通常移動状態（Normal-mobility State）、高速移動状態（High-mobility State）または中速移動状態（Medium-mobility State）に設定する。
【０３０２】
図２３を参照して、まず、無線端末装置２０２は、ハンドオーバ動作の実行回数をカウントする期間を計測するためにタイマを用いる。無線端末装置２０２は、タイマの計測時間を移動状態パラメータにおけるt-Evaluationに設定し、当該タイマを始動させる（ステップＳ２０２）。
【０３０３】
次に、無線端末装置２０２は、タイマを始動させてからタイマが満了するまでの間、ハンドオーバ動作の実行回数をカウントする（ステップＳ２０４）。
【０３０４】
次に、無線端末装置２０２は、カウントしたハンドオーバ動作の実行回数が移動状態パラメータに含まれるn-CellChangeHigh以上となる場合（ステップＳ２０６でＹＥＳ）、自己の移動状態を高速移動状態に設定する（ステップＳ２０８）。
【０３０５】
一方、無線端末装置２０２は、カウントしたハンドオーバ動作の実行回数が上記n-CellChangeHigh未満であり（ステップＳ２０６でＮＯ）、かつ移動状態パラメータに含まれるn-CellChangeMedium以上となる場合（ステップＳ２１０でＹＥＳ）、自己の移動状態を中速移動状態に設定する（ステップＳ２１２）。
【０３０６】
一方、無線端末装置２０２は、カウントしたハンドオーバ動作の実行回数が上記n-CellChangeMedium未満となる場合（ステップＳ２１０でＮＯ）、タイマが満了しているか否かを確認する（ステップＳ２１４）。
【０３０７】
無線端末装置２０２は、タイマが満了していない場合、すなわちタイマを始動させてからt-Evaluationに相当する時間が経過していない場合（ステップＳ２１４でＮＯ）、引き続きハンドオーバ動作の実行回数をカウントする（ステップＳ２０４）。
【０３０８】
一方、無線端末装置２０２は、タイマが満了していた場合、すなわちタイマを始動させてからt-Evaluationに相当する時間が経過した場合（ステップＳ２１４でＹＥＳ）、自己の移動状態を通常移動状態に設定する（ステップＳ２１６）。
【０３０９】
以上の動作により、無線端末装置２０２が、接続確立状態において、たとえばt-Evaluationにより示される所定時間内におけるハンドオーバ動作の実行回数に基づいて、自己の移動状態を推定する。
【０３１０】
［アイドル状態における無線端末装置の移動状態の検出処理］
図２４は、本発明の実施の形態に係る無線通信システムにおいて、アイドル状態の無線端末装置が移動状態の検出処理を行う際の動作手順を定めたフローチャートである。
【０３１１】
無線端末装置２０２は、たとえば無線基地局装置１０１から受信したＲＲＣコネクション再構成指示に含まれる移動状態パラメータに基づいて、自己の移動状態の推定処理を行うことが可能である。
【０３１２】
そして、無線端末装置２０２は、自己の移動状態の推定処理の結果に基づいて、自己の移動状態を通常移動状態（Normal-mobility State）、高速移動状態（High-mobility State）または中速移動状態（Medium-mobility State）に設定する。
【０３１３】
図２４を参照して、まず、無線端末装置２０２は、セル再選択動作の実行回数をカウントする期間を測定するためにタイマを用いる。無線端末装置２０２は、タイマの計測時間を移動状態パラメータにおけるt-Evaluationに設定し、当該タイマを始動させる（ステップＳ２４２）。
【０３１４】
次に、無線端末装置２０２は、タイマを始動させてからタイマが満了するまでの間、セル再選択動作の実行回数をカウントする（ステップＳ２４４）。
【０３１５】
次に、無線端末装置２０２は、カウントしたセル再選択動作の実行回数が移動状態パラメータに含まれるn-CellChangeHigh以上となる場合（ステップＳ２４６でＹＥＳ）、自己の移動状態を高速移動状態に設定する（ステップＳ２４８）。
【０３１６】
一方、無線端末装置２０２は、カウントしたセル再選択動作の実行回数が上記n-CellChangeHigh未満であり（ステップＳ２４６でＮＯ）、かつ移動状態パラメータに含まれるn-CellChangeMedium以上となる場合（ステップＳ２５０でＹＥＳ）、自己の移動状態を中速移動状態に設定する（ステップＳ２５２）。
【０３１７】
一方、無線端末装置２０２は、カウントしたセル再選択動作の実行回数が上記n-CellChangeMedium未満となる場合（ステップＳ２５０でＮＯ）、タイマが満了しているか否かを確認する（ステップＳ２５４）。
【０３１８】
無線端末装置２０２は、タイマが満了していない場合、すなわちタイマを始動させてからt-Evaluationに相当する時間が経過していない場合（ステップＳ２５４でＮＯ）、引き続きセル再選択動作の実行回数をカウントする（ステップＳ２４４）。
【０３１９】
一方、無線端末装置２０２は、タイマが満了していた場合、すなわちタイマを始動させてからt-Evaluationに相当する時間が経過した場合（ステップＳ２５４でＹＥＳ）、自己の移動状態を通常移動状態に設定する（ステップＳ２５６）。
【０３２０】
以上の動作により、無線端末装置２０２は、アイドル状態において、たとえばt-Evaluationにより示される所定時間内におけるセル再選択動作の実行回数に基づいて、自己の移動状態を推定する。
【０３２１】
［検出した移動状態に応じたハンドオーバ動作のタイミング調整］
図２５は、本発明の実施の形態に係る無線通信システムにおいて、接続確立状態の無線端末装置がハンドオーバ動作のタイミング調整を行う際の動作手順を定めたフローチャートである。
【０３２２】
無線端末装置２０２は、接続確立状態において、推定した自己の移動状態に基づいて、ハンドオーバ動作のタイミング調整を行うことが可能である。
【０３２３】
図２５に示す動作は、たとえば無線基地局装置１０１によって無線端末装置２０２にイベントＡ３が設定された状態において、当該無線端末装置２０２がイベントＡ３におけるレポートオン状態へ遷移したときに起動される。
【０３２４】
図２５を参照して、まず、無線端末装置２０２は、自己の移動状態が高速移動状態である場合（ステップＳ２８２でＹＥＳ）、自己が保持するＴＴＴにスケール因子であるsf-Highを乗ずる（ステップＳ２８４）。
【０３２５】
一方、無線端末装置２０２は、自己の移動状態が高速移動状態でなく（ステップＳ２８２でＮＯ）、中速移動状態である場合（ステップＳ２８６でＹＥＳ）、自己が保持するＴＴＴにスケール因子であるsf-Mediumを乗ずる（ステップＳ２８８）。
【０３２６】
また、無線端末装置２０２は、自己の移動状態が中速移動状態でない場合（ステップＳ２８６でＮＯ）、自己が保持するＴＴＴに対して何もしない（ステップＳ２９０）。
【０３２７】
以上の動作により、無線端末装置２０２は、ＴＴＴの調整によるハンドオーバ動作のタイミング調整を行う。
【０３２８】
無線端末装置２０２は、レポートオン状態へ遷移した後、たとえば無線基地局装置１０１Ｂから送信される無線信号の受信電力がサービング基地局である無線基地局装置１０１Ａから送信される無線信号の受信電力より大きい状態がＴＴＴに相当する時間継続すると、測定した受信電力を示す測定結果通知をサービング基地局へ送信する。
【０３２９】
また、無線端末装置２０２は、上記ステップＳ２８４において、自己が保持するＴＴＴにスケール因子であるsf-Highを乗ずる。sf-Highは、たとえば０．２５、０．５０、０．７５または１．００の値をとり、無線基地局装置１０１から予め通知されている。たとえば、０．２５、０．５０または０．７５の値に設定されたsf-Highを乗じたＴＴＴは、乗じる前のＴＴＴより小さくなる。
【０３３０】
また、無線端末装置２０２は、上記ステップＳ２８８において、自己が保持するＴＴＴにスケール因子であるsf-Mediumを乗ずる。sf-Mediumは、たとえば０．２５、０．５０、０．７５または１．００の値をとり、無線基地局装置１０１から予め通知されている。たとえば、０．２５、０．５０または０．７５の値に設定されたsf-Mediumを乗じたＴＴＴは、乗じる前のＴＴＴより小さくなる。
【０３３１】
従って、たとえば高速移動状態において０．２５がＴＴＴに乗じられ、また、中速移動状態において０．５０がＴＴＴに乗じられると、高速移動状態または中速移動状態におけるＴＴＴは、通常移動状態におけるＴＴＴと比べて小さくなる。このため、無線端末装置２０２は、高速移動状態または中速移動状態にある場合、通常移動状態にある場合と比べてより早いタイミングで測定結果通知をサービング基地局へ送信する。
【０３３２】
サービング基地局は、無線端末装置２０２から受信した測定結果通知に基づいて、ハンドオーバすべきか否かを判断するので、無線端末装置２０２は、推定した自己の移動状態に基づいてＴＴＴを小さくすることにより、ハンドオーバ動作のタイミングを早めることが可能となる。
【０３３３】
［検出した移動状態に応じたセル再選択動作のタイミング調整］
図２６は、本発明の実施の形態に係る無線通信システムにおいて、アイドル状態の無線端末装置がセル再選択動作のタイミング調整を行う際の動作手順を定めたフローチャートである。
無線端末装置２０２は、アイドル状態において推定した自己の移動状態に基づいて、セル再選択動作のタイミング調整を行うことが可能である。
【０３３４】
より詳細には、無線端末装置２０２は、サービング基地局から送信される無線信号の受信電力、および他の無線基地局装置１０１から送信される無線信号の受信電力を比較する際に、サービング基地局から送信される無線信号の受信電力に、無線基地局装置１０１から通知されたQhystを加える。
【０３３５】
このQhystの値が正の値である場合、無線端末装置２０２は、サービング基地局から送信される無線信号の受信電力を実際より大きく判断するので、他の無線基地局装置１０１へのセル再選択が起こりにくくなる。
【０３３６】
一方、Qhystの値が負の値である場合、無線端末装置２０２は、サービング基地局から送信される無線信号の受信電力を実際より小さく判断するので、他の無線基地局装置１０１へのセル再選択が起こりやすくなる。
【０３３７】
無線端末装置２０２は、このQhystの値を変化させることにより、セル再選択動作のタイミングを調整することが可能である。
【０３３８】
図２６に示す動作は、たとえば無線端末装置２０２の移動状態が高速移動状態、中速移動状態、または通常移動状態のいずれかの状態へ遷移したときに起動される。
【０３３９】
図２６を参照して、まず、無線端末装置２０２は、自己の移動状態が高速移動状態である場合（ステップＳ３２２でＹＥＳ）、パラメータq-HystSFに含まれるスケール因子であるsf-Highを、自己が保持するQhystに加算する（ステップＳ３２４）。
【０３４０】
一方、無線端末装置２０２は、自己の移動状態が高速移動状態でなく（ステップＳ３２２でＮＯ）、中速移動状態である場合（ステップＳ３２６でＹＥＳ）、パラメータq-HystSFに含まれるスケール因子であるsf-Mediumを、自己が保持するQhystに加算する（ステップＳ３２８）。
【０３４１】
また、無線端末装置２０２は、自己の移動状態が中速移動状態でない場合（ステップＳ３２６でＮＯ）、自己が保持するQhystに対して何もしない（ステップＳ３３０）。
【０３４２】
以上の動作により、無線端末装置２０２は、Qhystの調整によるセル再選択動作のタイミング調整を行う。
【０３４３】
無線端末装置２０２は、上記ステップＳ３２４において、無線基地局装置１０１から通知されたQhystにスケール因子であるsf-Highを加算する。sf-Highは、たとえば−６ｄＢ、−４ｄＢ、−２ｄＢまたは０ｄＢの値をとり、無線基地局装置１０１から予め通知されている。たとえば、−６ｄＢ、−４ｄＢまたは−２ｄＢの値に設定されたsf-Highを加算したQhystは、加える前のQhystより小さくなる。
【０３４４】
また、無線端末装置２０２は、上記ステップＳ３２８において、無線基地局装置１０１から通知されたQhystにスケール因子であるsf-Mediumを加算する。sf-Mediumは、たとえば−６ｄＢ、−４ｄＢ、−２ｄＢまたは０ｄＢの値をとり、無線基地局装置１０１から予め通知されている。たとえば、−６ｄＢ、−４ｄＢまたは−２ｄＢの値に設定された、sf-Mediumを加算したQhystは、加える前のQhystより小さくなる。
【０３４５】
従って、たとえば高速移動状態において−６ｄＢがQhystに加算され、また、中速移動状態において−４ｄＢがQhystに加算されると、高速移動状態または中速移動状態におけるQhystは、通常移動状態におけるQhystと比べて小さくなる。このため、無線端末装置２０２は、高速移動状態または中速移動状態にある場合、通常移動状態にある場合と比べてより早いタイミングで他の無線基地局装置１０１へのセル再選択動作を開始することが可能となる。
【０３４６】
［ヘテロジーニアスネットワークにおける移動動作において発生する問題点］
図２７は、本発明の実施の形態に係る無線通信システムにおいて、複数の無線基地局装置が形成する各セル間を無線端末装置が移動する際の移動経路の一例を示す図である。
【０３４７】
図２７を参照して、無線基地局装置１０１Ａ，１０１Ｂは、たとえばマクロ基地局であり、それぞれマクロセルＭＣＡ，ＭＣＢを形成する。また、無線基地局装置１０１Ｄは、たとえばピコ基地局であり、ピコセルＰＣＤを形成する。ピコセルＰＣＤは、マクロセルＭＣＡに含まれる。
【０３４８】
無線端末装置２０２Ａが、たとえば地点Ｓから経路Ｐを経由して地点Ｅ１へ移動する。また、無線端末装置２０２Ｂが、地点Ｓから経路Ｑを経由して地点Ｅ２へ移動する場合を想定する。すなわち、無線端末装置２０２Ａは、マクロセルからマクロセルへの移動動作を行い、無線端末装置２０２Ｂは、マクロセルからピコセルへの移動動作を行う。
【０３４９】
なお、無線端末装置２０２Ａおよび無線端末装置２０２Ｂは、地点Ｓにおいて同じ移動状態にあり、当該移動状態を変えずに地点Ｓから地点Ｅ１または地点Ｅ２まで同じ速度でそれぞれ移動するとする。また、無線端末装置２０２Ａおよび無線端末装置２０２Ｂには、イベントＡ３が設定されているとする。
【０３５０】
無線端末装置２０２Ａは、マクロ基地局である無線基地局装置１０１Ａが形成するマクロセルＭＣＡの圏内である地点Ｓを出発すると、地点Ｅ１に到着する前に、マクロセルＭＣＢの圏内へ入る（ステップＳ３５２）。
【０３５１】
この際、無線端末装置２０２Ａは、無線基地局装置１０１Ｂを含む複数の無線基地局装置１０１により送信される無線信号の受信電力を測定しながら移動する。そして、無線端末装置２０２Ａは、たとえば無線基地局装置１０１Ｂにより送信される無線信号の受信電力が、無線基地局装置１０１Ａにより送信される無線信号の受信電力を上回る等の所定条件を満たすと、イベントＡ３におけるレポートオン状態へ遷移する。
【０３５２】
無線端末装置２０２Ａは、レポートオン状態へ遷移した後、自己の移動状態に応じたスケール因子を自己が保持するＴＴＴに対して乗ずることにより、たとえばマクロ基地局へのハンドオーバ動作を適切なタイミングで実行可能な値のＴＴＴ−Ｍを設定する。
【０３５３】
そして、無線端末装置２０２Ａは、ＴＴＴ−Ｍに相当する時間、上記所定条件を満たし続けると、測定した受信電力を示す測定結果通知を無線基地局装置１０１Ａへ送信する。
【０３５４】
次に、無線基地局装置１０１Ａは、受信した測定結果通知に基づいて、無線端末装置２０２Ａをハンドオーバすべきか否かを判断し、ハンドオーバすべきと判断すると、たとえば無線端末装置２０２Ａを無線基地局装置１０１Ｂへハンドオーバさせる（ステップＳ３５４）。
【０３５５】
これにより、たとえば領域ＡＰ１においてハンドオーバ動作が実行され、無線端末装置２０２Ａの接続先は、無線基地局装置１０１Ａから無線基地局装置１０１Ｂへ変更される。
【０３５６】
次に、無線端末装置２０２Ａは、当該ハンドオーバ動作の完了後、マクロセルＭＣＡの圏内を脱し、地点Ｅ１へ到着する（ステップＳ３５６）。
【０３５７】
一方、無線端末装置２０２Ｂは、マクロ基地局である無線基地局装置１０１Ａが形成するマクロセルＭＣＡの圏内である地点Ｓを出発すると、まず、ピコ基地局である無線基地局装置３０１Ｄが形成するピコセルＰＣＤの圏内へ進入する（ステップＳ３５８）。
【０３５８】
この際、無線端末装置２０２Ｂは、無線基地局装置１０１Ｄを含む複数の無線基地局装置１０１により送信される無線信号の受信電力を測定しながら移動する。そして、無線端末装置２０２Ｂは、たとえば無線基地局装置１０１Ｄにより送信される無線信号の受信電力が無線基地局装置１０１Ａにより送信される無線信号の受信電力を上回る等の所定条件を満たすと、イベントＡ３におけるレポートオン状態へ遷移する。
【０３５９】
無線端末装置２０２Ｂは、レポートオン状態へ遷移した後、自己の移動状態に応じたスケール因子を自己が保持するＴＴＴに対して乗ずることにより、たとえばマクロ基地局へのハンドオーバ動作を適切なタイミングで実行可能な値のＴＴＴ−Ｍを設定する。
【０３６０】
そして、無線端末装置２０２Ｂにおいて、たとえば後述する理由により、無線端末装置２０２Ｂおよび無線基地局装置１０１Ａ間の無線リンク断（ＲＬＦ）、または無線基地局装置１０１Ｄにより送信される無線信号の無線端末装置２０２Ｂにおける強い干渉に起因する不適切なハンドオーバが発生してしまう（ステップＳ３６０）。
【０３６１】
すなわち、無線基地局装置１０１Ｂは、不適切なハンドオーバ動作により領域ＡＱ１において無線基地局装置１０１Ａとの通信接続が途切れてしまい、いずれの無線基地局装置１０１とも通信接続していない状態となる。
【０３６２】
次に、無線端末装置２０２Ｂは、たとえばＲＲＣコネクション再確立要求を無線基地局装置１０１Ｄへ送信することにより無線基地局装置１０１Ｄとの通線接続を確立し（ステップＳ３６２）、地点Ｅ２へ到着する（ステップＳ３６４）。
【０３６３】
図２８は、本発明の実施の形態に係る無線通信システムにおいて、移動する無線端末装置における無線信号の受信電力の時間変化の一例を示す図である。
図２８の（Ａ）は、無線端末装置２０２Ａが、地点Ｓから経路Ｐを経由して地点Ｅ１へ移動する際における、無線基地局装置１０１Ａおよび無線基地局装置１０１Ｂにより送信される無線信号の、無線端末装置２０２Ａにおける受信電力の時間変化を示す。
【０３６４】
また、図２８の（Ｂ）は、無線端末装置２０２Ｂが、地点Ｓから経路Ｑを経由して地点Ｅ２へ移動する際における、無線基地局装置１０１Ａおよび無線基地局装置１０１Ｄにより送信される無線信号の、無線端末装置２０２Ｂにおける受信電力の時間変化を示す。
【０３６５】
図２８の（Ａ）を参照して、無線端末装置２０２Ａは、たとえば時刻ＴＡ１において、無線基地局装置１０１Ｂにより送信される無線信号の受信電力が無線基地局装置１０１Ａにより送信される無線信号の受信電力を上回り、イベントＡ３におけるレポートオン状態へ遷移する。
【０３６６】
次に、無線端末装置２０２Ａは、時刻ＴＡ１からＴＴＴ−Ｍに相当する時間が経過した時刻ＴＡ２において、測定結果通知を無線基地局装置１０１Ａへ送信する。
【０３６７】
次に、無線基地局装置１０１Ａは、受信した測定結果通知に基づいて、たとえば時刻ＴＡ３において無線端末装置２０２Ａを自己から無線基地局装置１０１Ｂへハンドオーバさせる（ステップＳ３５４）。
【０３６８】
なお、無線基地局装置１０１Ａおよび無線基地局装置１０１Ｂは、マクロ基地局であるため、上記マクロ基地局により送信される無線信号の無線端末装置２０２Ａにおける受信電力の時間変化は小さい。また、無線端末装置２０２Ａは、同じ速度で移動すると想定しているので、上記マクロ基地局により送信される無線信号の無線端末装置２０２Ａにおける受信電力の、当該無線端末装置２０２Ａの位置に対する変化が小さいと言い換えてもよい。
【０３６９】
一方、図２８の（Ｂ）を参照して、無線端末装置２０２Ｂは、たとえば時刻ＴＢ１において、無線基地局装置１０１Ｄにより送信される無線信号の受信電力が無線基地局装置１０１Ａにより送信される無線信号の受信電力を上回り、イベントＡ３におけるレポートオン状態へ遷移する。
【０３７０】
次に、無線端末装置２０２Ｂは、時刻ＴＢ１からＴＴＴ−Ｍに相当する時間が経過する前に、たとえば時刻ＴＢ２において無線基地局装置１０１ＡとのＲＬＦが発生してしまう（ステップＳ３６０）。
【０３７１】
無線基地局装置１０１Ｄは、小型基地局であるため、無線基地局装置１０１Ｄにより送信される無線信号の無線端末装置２０２Ｂにおける受信電力の時間変化は大きい。また、無線端末装置２０２Ｂは、同じ速度で移動すると想定しているので、小型基地局により送信される無線信号の無線端末装置２０２Ｂにおける受信電力の、当該無線端末装置２０２Ｂの位置に対する変化が大きいと言い換えてもよい。
【０３７２】
すなわち、無線端末装置２０２Ｂが測定結果通知を無線基地局装置１０１Ａへ送信する予定時刻である時刻ＴＢ３までに、無線端末装置２０２Ｂにおいて、小型基地局である無線基地局装置１０１Ｄにより送信される無線信号の受信電力が、マクロ基地局である無線基地局装置１０１Ａにより送信される無線信号の受信電力を大きく上回ってしまう。
【０３７３】
このため、無線端末装置２０２Ｂにおいて、無線基地局装置１０１Ｄにより送信される無線信号が大きく干渉し、無線端末装置２０２Ｂおよび無線基地局装置１０１Ａの通信接続が切断されてしまう。
【０３７４】
また、たとえば、上記ＲＬＦの発生が回避され、無線端末装置２０２Ｂが、時刻ＴＢ３において測定結果通知を無線基地局装置１０１Ａへ送信しても、無線基地局装置１０１Ａおよび無線基地局装置１０１Ｄにより送信される無線信号の無線端末装置２０２Ｂにおける受信電力の差が大きいため、”Ｐｉｎｇ  Ｐｏｎｇ  ＨＯ”が発生する可能性が高い。
【０３７５】
これは、ＴＴＴ−Ｍは、マクロ基地局へのハンドオーバ動作を適切なタイミングで実行可能な値であるので、小型基地局へ移動する無線端末装置２０２Ｂに対してＴＴＴ−Ｍを設定したことが、上記不適切なハンドオーバ動作の原因である。
【０３７６】
なお、上記の例では、無線端末装置２０２が通信接続状態のまま移動するハンドオーバ動作について想定したが、無線端末装置２０２がアイドル状態のまま選択先のセルを変更しながら移動するセル再選択動作についても、ハンドオーバ動作をセル再選択動作に置き換えることにより、同様に議論できる。
【０３７７】
すなわち、無線端末装置２０２Ｂは、遅すぎるタイミングでセル再選択動作を行うことにより、圏外状態になってしまう場合がある。このため、無線端末装置２０２Ｂは、セルに在圏するために、無線基地局装置１０１からの無線信号の周波数を検索する等の処理を実行し直す必要があり、無線端末装置２０２Ｂの消費電力の増大およびユーザの使用感の悪化等、種々の問題が生じる。
【０３７８】
しかしながら、非特許文献１に記載の技術に従って無線端末装置２０２の上記パラメータの設定処理を行う場合、ターゲット基地局が小型基地局であるかマクロ基地局であるかの種別を考慮せずに、移動状態のみに基づいて無線端末装置２０２のパラメータを設定する。
【０３７９】
このため、無線端末装置２０２Ａおよび無線端末装置２０２Ｂが同じ速度で移動しているにも関わらず、ターゲット基地局の種別が異なる場合、上記のように無線端末装置２０２Ｂにおいて不適切なハンドオーバ動作が発生してしまう。
【０３８０】
そこで、本発明の実施の形態に係る無線端末装置２０２および無線基地局装置１０１では、以下の構成および動作により、無線端末装置２０２の移動状態を推定するだけでなく、移動先の無線基地局装置であるターゲット基地局の種別に応じてＴＴＴ等の移動動作の実行判断に関わるパラメータを適切に設定することにより、ヘテロジーニアスネットワークにおける上記問題を解決する。
【０３８１】
［無線端末装置の構成］
図２９は、本発明の実施の形態に係る無線端末装置の構成を示す図である。
図２９を参照して、無線端末装置２０２は、アンテナ８１と、サーキュレータ８２と、無線受信部８３と、無線送信部８４と、信号処理部８５と、制御部８８と、入出力部８９とを備える。信号処理部８５は、受信信号処理部８６と、送信信号処理部８７とを含む。信号処理部８５、制御部８８、および入出力部８９は、ＣＰＵ（Central Processing Unit）またはＤＳＰ（Digital Signal Processor）等によって実現される。
【０３８２】
サーキュレータ８２は、アンテナ８１において受信されたマクロ基地局、ピコ基地局またはフェムト基地局である無線基地局装置１０１からの無線信号を無線受信部８３へ出力し、また、無線送信部８４から受けた無線信号をアンテナ８１へ出力する。
【０３８３】
無線受信部８３は、サーキュレータ８２から受けた無線信号をベースバンド信号またはＩＦ（Intermediate Frequency）信号に周波数変換し、この周波数変換した信号をデジタル信号に変換して受信信号処理部８６へ出力する。
【０３８４】
受信信号処理部８６は、無線受信部８３から受けたデジタル信号に対してＯＦＤＭ（Orthogonal Frequency Division Multiplex）方式におけるＦＦＴ（Fast Fourier Transform）等の信号処理を行ない、この信号処理後のデジタル信号の一部または全部を所定のフレームフォーマットに変換し、制御部８８へ送信する。
【０３８５】
送信信号処理部８７は、制御部８８から受信した通信データを所定のフレームフォーマットに変換した通信データ、または自ら生成した通信データに対してＣＤＭＡ（Code Division Multiple Access）方式における拡散処理等の信号処理を行ない、この信号処理後のデジタル信号を無線送信部８４へ出力する。
【０３８６】
無線送信部８４は、送信信号処理部８７から受けたデジタル信号をアナログ信号に変換し、変換したアナログ信号を無線信号に周波数変換してサーキュレータ８２へ出力する。
【０３８７】
制御部８８は、受信信号処理部８６から受信したフレームフォーマットに格納されたデジタル信号を、たとえば音声データおよび映像データに変換し、必要であるならアナログ信号に変換したのち、スピーカ、マイク、ディスプレイおよびキー入力装置により構成される入出力部８９へ送信する。
【０３８８】
また、制御部８８は、たとえば音声データおよびキー入力装置において受け付けた無線端末装置２０２を制御するための制御信号等を入出力部８９から受信する。そして、制御部８８は、必要に応じて受信した音声データおよび制御信号の一部を処理し、処理した音声データおよび制御信号を他の無線端末装置２０２へ送信するために所定のフレームフォーマットに変換する。
【０３８９】
また、制御部８８は、無線端末装置２０２における各ユニットとの間で各種情報をやり取りする。
【０３９０】
図３０は、本発明の実施の形態に係る無線端末装置における制御部の構成を示す図である。
図３０を参照して、制御部８８は、カウント部１１と、移動状態推定部１２と、報知情報取得部（基地局リスト取得部）１３と、設定部１４と、タイマ１５と、受信電力測定部（受信電力報告部）１６と、通知部（受信電力報告部）１７とを含む。
【０３９１】
タイマ１５は、計測時間を設定して始動させると、設定した計測時間が経過するまで継続して作動する。タイマ１５の作動状態を確認することにより、当該タイマ１５を始動してから計測時間が経過したかどうかを知ることができる。
【０３９２】
カウント部１１は、自己の無線端末装置２０２の移動動作の実行回数をカウントする。具体的には、カウント部１１は、たとえば自己の無線端末装置２０２が接続確立状態にある場合、通信接続先の無線基地局装置１０１からＲＲＣコネクション再構成指示を受信する回数をカウントする。
【０３９３】
また、カウント部１１は、たとえば自己の無線端末装置２０２がアイドル状態にある場合、端末登録処理であるアタッチ処理を実行する回数をカウントする。
【０３９４】
移動状態推定部１２は、カウント部１１によってカウントされた移動動作の実行回数に基づいて、自己の無線端末装置２０２の移動状態を推定する。
【０３９５】
具体的には、移動状態推定部１２は、たとえばハンドオーバ動作において受信したＲＲＣコネクション再構成指示に含まれる移動状態パラメータのt-Evaluationをタイマ１５の計測時間に設定し、当該タイマ１５を始動させる。この際、移動状態推定部１２は、カウント部１１により計測される移動動作の実行回数をゼロにリセットする。
【０３９６】
そして、移動状態推定部１２は、タイマ１５を始動させてからタイマ１５が満了するまで、カウント部１１により計測される移動動作の実行回数を監視する。
【０３９７】
たとえば、無線端末装置２０２の移動速度が大きい場合、当該無線端末装置２０２の移動動作の実行回数が多くなるので、移動状態推定部１２は、上記実行回数の大きい順に、自己の移動状態をたとえば高速移動状態、中速移動状態または通常移動状態のいずれかのレベルに設定する。
【０３９８】
報知情報取得部１３は、無線基地局装置１０１の種別に関する情報を含む報知情報を取得し、取得した報知情報を設定部１４へ出力する。具体的には、報知情報取得部１３は、無線基地局装置１０１が保持する周辺基地局リストを、たとえば自己の無線端末装置２０２が通信相手として選択している無線基地局装置１０１であるサービング基地局が送信する報知情報から取得する。
【０３９９】
また、報知情報取得部１３は、当該周辺基地局リストを、たとえばサービング基地局以外の他の無線基地局装置１０１が送信する報知情報から取得してもよい。
【０４００】
図３１は、本発明の実施の形態に係る無線通信システムにおける、周辺セル情報の一例を示す図である。
図３２は、本発明の実施の形態に係る無線通信システムにおける、基地局種別リストおよびスモールセルリストの一例を示す図である。
【０４０１】
周辺基地局リストは、少なくとも無線基地局装置１０１の種別に関する情報を含んでおり、具体的には、たとえば周辺セル情報、基地局種別リストおよびスモールセルリストである。
【０４０２】
図３１を参照して、周辺セル情報には、たとえば同一周波数帯周辺セル情報（IntraFreqNeighCellInfo）において、周辺基地局のＩＤ（physCellID）により示される無線基地局装置１０１が、ピコ基地局またはフェムト基地局等の小型基地局であるか否かを示す種別（smallCell）が含まれる。当該周辺セル情報は、たとえば報知情報におけるＳＩＢ４（SystemInformationBlockType4）に含まれる。
【０４０３】
また、図３２を参照して、図３２の（Ａ）に示す基地局種別リスト４１は、たとえば、無線基地局装置１０１の「ＩＤ」と、当該無線基地局装置１０１の「種別」との対応関係を示す。また、図３２の（Ｂ）に示すスモールセルリスト４２は、小型基地局のＩＤである「小型基地局ＩＤ」を含む。
【０４０４】
また、報知情報取得部１３は、以下に示す報知情報を取得し、取得した報知情報を設定部１４へ出力してもよい。すなわち、報知情報取得部１３は、報知情報に含まれるＳＩＢ１（SystemInformationBlockType1）における、スケジューリング情報を参照し、小型基地局名であるhnb-Name（home eNB Name）を含むＳＩＢ９（SystemInformationBlockType9）を報知情報から取得する。
【０４０５】
また、報知情報取得部１３は、報知情報に含まれるＲＲＣ情報（Radio Resource Control Information Elements）における、参照信号電力（referenceSignalPower）を含むPDSCH（Physical Downlink Shared CHannel）-Configを取得する。
【０４０６】
設定部１４は、移動状態推定部１２によって推定された移動状態、および周辺基地局の種別に基づいて、自己の無線端末装置２０２の移動動作の実行判断に関わる自己の無線端末装置２０２の設定、すなわち当該実行判断に影響する自己の無線端末装置２０２の設定を行う。
【０４０７】
具体的には、設定部１４は、自己の無線端末装置２０２がアイドル状態にある場合、以下の処理を行う。すなわち、設定部１４は、たとえば報知情報取得部１３により取得された周辺セル情報、基地局種別リスト４１またはスモールセルリスト４２等を参照し、周辺基地局の種別を判断する。
【０４０８】
また、設定部１４は、報知情報取得部１３から受けたＳＩＢ９における小型基地局名であるhnb-Nameを参照し、当該hnb-Nameおよび周辺基地局の名前を照合することにより、当該周辺基地局の種別を判断する。
【０４０９】
また、設定部１４は、報知情報取得部１３から受けたPDSCH-Configにおける参照信号電力に基づいて、以下の処理を行なう。すなわち、マクロ基地局が形成するマクロセルの大きさは半径数百メートルから数十キロメートルであり、ピコ基地局またはフェムト基地局等の小型基地局が形成するセルの大きさは１０〜２００ｍである。これは、マクロ基地局が送信する無線信号の送信電力、および小型基地局が送信する無線信号の送信電力の大きさが大きく異なるためである。従って、設定部１４は、当該参照信号電力に基づいて、周辺基地局の種別を判定することが可能となる。
【０４１０】
そして、設定部１４は、自己の無線端末装置２０２の移動状態のレベルおよび周辺基地局の種別に基づいて、たとえば他の無線基地局装置１０１へのセル再選択動作の実行判断に影響を与えるQhystに加算するスケール因子を変更する。
【０４１１】
また、たとえば、設定部１４は、自己の無線端末装置２０２が接続確立状態にある場合、移動状態推定部１２によって推定された移動状態、および周辺基地局の種別に基づいて、自己の無線端末装置２０２のハンドオーバ動作の実行判断に関わる自己の無線端末装置２０２の動作に関する設定、すなわち当該実行判断に影響する自己の無線端末装置２０２の動作に関する設定を行う。
【０４１２】
具体的には、設定部１４は、自己の無線端末装置２０２の移動状態のレベルおよび周辺基地局の種別に基づいて、たとえばハンドオーバ動作のタイミングに影響を与えるＴＴＴに乗ずるスケール因子を変更する。
【０４１３】
また、たとえば、設定部１４は、周辺基地局に所定種別の無線基地局装置１０１が含まれるか否かと、移動状態との組み合わせに応じて上記設定を変更する。
【０４１４】
具体的には、設定部１４は、周辺基地局に小型基地局が含まれる場合、以下の処理を行う。すなわち、設定部１４は、たとえばターゲット基地局が小型基地局である場合、自己の無線端末装置２０２の移動状態に応じて、たとえばQhystまたはＴＴＴ等に作用させるスケール因子を、小型基地局への移動動作に適応させたスケール因子に設定する。
【０４１５】
また、たとえば、設定部１４は、移動状態のレベルに応じて上記設定を変更し、周辺基地局に所定種別の無線基地局装置１０１が含まれる場合に、移動状態推定部１２によって推定された移動状態と比べて実行回数の大きい場合に推定される移動状態、のレベルに対応する上記設定を選択する。
【０４１６】
具体的には、設定部１４は、周辺基地局に小型基地局が含まれる場合において、たとえば小型基地局への移動動作を行う際には以下の処理を行う。
【０４１７】
すなわち、設定部１４は、たとえばQhystまたはＴＴＴ等に作用させるスケール因子を、自己の無線端末装置２０２の移動状態に相応の移動速度より大きい移動速度を示す移動状態に対応するスケール因子に設定する。
【０４１８】
そして、設定部１４が、選択したスケール因子をQhystまたはＴＴＴ等に作用させることにより、自己の無線端末装置２０２の小型基地局への移動動作を開始するタイミングを、マクロ基地局への移動動作を開始するタイミングよりも早くする。
【０４１９】
また、設定部１４は、自己の無線端末装置２０２の移動状態および周辺基地局の種別に基づいて選択したスケール因子を乗じたＴＴＴを、受信電力測定部１６へ出力する。
【０４２０】
受信電力測定部１６は、たとえば自己の無線端末装置２０２と接続確立状態にある無線基地局装置１０１であるサービング基地局から測定開始要求を受信すると、受信した測定開始要求に含まれる周辺セル情報を参照する。
【０４２１】
次に、受信電力測定部１６は、当該周辺セル情報に基づいて、サービング基地局を含む測定対象となる無線基地局装置１０１の送信周波数を特定し、当該測定対象となる無線基地局装置１０１から送信される、当該送信周波数の無線信号の受信電力を測定する。
【０４２２】
そして、受信電力測定部１６は、たとえば自己の無線端末装置２０２において、イベントＡ３がサービング基地局により設定されている場合、以下の処理を行う。
【０４２３】
すなわち、受信電力測定部１６は、サービング基地局以外の他の無線基地局装置１０１により送信される無線信号の受信電力が、サービング基地局により送信される無線信号の受信電力より大きくなると、自己の無線端末装置２０２をレポートオン状態へ遷移させる。
【０４２４】
この際、受信電力測定部１６は、設定部１４から受けたＴＴＴをタイマ１５の計測時間に設定し、当該タイマ１５を始動させる。そして、受信電力測定部１６は、上記他の無線基地局装置１０１およびサービング基地局により送信される無線信号の受信電力を監視する。
【０４２５】
たとえば、受信電力測定部１６は、サービング基地局により送信される無線信号の受信電力において、オフセットＯＳＴ１およびヒステリシスＨＳを設定してもよい。また、受信電力測定部１６は、上記他の無線基地局装置１０１により送信される無線信号の受信電力において、オフセットＯＳＴ２を設定してもよい。
【０４２６】
受信電力測定部１６は、たとえば上記他の無線基地局装置１０１により送信される無線信号の受信電力が、サービング基地局により送信される無線信号の受信電力より大きい状態が、タイマ１５を始動させてからタイマ１５が満了するまで継続すると、以下の処理を行う。
【０４２７】
すなわち、受信電力測定部１６は、上記測定対象となる無線基地局装置１０１から送信される無線信号の受信電力を示す測定結果通知、すなわちメジャメントレポートを通知部１７へ出力する。
【０４２８】
通知部１７は、受信電力測定部１６からメジャメントレポートを受けると、受けたメジャメントレポートを送信信号処理部８７経由でサービング基地局へ送信する。当該メジャメントレポートは、サービング基地局において、メジャメントレポートを送信してきた無線端末装置２０２のハンドオーバを行うべきか否かについての判断に用いられる。
【０４２９】
［無線基地局装置の構成］
図３３は、本発明の実施の形態に係る無線基地局装置の構成を示す図である。
図３３を参照して、無線基地局装置（通信制御装置）１０１は、アンテナ９１と、サーキュレータ９２と、無線受信部９３と、無線送信部９４と、信号処理部９５と、制御部９８とを備える。信号処理部９５は、受信信号処理部９６と、送信信号処理部９７とを含む。信号処理部９５および制御部９８は、ＣＰＵ（Central Processing Unit）またはＤＳＰ（Digital Signal Processor）等によって実現される。
【０４３０】
サーキュレータ９２は、アンテナ９１において受信された無線端末装置２０２からの無線信号を無線受信部９３へ出力し、また、無線送信部９４から受けた無線信号をアンテナ９１へ出力する。
【０４３１】
無線受信部９３は、サーキュレータ９２から受けた無線信号をベースバンド信号またはＩＦ（Intermediate Frequency）信号に周波数変換し、この周波数変換した信号をデジタル信号に変換して受信信号処理部９６へ出力する。
【０４３２】
受信信号処理部９６は、無線受信部９３から受けたデジタル信号に対してＣＤＭＡ（Code Division Multiple Access）方式における逆拡散等の信号処理を行ない、この信号処理後のデジタル信号の一部または全部を所定のフレームフォーマットに変換してコアネットワーク３０１側へ送信する。
【０４３３】
送信信号処理部９７は、コアネットワーク３０１側から受信した通信データを所定のフレームフォーマットに変換した通信データまたは自ら生成した通信データに対してＯＦＤＭ（Orthogonal Frequency Division Multiplex）方式におけるＩＦＦＴ（Inverse Fast Fourier Transform）等の信号処理を行ない、この信号処理後のデジタル信号を無線送信部９４へ出力する。
【０４３４】
無線送信部９４は、送信信号処理部９７から受けたデジタル信号をアナログ信号に変換し、変換したアナログ信号を無線信号に周波数変換してサーキュレータ９２へ出力する。
【０４３５】
制御部９８は、無線基地局装置１０１における各ユニット、他の無線基地局装置１０１、およびコアネットワーク３０１との間で各種情報をやり取りする。
【０４３６】
図３４は、本発明の実施の形態に係る無線基地局装置における制御部の構成を示す図である。
図３４を参照して、制御部９８は、基地局検出部（周辺基地局リスト作成部）２１と、基地局種別リスト作成部（周辺基地局リスト作成部）２２と、基地局種別リスト通知部（周辺基地局リスト通知部）２３とを含む。
【０４３７】
基地局検出部２１は、たとえば休止状態にある周辺基地局が始動することにより、Ｘ２インタフェースを介した当該周辺基地局との通信接続の確立を検出すると、当該周辺基地局のＩＤを基地局種別リスト作成部２２へ出力する。
【０４３８】
基地局種別リスト作成部２２は、検出された無線基地局装置１０１のＩＤを基地局検出部２１から受けると、受けたＩＤに基づいて、たとえば無線基地局装置１０１の種別に関する情報を含む周辺セル情報、基地局種別リスト４１またはスモールセルリスト４２を更新する。
【０４３９】
具体的には、たとえば、基地局種別リスト作成部２２は、検出された無線基地局装置１０１のＩＤを基地局検出部２１から受けると、当該ＩＤに基づいて、当該無線基地局装置１０１の種別を特定する。
【０４４０】
そして、基地局種別リスト作成部２２は、たとえば図３１に示す周辺セル情報において、当該ＩＤおよび特定した種別を、それぞれＩＤを示す「physCellID」および種別を示す「smallCell」へ追加することにより、当該周辺セル情報を更新する。
【０４４１】
また、基地局種別リスト作成部２２は、たとえば図３２の（Ａ）に示す基地局種別リスト４１において、当該ＩＤおよび特定した種別を、それぞれ「基地局ＩＤ」および「種別」へ追加することにより、基地局種別リスト４１を更新する。
【０４４２】
また、基地局種別リスト作成部２２は、たとえば当該ＩＤの無線基地局装置１０１が小型基地局である場合、図３２の（Ｂ）に示すスモールセルリスト４２における「基地局ＩＤ」に、当該ＩＤを追加することにより、スモールセルリスト４２を更新する。
【０４４３】
そして、基地局種別リスト作成部２２は、更新した周辺基地局リストである周辺セル情報、基地局種別リスト４１またはスモールセルリスト４２を、基地局種別リスト通知部２３へ出力する。
【０４４４】
なお、基地局種別リスト作成部２２は、更新すべき周辺基地局リストを保持していない場合、周辺基地局リストを新たに作成してもよい。また、基地局種別リスト作成部２２は、たとえば他の無線基地局装置１０１から周辺基地局リストを取得できる場合、取得した周辺基地局リストを基地局種別リスト通知部２３へ出力してもよい。
【０４４５】
基地局種別リスト通知部２３は、基地局種別リスト作成部２２から周辺基地局リストを受けると、受けた周辺基地局リストの一部または全部を、他の無線基地局装置１０１または無線端末装置２０２へ送信する。
【０４４６】
より詳細には、基地局種別リスト通知部２３は、たとえば自己の無線基地局装置１０１がマクロ基地局または後述する管理基地局である場合、自己の無線基地局装置１０１が形成するセル内に位置する小型基地局、および自己の無線基地局装置１０１が形成するセルに隣接するセルを形成する無線基地局装置１０１へ、周辺基地局リストを送信する。
【０４４７】
また、基地局種別リスト通知部２３は、たとえば自己の無線基地局装置１０１が送信する報知情報に周辺基地局リストを含めることにより、自己の無線基地局装置１０１が形成するセルに在圏する無線端末装置２０２へ、周辺基地局リストを送信信号処理部９７経由で送信する。
【０４４８】
［周辺基地局リストの更新処理および無線基地局装置の種別の通知処理］
図３５は、本発明の実施の形態に係る無線通信システムにおける、無線端末装置の移動経路の一例を示す図である。
【０４４９】
図３５を参照して、無線基地局装置１０１Ａ，１０１Ｂは、たとえばマクロ基地局であり、それぞれマクロセルＭＣＡ，ＭＣＢを形成する。また、無線基地局装置１０１Ｄ，１０１Ｅは、たとえばピコ基地局である。
【０４５０】
ここでは、無線基地局装置１０１Ｄは、活性状態にあり、無線信号を送信することによりピコセルＰＣＤを形成する。ピコセルＰＣＤは、マクロセルＭＣＡに含まれる。
【０４５１】
一方、無線基地局装置１０１Ｅは、休止状態にあり、無線信号を送信しない。また、無線基地局装置１０１Ｅが、たとえば活性状態に遷移した場合には、ピコセルＰＣＥを形成する。ピコセルＰＣＥは、マクロセルＭＣＡに含まれ、かつピコセルＰＣＤとは重ならない。
【０４５２】
ピコセルＰＣＤの隣接セルは、マクロセルＭＣＡのみとなる。このため、無線基地局装置１０１Ｄが得ることが可能な、不適切なハンドオーバについての情報は、ピコセルＰＣＤおよびマクロセルＭＣＡに関連した不適切なハンドオーバに関する情報のみである。
【０４５３】
同様に、ピコセルＰＣＥの隣接セルは、マクロセルＭＣＡのみとなる。このため、無線基地局装置１０１Ｅが得ることが可能な、不適切なハンドオーバについての情報は、ピコセルＰＣＥおよびマクロセルＭＣＡに関連した不適切なハンドオーバに関する情報のみである。
【０４５４】
一方、マクロセルＭＣＡの隣接セルは、ピコセルＰＣＤ、ピコセルＰＣＥおよびマクロセルＭＣＢである。このため、無線基地局装置１０１Ａが得ることが可能な、不適切なハンドオーバについての情報は、ピコセルＰＣＤおよびマクロセルＭＣＡに関連した不適切なハンドオーバ、ピコセルＰＣＥおよびマクロセルＭＣＡに関連した不適切なハンドオーバ、およびマクロセルＭＣＢおよびマクロセルＭＣＡに関連した不適切なハンドオーバに関する情報である。
【０４５５】
従って、マクロ基地局である無線基地局装置１０１Ａが、少なくとも自己が形成するセル内に位置する小型基地局について管理することが好ましい。この場合における管理とは、無線基地局装置１０１の種別を無線基地局装置１０１毎に設定し、設定した種別を含めた周辺基地局リストを当該小型基地局へ通知することを意味する。
【０４５６】
以下、他の無線基地局装置１０１を管理する無線基地局装置１０１を管理基地局と称する。また、当該無線基地局装置１０１によって管理される当該他の無線基地局装置１０１を被管理基地局と称する。
【０４５７】
また、無線基地局装置１０１は、以下の基準を用いて、自己が管理基地局または被管理基地局であるべきかについて判断してもよい。すなわち、無線基地局装置１０１は、自己が形成するセルにおける無線基地局装置１０１の設置数の密度に基づいて、自己が管理基地局または被管理基地局のどちらであるかについて判断する。
【０４５８】
具体的には、無線基地局装置１０１は、自己の送信電力に基づいて、自己が形成するセルの大きさを見積もり、また、周辺基地局の数に基づいて、当該セルに含まれる無線基地局装置１０１の数を見積もる。
【０４５９】
これにより、無線基地局装置１０１は、自己が形成するセルにおける無線基地局装置１０１の設置数の密度を見積もることができる。
【０４６０】
無線基地局装置１０１は、たとえば自己が形成するセルにおける無線基地局装置１０１の設置数の密度が所定のしきい値より大きい場合、管理基地局として動作すべきと判断する。また、無線基地局装置１０１は、たとえば自己が形成するセルにおける無線基地局装置１０１の設置数の密度が所定のしきい値より小さい場合、被管理基地局として動作すべきと判断する。
【０４６１】
たとえば、図３５に示す無線通信システムにおいては、無線基地局装置１０１Ａが管理基地局となり、無線基地局装置１０１Ｄおよび無線基地局装置１０１Ｅが無線基地局装置１０１Ａの被管理基地局となる。また、無線基地局装置１０１Ｂは、無線基地局装置１０１Ａの周辺基地局の一つである。
【０４６２】
図３６は、本発明の実施の形態に係る無線通信システムにおける、周辺基地局リストの更新処理および周辺基地局リストの無線端末装置への送信処理のシーケンスの一例を示す図である。
【０４６３】
ここでは、図３５に示すように、無線端末装置２０２Ａが、たとえばピコセルＰＣＤ内における地点Ｓにおいて、無線基地局装置１０１Ｄと接続確立状態にある状況を想定する。
【０４６４】
以下、図３５および図３６を適宜参照しながら、無線端末装置２０２Ａ、無線基地局装置１０１Ａ、無線基地局装置１０１Ｄ、無線基地局装置１０１Ｅ、および無線基地局装置１０１Ｂの動作を説明する。
【０４６５】
まず、無線基地局装置１０１Ｅは、たとえば休止状態から活性状態へ遷移し、無線信号の送信を開始する（ステップＳ４０２）。無線基地局装置１０１Ｅは、無線信号を送信することにより、図３５に示すようにピコセルＰＣＥを形成する。
【０４６６】
次に、無線基地局装置１０１Ｅは、たとえば自己が形成するピコセルＰＣＥに隣接するマクロセルＭＣＡを形成する無線基地局装置１０１Ａと、Ｘ２インタフェースを介した通信接続を確立する（ステップＳ４０４）。
【０４６７】
次に、管理基地局である無線基地局装置１０１Ａは、Ｘ２インタフェースを介した無線基地局装置１０１Ｅとの通信接続の確立を検出すると、以下の処理を行う。すなわち、無線基地局装置１０１Ａは、休止状態であった被管理基地局である無線基地局装置１０１Ｅが活性状態へ遷移したことを認識し、たとえば図３２の（Ａ）に示す基地局種別リスト４１に、無線基地局装置１０１ＥのＩＤおよび種別を追加することにより、基地局種別リスト４１を更新する（ステップＳ４０６）。管理基地局による基地局種別リスト４１の更新処理の詳細については後述する。
【０４６８】
次に、無線基地局装置１０１Ａは、更新した基地局種別リスト４１を被管理基地局である無線基地局装置１０１Ｅへ送信する（ステップＳ４０８）。
【０４６９】
また、無線基地局装置１０１Ａは、更新した基地局種別リスト４１を被管理基地局である無線基地局装置１０１Ｄへ送信する（ステップＳ４１０）。
【０４７０】
また、無線基地局装置１０１Ａは、更新した基地局種別リスト４１を無線基地局装置１０１Ｂへ送信する（ステップＳ４１２）。
【０４７１】
次に、無線基地局装置１０１Ｄは、無線基地局装置１０１Ａから受けた基地局種別リスト４１に基づいて、たとえば図３１に示す周辺セル情報に、無線基地局装置１０１Ｄの周辺基地局のＩＤおよび当該ＩＤに対応する無線基地局装置１０１の種別を含める。次に、無線基地局装置１０１Ｄは、自己が形成するピコセルＰＣＤ内に在圏する無線端末装置２０２Ａへ、当該周辺セル情報を含めた報知情報を送信する（ステップＳ４１４）。非管理基地局による周辺セル情報の送信処理の詳細については後述する。
【０４７２】
次に、無線端末装置２０２Ａは、自己と接続確立状態の無線基地局装置１０１Ｄから周辺セル情報を受信した後、ピコセルＰＣＤ内に位置する地点ＳからマクロセルＭＣＡ内に位置する地点Ｍへ向けて移動を開始する（ステップＳ４１６）。
【０４７３】
次に、たとえば領域ＡＤ１においてハンドオーバ動作が実行され、無線端末装置２０２Ａの接続先は、無線基地局装置１０１Ｄから無線基地局装置１０１Ａへ変更される（ステップＳ４１８）。
【０４７４】
次に、無線端末装置２０２Ａは、セルＭＣＡの圏内を移動する（ステップＳ４２０）。この際、無線端末装置２０２Ａは、無線基地局装置１０１Ａの周辺基地局のＩＤおよび当該ＩＤに対応する無線基地局装置１０１の種別を含む周辺セル情報を、無線基地局装置１０１Ａから受信する（ステップＳ４２２）。
【０４７５】
次に、無線端末装置２０２Ａは、マクロセルＭＣＡ内に位置する地点Ｍへ到着すると、ピコセルＰＣＥ内に位置する地点Ｅへ向けて移動を開始する（ステップＳ４２４）。
【０４７６】
次に、たとえば領域ＡＥ１においてハンドオーバ動作が実行され、無線端末装置２０２Ａの接続先は、無線基地局装置１０１Ａから無線基地局装置１０１Ｅへ変更される（ステップＳ４２６）。
【０４７７】
次に、無線端末装置２０２Ａは、セルＰＣＥの圏内を移動する（ステップＳ４２８）。この際、無線端末装置２０２Ａは、無線基地局装置１０１Ｅの周辺基地局のＩＤおよび当該ＩＤに対応する無線基地局装置１０１の種別を含む周辺セル情報を、無線基地局装置１０１Ｅから受信する（ステップＳ４３０）。
【０４７８】
次に、無線端末装置２０２Ａは、ピコセルＰＣＥ内に位置する地点Ｅへ到着する。以上の動作により、周辺基地局リストの更新処理および無線端末装置への周辺基地局リストの送信処理が完了する。
【０４７９】
図３７は、本発明の実施の形態に係る無線通信システムにおいて、無線基地局装置が周辺基地局リストの更新処理を行う際の動作手順を定めたフローチャートである。
【０４８０】
以下は、図３６に示す、周辺基地局リストの更新処理を行う管理基地局である無線基地局装置１０１Ａの詳細な動作であり、図３６におけるステップＳ４０４からＳ４１２までの動作に対応する。
【０４８１】
図３７を参照して、まず、無線基地局装置１０１Ａは、たとえば無線基地局装置１０１が休止状態から活性状態へ遷移することにより発生する、当該無線基地局装置１０１とのＸ２インタフェースを介した通信接続の確立を監視する（ステップＳ４５２）。
【０４８２】
次に、無線基地局装置１０１Ａは、当該無線基地局装置１０１とのＸ２インタフェースを介した通信接続の確立を検出すると（ステップＳ４５２でＹＥＳ）、当該無線基地局装置１０１が小型基地局であるか否かを判断する（ステップＳ４５４）。
【０４８３】
次に、無線基地局装置１０１Ａは、当該無線基地局装置１０１が小型基地局でないと判断すると（ステップＳ４５４でＮＯ）、たとえば図３２の（Ａ）に示すように、当該無線基地局装置１０１のＩＤおよび当該ＩＤに対応する無線基地局装置１０１の種別であるマクロ基地局を、基地局種別リスト４１に追加する（ステップＳ４５６）。
【０４８４】
一方、無線基地局装置１０１Ａは、当該無線基地局装置１０１が小型基地局であると判断すると（ステップＳ４５４でＹＥＳ）、たとえば図３２の（Ａ）に示すように、当該無線基地局装置１０１のＩＤおよび当該ＩＤに対応する無線基地局装置１０１の種別である小型基地局を、基地局種別リスト４１に追加する（ステップＳ４５８）。
【０４８５】
次に、無線基地局装置１０１Ａは、たとえば周辺セル情報を参照することにより、被管理基地局を含む自己の周辺に位置する周辺基地局へ、基地局種別リスト４１を送信する（ステップＳ４６０）。
【０４８６】
なお、無線基地局装置１０１Ａは、上記ステップＳ４５６において、当該ＩＤに対応する無線基地局装置１０１の種別を、基地局種別リスト４１でなくたとえば図３１に示す周辺セル情報に追加してもよい。
【０４８７】
また、無線基地局装置１０１Ａは、上記ステップＳ４５８において、当該ＩＤに対応する無線基地局装置１０１の種別を、基地局種別リスト４１でなくたとえば図３１に示す周辺セル情報に追加してもよいし、当該ＩＤを図３２の（Ｂ）に示すスモールセルリスト４２に追加してもよい。
【０４８８】
また、管理基地局である無線基地局装置１０１Ａは、たとえば他の無線基地局装置１０１が活性状態から休止状態へ遷移する際に、当該他の無線基地局装置１０１に関する情報を周辺基地局リストから削除することにより、周辺基地局リストの更新処理を行ってもよい。以下に、当該処理の詳細を示す。
【０４８９】
図３８は、本発明の実施の形態に係る無線通信システムにおいて、無線基地局装置がカウント方法リストの更新処理を行う際の動作手順の他の例を定めたフローチャートである。
【０４９０】
図３８を参照して、まず、無線基地局装置１０１Ａは、たとえば無線基地局装置１０１が活性状態から休止状態へ遷移することによる、当該無線基地局装置１０１とのＸ２インタフェースを介した通信接続の切断を監視する（ステップＳ４８２）。
【０４９１】
次に、無線基地局装置１０１Ａは、当該無線基地局装置１０１とのＸ２インタフェースを介した通信接続の切断を検出すると（ステップＳ４８２でＹＥＳ）、当該無線基地局装置１０１のＩＤを特定する（ステップＳ４８４）。
【０４９２】
次に、無線基地局装置１０１Ａは、たとえば図３２の（Ａ）に示す基地局種別リスト４１を参照し、たとえば当該ＩＤに対応する項目を特定し、特定した項目を基地局種別リスト４１から削除する（ステップＳ４８６）。
【０４９３】
次に、無線基地局装置１０１Ａは、たとえば周辺セル情報を参照することにより、被管理基地局を含む自己の周辺に位置する周辺基地局へ、基地局種別リスト４１を送信する（ステップＳ４８８）。
【０４９４】
なお、無線基地局装置１０１Ａは、上記ステップＳ４８６において、基地局種別リスト４１における当該無線基地局装置１０１のＩＤに対応する項目でなく、たとえば図３１に示す周辺セル情報において、当該ＩＤに対応する項目を当該周辺セル情報から削除してもよいし、図３２の（Ｂ）に示すスモールセルリスト４２において、当該周辺セル情報から当該ＩＤを削除してもよい。
【０４９５】
図３９は、本発明の実施の形態に係る無線通信システムにおいて、無線基地局装置が、無線基地局装置の種別を無線端末装置へ通知する際の動作手順を定めたフローチャートである。
【０４９６】
以下は、一例として、図３６に示す被管理基地局である無線基地局装置１０１Ｄが、無線基地局装置の種別を無線端末装置２０２Ａへ通知する際の詳細な動作であり、図３６におけるステップＳ４１０およびＳ４１４の動作に対応する。
【０４９７】
図３９を参照して、まず、無線基地局装置１０１Ｄは、たとえば管理基地局である無線基地局装置１０１Ａから基地局種別リスト４１を受信し、受信した基地局種別リスト４１を保持する（ステップＳ５３２）。
【０４９８】
次に、無線基地局装置１０１Ｄは、自己の周辺セル情報を参照し、当該周辺セル情報に含まれるセルＩＤを取得する（ステップＳ５３４）。
【０４９９】
次に、無線基地局装置１０１Ｄは、保持している基地局種別リスト４１を参照し、取得したセルＩＤに対応する種別を特定する（ステップＳ５３６）。
【０５００】
次に、無線基地局装置１０１Ｄは、特定した種別を、当該セルＩＤに対応付けて当該周辺セル情報に含める（ステップＳ５３８）。
【０５０１】
次に、無線基地局装置１０１Ｄは、たとえば当該周辺セル情報を含めた報知情報を送信することにより、自己が形成するセルに在圏する無線端末装置２０２へ当該周辺セル情報を送信する（ステップＳ５４０）。
【０５０２】
以上の動作により、無線基地局装置１０１Ｄは、当該無線端末装置２０２へ、無線基地局装置１０１の種別を送信することができる。また、これにより、当該無線端末装置２０２は、無線基地局装置１０１Ｄから送信された情報に基づいて、無線基地局装置１０１の種別を取得することができる。
【０５０３】
なお、無線基地局装置１０１Ｄは、上記ステップＳ５３２において、管理基地局である無線基地局装置１０１Ａから基地局種別リスト４１を受信し、たとえば、上記ステップＳ５４０において、基地局種別リスト４１を含めた報知情報を無線端末装置２０２へ送信してもよい。
【０５０４】
一般に、管理基地局である無線基地局装置１０１Ａの周辺基地局の数は、被管理基地局である無線基地局装置１０１Ｄの周辺基地局の数より多いので、基地局種別リスト４１には、無線基地局装置１０１Ｄの周辺基地局でない無線基地局装置１０１の種別も含まれる。
【０５０５】
また、報知情報は、ブロードキャストで送信されるので、無線基地局装置１０１Ｄが、基地局種別リスト４１を報知情報に含める場合、無線基地局装置１０１Ｄが形成するセルに在圏する全ての無線端末装置２０２は、基地局種別リスト４１を受信することになる。
【０５０６】
このため、無線基地局装置１０１Ｄおよび当該無線端末装置２０２は、無線基地局装置１０１Ｄの周辺基地局でない無線基地局装置１０１の種別も送受信してしまい、処理の負担が増加してしまう。
【０５０７】
これに対して、上記ステップＳ５３４において、無線基地局装置１０１Ｄは、自己の周辺セル情報に含まれる周辺基地局のＩＤを取得し、上記ステップＳ５３８において、当該ＩＤに対応する周辺基地局の種別を当該周辺セル情報に含める。
【０５０８】
これにより、被管理基地局である無線基地局装置１０１Ｄは、自己の周辺基地局でない無線基地局装置１０１の種別を送信することなく、当該無線端末装置２０２に対して、自己の周辺基地局の種別を通知することができる。
【０５０９】
［ハンドオーバ動作を行う際における無線端末装置の設定動作］
図４０は、本発明の実施の形態に係る無線通信システムにおいて、無線端末装置がハンドオーバ動作を行う際におけるパラメータの更新処理の一例を示すシーケンス図である。
【０５１０】
図２に示すように、無線端末装置２０２が、セルＣＡ内に位置し、無線基地局装置１０１Ａと通信中である状態から、セルＣＡおよびセルＣＢの重複領域へ移動した場合を想定する。また、無線端末装置２０２には、サービング基地局である無線基地局装置１０１ＡによりイベントＡ３が設定されているとする。
【０５１１】
図４０を参照して、まず、たとえば無線端末装置２０２の通信接続先が、ハンドオーバ動作により、無線基地局装置１０１Ａへ変更された後に、無線端末装置２０２は、自己の移動状態の更新を行う（ステップＳ５７２）。
【０５１２】
次に、無線端末装置２０２は、たとえば図３１に示す周辺セル情報をサービング基地局から受信する（ステップＳ５７４）。
【０５１３】
次に、無線端末装置２０２は、サービング基地局から周辺セル情報を受信すると、受信した周辺セル情報に基づいて、以下の処理を行う。すなわち、無線端末装置２０２は、たとえばサービング基地局の周辺に位置する周辺基地局により送信される参照信号（Reference Signal）を受信し、受信した参照信号に基づいて、当該周辺基地局により送信される無線信号の受信電力を定期的に測定する（ステップＳ５７６）。
【０５１４】
次に、無線端末装置２０２は、上記受信電力を測定しながらセルＣＡおよびセルＣＢの重複領域へ移動する（ステップＳ５７８）。
【０５１５】
次に、無線端末装置２０２において、たとえば無線基地局装置１０１Ｂにより送信される無線信号の受信電力が、サービング基地局により送信される無線信号の受信電力を上回ると、以下の処理を行う。すなわち、無線端末装置２０２は、イベントＡ３におけるレポートオン状態へ遷移し、また、無線基地局装置１０１Ｂをターゲット基地局として検出する（ステップＳ５８０）。
【０５１６】
次に、無線端末装置２０２は、たとえば周辺セル情報を参照し、検出したターゲット基地局の種別を特定する（ステップＳ５８２）。
【０５１７】
次に、無線端末装置２０２は、更新した自己の移動状態およびターゲット基地局の種別に基づいて、ＴＴＴの設定を行う（ステップＳ５８４）。このＴＴＴの設定の詳細については後述する。
【０５１８】
次に、無線端末装置２０２は、上記レポートオン状態へ遷移してから上記ＴＴＴに相当する時間が経過するまで、たとえば無線基地局装置１０１Ｂにより送信される無線信号の受信電力が、サービング基地局により送信される無線信号の受信電力を継続して上回る場合、以下の処理を行う。すなわち、無線端末装置２０２は、周辺基地局により送信される無線信号の受信電力を示す測定結果通知をサービング基地局へ送信する（ステップＳ５８６）。
【０５１９】
次に、無線基地局装置１０１Ａは、無線端末装置２０２から受信した測定結果通知に基づいて、当該無線端末装置２０２のハンドオーバを行うべきか否かを判断する。無線基地局装置１０１Ａは、当該無線端末装置２０２のハンドオーバを行うべきであると判断すると、周辺セル情報を参照してたとえば無線基地局装置１０１Ｂをハンドオーバ先として決定する（ステップＳ５８８）。
【０５２０】
次に、無線基地局装置１０１Ａは、無線基地局装置１０１Ｂを示すハンドオーバ要求を、基地局間インタフェースであるＸ２インタフェース経由で無線基地局装置１０１Ｂへ送信する（ステップＳ５９０）。
【０５２１】
次に、無線基地局装置１０１Ｂは、無線基地局装置１０１Ａからハンドオーバ要求を受信して、無線基地局装置１０１Ａへ当該ハンドオーバ要求に対するハンドオーバ応答をＸ２インタフェース経由で送信する（ステップＳ５９２）。
【０５２２】
次に、無線基地局装置１０１Ａは、無線基地局装置１０１Ｂからハンドオーバ応答を受信して、無線端末装置２０２へＲＲＣコネクション再構成指示を送信する（ステップＳ５９４）。
【０５２３】
次に、無線端末装置２０２および無線基地局装置１０１Ｂ間でＲＲＣコネクションが確立されると、無線端末装置２０２は、ＲＲＣコネクション再構成完了通知を無線基地局装置１０１Ｂへ送信する（ステップＳ５９６）。
【０５２４】
次に、無線基地局装置１０１Ｂは、無線端末装置２０２からＲＲＣコネクション再構成完了通知を受信して、端末情報解放指示を無線基地局装置１０１Ａへ送信する（ステップＳ５９８）。
【０５２５】
次に、無線基地局装置１０１Ａは、無線基地局装置１０１Ｂから端末情報解放指示を受信して、無線端末装置２０２に関する情報（UE Context）を解放する（ステップＳ６００）。
【０５２６】
以上により、無線端末装置２０２の無線基地局装置１０１Ａから無線端末装置２０２Ｂへのハンドオーバが完了する（ステップＳ６０２）。
【０５２７】
なお、無線端末装置２０２には、イベントＡ３が設定されていたが、イベントＡ１、イベントＡ２、イベントＡ４、およびイベントＡ５等の他のイベントが設定されていても構わない。また、イベントの設定は、無線基地局装置１０１により行われてもよいし、当該無線端末装置２０２により行われてもよい。
【０５２８】
［移動状態および周辺基地局の種別に基づく無線端末装置の設定動作］
図４１は、本発明の実施の形態に係る無線通信システムにおいて、無線端末装置が自己の移動状態および周辺基地局の種別に応じた設定処理を行う際の動作手順を定めたフローチャートである。
【０５２９】
以下は、図４０に示す無線端末装置２０２における、推定した移動状態および周辺基地局の種別に基づいて、ＴＴＴの値を調整する際の詳細な動作を示す。
【０５３０】
図４１を参照して、無線端末装置２０２は、たとえばハンドオーバ動作またはセル再選択動作等の移動動作が完了した状態にあり、当該移動動作後の通信接続先の無線基地局装置１０１であるサービング基地局により、イベントＡ３が設定されている場合を想定する（ステップＳ６４２）。
【０５３１】
次に、無線端末装置２０２は、当該移動動作をカウントの対象とし、移動動作の実行回数を示すカウント値ＣＮＴをインクリメントする（ステップＳ６４４）。
【０５３２】
次に、無線端末装置２０２は、カウント値ＣＮＴに基づいて、自己の移動状態を推定する（ステップＳ６４６）。
【０５３３】
次に、無線端末装置２０２は、周辺セル情報に基づいて、サービング基地局を含む無線基地局装置１０１から送信される無線信号の受信電力を測定する（ステップＳ６４８）。
【０５３４】
次に、無線端末装置２０２は、サービング基地局以外の他の無線基地局装置１０１により送信される無線信号の受信電力Ｔ１が、サービング基地局により送信される無線信号の受信電力Ｓ１より大きくなると（ステップＳ６５０でＹＥＳ）、当該他の無線基地局装置１０１をターゲット基地局として認識し、以下の処理を行う。
【０５３５】
すなわち、無線端末装置２０２は、レポートオン状態へ遷移し、推定した自己の移動状態およびターゲット基地局の種別に応じたスケール因子を、たとえば自己が保持するＴＴＴに対して乗ずることにより、ＴＴＴの値を調整する（ステップＳ６５２）。スケール因子の設定については後述する。
【０５３６】
次に、無線端末装置２０２は、計測時間をＴＴＴに設定したタイマを始動させる（ステップＳ６５４）。
【０５３７】
一方、無線端末装置２０２は、受信電力Ｔ１が受信電力Ｓ１より小さい場合（ステップＳ６５０でＮＯ）、無線基地局装置１０１から送信される無線信号の受信電力を継続して測定する（ステップＳ６４８）。
【０５３８】
次に、無線端末装置２０２は、受信電力Ｔ１が受信電力Ｓ１より大きい状態（ステップＳ６５６でＹＥＳ）が、ＴＴＴに相当する時間経過するまで（ステップＳ６５８でＮＯ）受信電力を監視し、ＴＴＴに相当する時間経過すると（ステップＳ６５８でＹＥＳ）、以下の処理を行う。
【０５３９】
すなわち、無線端末装置２０２は、無線基地局装置１０１から送信される無線信号の受信電力を示す測定結果通知であるメジャメントレポートをサービング基地局へ送信する（ステップＳ６６０）。
【０５４０】
一方、無線端末装置２０２は、受信電力Ｔ１が受信電力Ｓ１より大きい状態がＴＴＴに相当する時間継続しない場合（ステップＳ６５６でＮＯ）、レポートオフ状態へ遷移し、無線基地局装置１０１から送信される無線信号の受信電力を継続して測定する（ステップＳ６４８）。
【０５４１】
以上の動作により、無線端末装置２０２は、推定した自己の移動状態およびターゲット基地局の種別に基づいて、ＴＴＴの値を調整する。
【０５４２】
無線端末装置２０２は、上記ステップＳ６５２において、自己の移動状態およびターゲット基地局の種別に基づいて、たとえばＴＴＴの値を調整することにより、移動動作の実行判断に関わる自己の設定を行う。
【０５４３】
これにより、たとえば、周辺基地局により送信される無線信号の無線端末装置２０２における受信電力の、当該無線端末装置２０２の位置に対する変化が当該周辺基地局の種別に応じて異なる場合でも、当該無線端末装置２０２は、当該無線端末装置２０２の移動状態に関わらず、上記受信電力の変化に適切に対処することができる。
【０５４４】
そして、無線端末装置２０２は、自己の移動状態および移動先の無線基地局装置の種別に応じて、たとえばハンドオーバ動作のタイミングを適切に調整することができるので、ヘテロジーニアスネットワークにおいてもハンドオーバ動作を適切に行うことができる。
【０５４５】
なお、無線端末装置２０２は、上記ステップＳ６４４において、全ての移動動作をカウントの対象とする必要はない。無線端末装置２０２は、所定の移動動作のみをカウントの対象としてもよい。
【０５４６】
無線端末装置２０２は、たとえば小型基地局に関連する移動動作をカウントの対象としないことにより、上記ステップＳ６４６において、より適切な移動状態を推定することができる場合がある。
【０５４７】
無線端末装置２０２は、上記ステップＳ６５２において、たとえば周辺セル情報、基地局種別リスト４１またはスモールセルリスト４２等の周辺基地局リストに基づいて、周辺基地局の種別を判断する。
【０５４８】
また、無線端末装置２０２は、上記ステップＳ６５２において、たとえばＳＩＢ９に含まれる小型基地局名であるhnb-Name、またはＲＲＣ情報に含まれるPDSCH-Configの参照信号電力に基づいて、周辺基地局の種別を判断してもよい。
【０５４９】
また、無線端末装置２０２は、周辺基地局リスト、ＳＩＢ９およびＲＲＣ情報等の無線基地局装置１０１の種別に関する情報を、サービング基地局から取得してもよいし、サービング基地局以外の他の無線基地局装置１０１から取得してもよい。
【０５５０】
たとえば、無線端末装置２０２は、以前に接続した無線基地局装置１０１から取得した報知情報を保存している場合、保存した報知情報から無線基地局装置１０１の種別に関する情報を取得してもよい。
【０５５１】
また、無線端末装置２０２は、上記ステップＳ６４６において、たとえばt-Evaluationに相当する時間における移動動作の実行回数を評価し、評価した結果に応じて自己の移動状態を通常移動状態、中速移動状態または高速移動状態に設定する。
【０５５２】
また、無線端末装置２０２は、上記ステップＳ６５２において、ＴＴＴの値の設定を行ったが、設定した自己の移動状態およびターゲット基地局の種別に応じて、たとえばアイドル状態におけるセル再選択動作を行う際において、判断基準となる受信電力に影響を与えるＱｈｙｓｔに加算する定数の変更処理を行ってもよい。
【０５５３】
これにより、無線端末装置２０２は、自己の移動状態に応じて、セル再選択動作の起こりやすさの調整を行うことができる。
【０５５４】
また、無線端末装置２０２は、上記ステップＳ６５２において、自己の移動状態に応じて以下のような設定の変更を行うことにより、接続確立状態におけるハンドオーバ動作のタイミング、またはアイドル状態におけるセル再選択の起こりやすさの調整を行ってもよい。
【０５５５】
すなわち、無線端末装置２０２に設定される、たとえばＴＴＴ、ヒステリシスＨＳ、オフセットＯＳＴ、ギャップＭＧおよびフィルタリング係数αといったパラメータについて、各設定値の変更、各パラメータに乗ずる係数の変更、または各パラメータの組み合わせの変更等が行われてもよい。また、無線端末装置２０２に設定されるイベントの変更が行われてもよい。上記変更は、無線基地局装置１０１により行われてもよいし、当該無線端末装置２０２により行われてもよい。
【０５５６】
また、無線端末装置２０２は、ステップＳ６４６において、たとえば高速移動状態、中速移動状態および通常移動状態等の段階的に示す値により自己の移動状態を推定してもよいし、自己の移動速度自体を推定してもよい。たとえば、移動している無線端末装置２０２が無線基地局装置１０１により送信される無線信号を受信する際に発生するドップラー効果による周波数のシフト、またはＧＰＳ（Global Positioning System）と地図情報との組み合わせ等を用いることにより、無線端末装置２０２の移動速度を推定することができる。
【０５５７】
［ハンドオーバ動作を行う際におけるＴＴＴの設定］
図４２は、本発明の実施の形態に係る無線通信システムにおいて、移動状態に応じて選択されるスケール因子の一例を示す図である。
【０５５８】
図４２を参照して、速度状態スケール因子（SpeedStateScaleFactors）には、スケール因子であるsf-Medium、sf-High、sf-SmallCell-Normal、sf-SmallCell-Mediumおよびsf-SmallCell-Highが含まれる。
【０５５９】
なお、図４２に示す、ｏＤｏｔ２５、ｏＤｏｔ５、ｏＤｏｔ７５および１Ｄｏｔ０は、それぞれ０．２５、０．５、０．７５および１．０を意味する。また、上記スケール因子は、０．２５、０．５、０．７５または１．０のいずれかの値に設定される。
【０５６０】
たとえばsf-Mediumは、マクロ基地局用かつ中速移動状態に適したスケール因子であり、以下、マクロ基地局用中速対応係数ＭＭと称する。また、たとえばsf-Highは、マクロ基地局用かつ高速移動状態に適したスケール因子であり、以下、マクロ基地局用高速対応係数ＭＨと称する。
【０５６１】
たとえばsf-SmallCell-Normalは、小型基地局用かつ通常移動状態に適したスケール因子であり、以下、小型基地局用通常速対応係数ＳＮと称する。また、たとえばsf-SmallCell-Mediumは、小型基地局用かつ中速移動状態に適したスケール因子であり、以下、小型基地局用中速対応係数ＳＭと称する。また、たとえばsf-SmallCell-Highは、小型基地局用かつ高速移動状態に適したスケール因子であり、以下、小型基地局用高速対応係数ＳＨと称する。
【０５６２】
図４３は、本発明の実施の形態に係る無線通信システムにおいて、接続確立状態の無線端末装置が、移動状態およびターゲット基地局の種別に応じてＴＴＴを調整する際の動作手順を定めたフローチャートである。
【０５６３】
無線端末装置２０２は、ＴＴＴを調整することにより、ハンドオーバ動作のタイミング調整を行うことが可能である。
【０５６４】
図４３に示す動作は、たとえば無線基地局装置１０１によって無線端末装置２０２にイベントＡ３が設定された状態において、当該無線端末装置２０２がイベントＡ３におけるレポートオン状態へ遷移したときに起動される。
【０５６５】
図４３を参照して、まず、無線端末装置２０２は、たとえば無線基地局装置１０１Ｂにより送信される無線信号の受信電力がサービング基地局により送信される無線信号の受信電力を上回ることにより、イベントＡ３におけるレポートオン状態へ遷移し、また、無線基地局装置１０１Ｂをターゲット基地局として検出する。
【０５６６】
次に、無線端末装置２０２は、ターゲット基地局の種別が小型基地局である場合（ステップＳ７０２でＹＥＳ）、自己の移動状態に応じて以下の処理を行う。
【０５６７】
すなわち、無線端末装置２０２は、自己の移動状態が高速移動状態である場合（ステップＳ７０４でＹＥＳ）、小型基地局用高速対応係数ＳＨ（sf-SmallCell-High）をＴＴＴに乗ずることによりＴＴＴの設定値を変更する（ステップＳ７０６）。
【０５６８】
一方、無線端末装置２０２は、自己の移動状態が高速移動状態でなく（ステップＳ７０４でＮＯ）、中速移動状態である場合（ステップＳ７０８でＹＥＳ）、小型基地局用中速対応係数ＳＭ（sf-SmallCell-Medium）をＴＴＴに乗ずることによりＴＴＴの設定値を変更する（ステップＳ７１０）。
【０５６９】
また、無線端末装置２０２は、自己の移動状態が中速移動状態でなく通常移動状態である場合（ステップＳ７０８でＮＯ）、小型基地局用通常速対応係数ＳＮ（sf-SmallCell-Normal）をＴＴＴに乗ずることによりＴＴＴの設定値を変更する（ステップＳ７１２）。
【０５７０】
一方、無線端末装置２０２は、ターゲット基地局の種別が小型基地局でなくマクロ基地局である場合（ステップＳ７０２でＮＯ）、自己の移動状態に応じて以下の処理を行う。
【０５７１】
すなわち、無線端末装置２０２は、自己の移動状態が高速移動状態である場合（ステップＳ７１４でＹＥＳ）、マクロ基地局用高速対応係数ＭＨ（sf-High）をＴＴＴに乗ずることによりＴＴＴの設定値を変更する（ステップＳ７１６）。
【０５７２】
一方、無線端末装置２０２は、自己の移動状態が高速移動状態でなく（ステップＳ７１４でＮＯ）、中速移動状態である場合（ステップＳ７１８でＹＥＳ）、マクロ基地局用中速対応係数ＭＭ（sf-Medium）をＴＴＴに乗ずることによりＴＴＴの設定値を変更する（ステップＳ７２０）。
【０５７３】
また、無線端末装置２０２は、自己の移動状態が中速移動状態でなく通常移動状態である場合（ステップＳ７１８でＮＯ）、ＴＴＴの設定値を変更しない（ステップＳ７２２）。
【０５７４】
以上の動作により、無線端末装置２０２は、ハンドオーバ動作の実行判断に関わるＴＴＴの設定を行う。
【０５７５】
すなわち、無線端末装置２０２は、レポートオン状態へ遷移してから上記のように設定したＴＴＴに相当する期間、たとえば無線基地局装置１０１Ｂから送信される無線信号の受信電力がサービング基地局から送信される無線信号の受信電力より大きい状態が継続すると、測定した受信電力を示す測定結果通知をサービング基地局へ送信する。
【０５７６】
サービング基地局は、無線端末装置２０２から受信した測定結果通知に基づいて当該無線端末装置２０２をハンドオーバすべきか否かについて判断し、ハンドオーバすべきと判断すると、当該無線端末装置２０２をハンドオーバさせる。
【０５７７】
従って、無線端末装置２０２は、推定した自己の移動状態およびターゲット基地局の種別に応じてＴＴＴを設定することにより、ハンドオーバ動作のタイミングを調整することができる。
【０５７８】
具体的には、通常移動状態、中速移動状態および高速移動状態の順に、無線端末装置２０２のハンドオーバ動作のタイミングを早めることが好ましい。また、ターゲット基地局が小型基地局である場合におけるハンドオーバ動作のタイミングは、ターゲット基地局がマクロ基地局である場合におけるハンドオーバ動作のタイミングより早めることが好ましい。
【０５７９】
たとえば、無線基地局装置１０１は、係数ＳＨ，ＳＭ，ＳＮを当該順に大きくなるように設定する。また、無線基地局装置１０１は、係数ＭＨ，ＭＭを当該順に大きくなるように設定する。また、無線基地局装置１０１は、係数ＳＨを係数ＭＨより小さくなるように設定し、また、係数ＳＭを係数ＭＭより小さくなるように設定する。
【０５８０】
具体的には、たとえば、無線基地局装置１０１は、係数ＳＨ，ＳＭ，ＳＮを、それぞれ０．２５，０．５０，０．７５に設定する。また、無線基地局装置１０１は、係数ＭＨ，ＭＭを、それぞれ０．５０，０．７５に設定する。
【０５８１】
無線端末装置２０２は、上記ステップＳ７０６、Ｓ７１０、Ｓ７１２、Ｓ７１６およびＳ７２０において、上記係数を自己が保持するＴＴＴに乗ずる。
【０５８２】
これにより、無線端末装置２０２は、通常移動状態、中速移動状態および高速移動状態の順に、ハンドオーバ動作のタイミングを早くすることができる。また、無線端末装置２０２は、ターゲット基地局が小型基地局である場合におけるハンドオーバ動作のタイミングを、ターゲット基地局がマクロ基地局である場合におけるハンドオーバ動作のタイミングより早くすることができる。
【０５８３】
なお、上記動作は、ハンドオーバ動作でなくセル再選択動作に対して適用してもよい。たとえば、無線基地局装置１０１は、無線端末装置２０２の移動状態およびターゲット基地局の種別に応じて、無線端末装置２０２における、セル再選択動作のタイミングに関わるQhyst等のパラメータを設定してもよい。
【０５８４】
これにより、無線端末装置２０２は、推定した自己の移動状態およびターゲット基地局の種別に応じてたとえばQhystを設定することにより、セル再選択動作のタイミングを調整することができ、不適切なセル再選択動作の発生を抑制することができる。
【０５８５】
また、ターゲット基地局の種別のみでなく、ターゲット基地局以外の周辺基地局の種別に応じて、移動動作の実行判断に関わるたとえばＴＴＴまたはQhyst等のパラメータの設定が行われてもよい。
【０５８６】
また、以下のように、たとえば無線基地局装置１０１により送信される報知情報において、上記ＳＨ，ＳＭ，ＳＮ，ＭＨ，ＭＭの係数を含めずに、マクロ基地局用の係数ＭＨ，ＭＭのみを含めることにより、報知情報の送信処理および受信処理の負担を軽減することができる。
【０５８７】
無線端末装置２０２は、たとえばマクロ基地局用の係数ＭＨ，ＭＭを含む報知情報を受信することにより、以下のような動作を行う。
【０５８８】
図４４は、本発明の実施の形態に係る無線通信システムにおいて、接続確立状態の無線端末装置が、移動状態およびターゲット基地局の種別に応じてＴＴＴを調整する際の動作手順の他の例を定めたフローチャートである。
【０５８９】
無線端末装置２０２は、ＴＴＴを調整することにより、ハンドオーバ動作のタイミング調整を行うことが可能である。
【０５９０】
図４４に示す動作は、たとえば無線基地局装置１０１によって無線端末装置２０２にイベントＡ３が設定された状態において、当該無線端末装置２０２がイベントＡ３におけるレポートオン状態へ遷移したときに起動される。
【０５９１】
図４４を参照して、まず、無線端末装置２０２は、たとえば無線基地局装置１０１Ｂにより送信される無線信号の受信電力がサービング基地局により送信される無線信号の受信電力を上回ることにより、イベントＡ３における当該レポートオン状態へ遷移し、また、無線基地局装置１０１Ｂをターゲット基地局として検出する。
【０５９２】
次に、無線端末装置２０２は、ターゲット基地局の種別が小型基地局である場合（ステップＳ７５２でＹＥＳ）、自己の移動状態に応じて以下の処理を行う。
【０５９３】
すなわち、無線端末装置２０２は、自己の移動状態が高速移動状態である場合（ステップＳ７５４でＹＥＳ）、マクロ基地局用高速対応係数ＭＨ（sf-High）をＴＴＴに乗ずることによりＴＴＴの設定値を変更する（ステップＳ７５６）。
【０５９４】
一方、無線端末装置２０２は、自己の移動状態が高速移動状態でなく（ステップＳ７５４でＮＯ）、中速移動状態である場合（ステップＳ７５８でＹＥＳ）、マクロ基地局用高速対応係数ＭＨ（sf-High）をＴＴＴに乗ずることによりＴＴＴの設定値を変更する（ステップＳ７６０）。
【０５９５】
また、無線端末装置２０２は、自己の移動状態が中速移動状態でなく通常移動状態である場合（ステップＳ７５８でＮＯ）、マクロ基地局用中速対応係数ＭＭ（sf-Medium）をＴＴＴに乗ずることによりＴＴＴの設定値を変更する（ステップＳ７６２）。
【０５９６】
一方、無線端末装置２０２は、ターゲット基地局の種別が小型基地局でなくマクロ基地局である場合（ステップＳ７５２でＮＯ）、自己の移動状態に応じて以下の処理を行う。
【０５９７】
すなわち、無線端末装置２０２は、自己の移動状態が高速移動状態である場合（ステップＳ７６４でＹＥＳ）、マクロ基地局用高速対応係数ＭＨ（sf-High）をＴＴＴに乗ずることによりＴＴＴの設定値を変更する（ステップＳ７６６）。
【０５９８】
一方、無線端末装置２０２は、自己の移動状態が高速移動状態でなく（ステップＳ７６４でＮＯ）、中速移動状態である場合（ステップＳ７６８でＹＥＳ）、マクロ基地局用中速対応係数ＭＭ（sf-Medium）をＴＴＴに乗ずることによりＴＴＴの設定値を変更する（ステップＳ７７０）。
【０５９９】
また、無線端末装置２０２は、自己の移動状態が中速移動状態でなく通常移動状態である場合（ステップＳ７６８でＮＯ）、ＴＴＴの設定値を変更しない（ステップＳ７７２）。
【０６００】
以上の動作により、無線端末装置２０２は、ハンドオーバ動作の実行判断に関わるＴＴＴの設定を行う。
【０６０１】
これにより、無線基地局装置１０１により送信される報知情報にはマクロ基地局用の係数のみが含まれるので、図４３において説明したように小型基地局およびマクロ基地局用の両方の係数が報知情報に含まれる場合と比べて、報知情報の送信処理および受信処理の負担を軽減することができる。
【０６０２】
ところで、非特許文献１に記載されるような不適切な移動動作が行なわれると、通信システムにおいて、通信断および通信トラフィックの増大等、種々の問題が生じる。
【０６０３】
これに対して、本発明の実施の形態に係る無線端末装置では、カウント部１１は、自己の無線端末装置２０２の移動動作の実行回数をカウントする。移動状態推定部１２は、カウント部１１によってカウントされた実行回数に基づいて、自己の無線端末装置２０２の移動状態を推定する。そして、設定部１４は、移動状態推定部１２によって推定された移動状態、および自己の無線端末装置２０２が通信相手として選択している無線基地局装置１０１であるサービング基地局以外の他の無線基地局装置１０１である周辺基地局の種別に基づいて、自己の無線端末装置２０２の移動動作の実行判断に関わる自己の無線端末装置２０２の設定を行う。
【０６０４】
このような構成により、たとえば、移動元または移動先の無線基地局装置１０１の種別によって無線端末装置２０２における通信環境が異なる場合においても、無線端末装置２０２の移動状態および周辺基地局の種別に応じて、移動動作の実行判断に関わる当該無線端末装置２０２の設定を適切に行うことができる。
【０６０５】
これにより、無線端末装置２０２は、たとえば移動動作のタイミングを適切に調整することができるので、不適切な移動動作の発生を抑制し、通信システムにおける通信の安定化を図ることができる。
【０６０６】
また、本発明の実施の形態に係る無線端末装置では、設定部１４は、移動状態および上記種別に基づいて、自己の無線端末装置２０２のハンドオーバ動作の実行判断に関わる自己の無線端末装置２０２の動作に関する設定を行う。
【０６０７】
このような構成により、ハンドオーバ動作の実行判断に関わる無線端末装置２０２の動作のタイミング等を調整することができる。無線端末装置２０２の移動状態に基づいて上記タイミングの調整を適切に行うことにより、ハンドオーバ動作のタイミングが適正化され、不適切なハンドオーバ動作の発生を抑制することができる。
【０６０８】
また、本発明の実施の形態に係る無線端末装置では、設定部１４は、周辺基地局に所定種別の無線基地局装置１０１が含まれるか否かと、移動状態との組み合わせに応じて上記設定を変更する。
【０６０９】
このような構成により、周辺基地局が所定種別の無線基地局装置１０１であるか否か、および無線端末装置２０２の移動状態に応じて、上記周辺基地局により送信される無線信号の当該無線端末装置２０２における受信電力が大きく変化する場合においても、上記変化に対して適切に対処することができる。
【０６１０】
また、本発明の実施の形態に係る無線端末装置では、設定部１４は、移動状態のレベルに応じて上記設定を変更し、周辺基地局に所定種別の無線基地局装置１０１が含まれる場合に、移動状態推定部１２によって推定された移動状態と比べて実行回数の大きい場合に推定される移動状態、のレベルに対応する上記設定を選択する。
【０６１１】
たとえば、所定種別の周辺基地局が送信する無線信号の無線端末装置２０２における受信電力の、当該無線端末装置２０２の位置に対する変化が大きい場合、移動する無線端末装置２０２における上記無線信号の受信電力の変化も大きい。このため、移動動作の実行回数の大きい場合に推定される移動状態のレベルに対応する設定を選択することにより、当該無線端末装置２０２は、上記無線信号の受信電力の変化に適切に対処することができる。
【０６１２】
また、本発明の実施の形態に係る無線端末装置では、移動状態は、無線端末装置２０２の移動速度であり、所定種別は、小型基地局である。
【０６１３】
このように、小型基地局が送信する無線信号の無線端末装置２０２における受信電力の、当該無線端末装置２０２の位置に対する変化は大きいため、実際の移動速度より大きい移動速度を示す移動状態に対応する設定を行うことにより、当該無線端末装置２０２は、上記無線信号の受信電力の変化に適切に対処することができる。
【０６１４】
これにより、無線端末装置２０２は、たとえば移動先の無線基地局装置１０１が小型基地局である場合においても、自己の移動状態に基づいて、上記小型基地局への移動動作を適切に行うことができる。
【０６１５】
また、本発明の実施の形態に係る無線端末装置では、報知情報取得部１３は、無線基地局装置１０１の保持する周辺基地局リストを取得する。そして、設定部１４は、周辺基地局リストから周辺基地局の種別を判断する。
【０６１６】
このように、無線基地局装置１０１が保持する周辺基地局リストを取得する構成により、たとえば周辺基地局の設定変更により無線通信システムの構成が変更される場合においても、当該変更を無線端末装置において速やかに反映させることができるので、通信システムの変更に対する柔軟性を高めることができる。
【０６１７】
また、移動動作の開始に先立って、周辺基地局の種別を判断することができるので、移動先の無線基地局装置１０１の種別、および無線端末装置２０２の移動状態に基づいて上記設定を適切に行うことができる。
【０６１８】
そして、無線端末装置２０２は、上記設定を行うことにより、上記移動先の無線基地局装置１０１への移動動作を適切に行うことができる。
【０６１９】
また、本発明の実施の形態に係る無線端末装置では、カウント部１１は、自己の無線端末装置２０２のハンドオーバ動作の実行回数をカウントする。移動状態推定部１２は、カウント部１１によってカウントされた実行回数に基づいて、自己の無線端末装置２０２の移動状態を推定する。設定部１４は、移動状態推定部１２によって推定された移動状態、および自己の無線端末装置２０２が通信相手として選択している無線基地局装置１０１であるサービング基地局以外の他の無線基地局装置１０１である周辺基地局の種別に基づいて、ＴＴＴの値を設定する。そして、受信電力測定部１６は、無線基地局装置１０１から送信される無線信号の受信電力を測定し、測定結果がＴＴＴで示される時間継続して所定条件を満たす場合に、測定結果を示すメジャメントレポートをサービング基地局へ通知部１７経由で送信する。
【０６２０】
このような構成により、たとえば、移動元または移動先の無線基地局装置１０１の種別によって無線端末装置２０２における通信環境が異なる場合においても、無線端末装置２０２の移動状態および周辺基地局の種別に応じて、ハンドオーバ動作の実行判断に関わる当該無線端末装置２０２の設定を適切に行うことができる。
【０６２１】
そして、３ＧＰＰで規定された無線端末装置２０２において、当該無線端末装置２０２の移動状態および周辺基地局の種別に基づいて、ＴＴＴの調整を適切に行うことにより、ハンドオーバ動作のタイミングを適切に調整することが可能となる。
【０６２２】
これにより、無線端末装置２０２は、ハンドオーバ動作のタイミングを適切に調整することができるので、不適切なハンドオーバ動作の発生を抑制し、通信システムにおける通信の安定化を図ることができる。
【０６２３】
また、本発明の実施の形態に係る無線基地局装置では、基地局種別リスト作成部２２は、移動動作を行なうことにより複数の無線基地局装置１０１と通信可能であり、かつ通信相手として選択している無線基地局装置１０１であるサービング基地局以外の他の無線基地局装置１０１である周辺基地局の種別を周辺基地局リストから判断する無線端末装置２０２について、周辺基地局リストを作成する。そして、基地局種別リスト通知部２３は、基地局種別リスト作成部２２によって作成された周辺基地局リストを、他の無線基地局装置１０１または無線端末装置２０２に通知する。
【０６２４】
このように、周辺基地局の種別を含む周辺基地局リストを、たとえば無線端末装置２０２へ通知することにより、当該無線端末装置２０２においては、当該周辺基地局リストに基づいて、周辺基地局の種別を認識することができる。
【０６２５】
これにより、無線端末装置２０２は、自己の移動状態および周辺基地局の種別に基づいて、たとえば移動動作のタイミングを適切に調整することができるので、不適切な移動動作の発生等が抑制され、通信システムにおける通信の安定化を図ることができる。
【０６２６】
また、たとえば無線基地局装置１０１が、不適切な移動動作を含む複数の移動動作を管理する場合、不適切な移動動作の発生状況を考慮した上で、周辺基地局の種別を含む周辺基地局リストを作成することができる。
【０６２７】
また、本発明の実施の形態に係る無線基地局装置では、基地局種別リスト通知部２３は、周辺基地局リストを各無線基地局装置１０１に通知する。
【０６２８】
このような構成により、通信システムにおける、周辺基地局の種別を含む周辺基地局リストを、無線基地局装置１０１において一括で管理し、当該周辺基地局リストを各無線基地局装置１０１へ効率的に通知することができる。
【０６２９】
また、自己の周辺基地局を把握する当該各無線基地局装置１０１は、自己が形成するセルに在圏する無線端末装置２０２へ、当該周辺基地局リストに含まれる自己の周辺基地局に関する情報のみを送信することができる。
【０６３０】
これにより、当該無線端末装置２０２は、たとえば当該無線基地局装置１０１から当該周辺基地局リストを直接受信する場合と比べて、処理の負担を軽減することができる。
【０６３１】
なお、本発明の実施の形態に係る無線通信システムでは、無線基地局装置１０１が通信制御装置として動作する。すなわち、無線基地局装置１０１が、無線基地局装置１０１の種別を含む周辺基地局リストを作成し、作成した周辺基地局リストを他の無線基地局装置１０１または無線端末装置２０２へ送信する構成であるとしたが、これに限定するものではない。通信制御装置は、１または複数の無線基地局装置１０１を管理するための管理装置であってもよい。具体的には、ＭＭＥ１６２またはコアネットワーク３０１と通信接続するＯＡＭ（Operation, Administration, and Maintenance）サーバ等、無線基地局装置１０１を管理するための管理装置が、無線基地局装置１０１の種別を含む周辺基地局リストを作成し、作成した周辺基地局リストを他の無線基地局装置１０１へ送信する構成であってもよい。
【０６３２】
この場合、管理装置において、基地局検出部は、たとえば休止状態にある周辺基地局が始動することにより、Ｘ２インタフェースを介した当該周辺基地局との通信接続の確立を検出すると、当該周辺基地局のＩＤを基地局種別リスト作成部へ出力する。
【０６３３】
基地局種別リスト作成部は、検出された無線基地局装置１０１のＩＤを基地局検出部から受けると、受けたＩＤに基づいて、たとえば無線基地局装置１０１の種別を含む、周辺セル情報、基地局種別リスト４１またはスモールセルリスト４２を更新する。そして、基地局種別リスト作成部は、たとえば更新した周辺セル情報、基地局種別リスト４１またはスモールセルリスト４２を、基地局種別リスト通知部へ出力する。
【０６３４】
基地局種別リスト通知部は、基地局種別リスト作成部からたとえば周辺セル情報、基地局種別リスト４１またはスモールセルリスト４２を受けると、受けた周辺セル情報、基地局種別リスト４１またはスモールセルリスト４２の一部または全部を他の無線基地局装置１０１へ送信する。
【０６３５】
このような構成により、無線通信システム４０１において、各無線基地局装置１０１がカバーする領域が変わってしまう場合においても、柔軟に対応することができる。
【０６３６】
具体的には、たとえば、無線通信システム４０１において、無線基地局装置１０１が新たに追加された場合、各無線基地局装置１０１が送信する無線信号の送信電力が変更されることにより当該各無線基地局装置１０１が形成するセルの大きさが変更された場合、または当該セル内において建物が新たに建設された場合において、各無線基地局装置１０１がカバーする領域が変わってしまう。
【０６３７】
このため、たとえば、あるマクロ基地局が形成するマクロセル内に位置していた小型基地局が、他のマクロ基地局が形成するマクロセル内に位置するようになったりすることにより、無線基地局装置１０１が形成するセルの隣接セルが変わってしまったりする。
【０６３８】
このような場合、ある管理基地局が管理する被管理基地局が、他の管理基地局により管理されるようになったりするため、管理基地局は、適切な周辺基地局リストを作成できなかったりしてしまうという問題が発生する。
【０６３９】
管理装置が、複数のマクロ基地局を含むような広域の無線基地局装置１０１を管理することにより、各無線基地局装置１０１のカバーエリアが変更された場合においても柔軟に対応することができるので、周辺基地局リストを適切に作成することができる。
【０６４０】
なお、本発明の実施の形態に係る無線端末装置２０２は、無線基地局装置１０１の種別をたとえば報知情報から取得したが、これに限定するものではない。無線端末装置２０２は、無線基地局装置１０１の種別の情報を、自己が保持してもよい。
【０６４１】
また、本発明の実施の形態に係る周辺基地局リストにおいて、無線基地局装置１０１および当該無線基地局装置１０１の種別の対応関係が示されたが、当該種別は、実際の種別に限定するものではない。
【０６４２】
たとえば、管理基地局は、不適切な移動動作の発生状況に基づいて、実際はマクロ基地局である無線基地局装置１０１の種別を、小型基地局として周辺基地局リストに含めてもよい。
【０６４３】
具体的には、たとえば、マクロ基地局である無線基地局装置１０１へのハンドオーバ動作において、いずれの移動状態においても不適切なハンドオーバ動作（Ｔｏｏ  Ｌａｔｅ  ＨＯ）が発生している場合に、当該無線基地局装置１０１の種別を小型基地局として周辺基地局リストに含めることが考えられる。
【０６４４】
無線端末装置２０２は、当該周辺基地局リストに基づいて、実際はマクロ基地局である当該無線基地局装置１０１の種別を小型基地局として認識するので、たとえば各移動状態におけるＴＴＴの値が小さくなるように調整する。
【０６４５】
これにより、管理基地局は、実際はマクロ基地局である無線基地局装置１０１の種別を小型基地局として周辺基地局リストに含めることにより、たとえば無線端末装置２０２におけるＴＴＴの値を、移動状態毎に設定することなく小さくすることができる。
【０６４６】
また、たとえば、管理基地局は、不適切な移動動作の発生状況に基づいて、実際は小型基地局である無線基地局装置１０１の種別を、マクロ基地局として周辺基地局リストに含めてもよい。
【０６４７】
具体的には、たとえば、小型基地局である無線基地局装置１０１へのハンドオーバ動作において、いずれの移動状態においても不適切なハンドオーバ動作（Ｔｏｏ  Ｅａｒｌｙ  ＨＯ）が発生している場合に、当該無線基地局装置１０１の種別をマクロ基地局として周辺基地局リストに含めることが考えられる。
【０６４８】
無線端末装置２０２は、当該周辺基地局リストに基づいて、実際は小型基地局である当該無線基地局装置１０１の種別をマクロ基地局として認識するので、たとえば各移動状態におけるＴＴＴの値が大きくなるように調整する。
【０６４９】
これにより、管理基地局は、実際は小型基地局である無線基地局装置１０１の種別をマクロ基地局として周辺基地局リストに含めることにより、たとえば無線端末装置２０２におけるＴＴＴの値を、移動状態毎に設定することなく大きくすることができる。
【０６５０】
また、本発明の実施の形態に係る無線基地局装置１０１は、マクロ基地局および小型基地局の２つの種別に分類したが、これに限定するものではない。無線基地局装置１０１は、たとえば、マクロ基地局、ピコ基地局およびフェムト基地局の３つの種別に分類してもよいし、更に多くの種別に分類してもよい。
【０６５１】
また、本発明の実施の形態に係る無線端末装置２０２は、移動動作の完了後に移動状態の更新処理を行ったが、これに限定するものではない。たとえば、無線端末装置２０２は、各無線基地局装置１０１の報知情報を保存するので、所定回数移動動作が完了した後に、上記移動動作を移動動作の実行回数にカウントするかどうかを保存した各報知情報に基づいて判断した後、移動状態の更新処理を行ってもよい。
【０６５２】
また、本発明の実施の形態に係る無線端末装置２０２は、移動動作を行う際に、接続確立状態のハンドオーバ回数とアイドル状態のセル再選択回数を独立にカウントする必要はない。たとえば、無線端末装置２０２は、接続確立状態およびアイドル状態を交互に繰り返しながら移動動作を行う際には、ハンドオーバ回数およびセル再選択回数を合わせた値に基づいて自己の移動状態を推定してもよい。
【０６５３】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０６５４】
１１  カウント部
１２  移動状態推定部
１３  報知情報取得部（基地局リスト取得部）
１４  設定部
１５  タイマ
１６  受信電力測定部（受信電力報告部）
１７  通知部（受信電力報告部）
２１  基地局検出部（周辺基地局リスト作成部）
２２  周辺セル情報作成部（周辺基地局リスト作成部）
２３  周辺セル情報通知部（周辺基地局リスト通知部）
８１  アンテナ
８２  サーキュレータ
８３  無線受信部
８４  無線送信部
８５  信号処理部
８６  受信信号処理部
８７  送信信号処理部
８８  制御部
８９  入出力部
９１  アンテナ
９２  サーキュレータ
９３  無線受信部
９４  無線送信部
９５  信号処理部
９６  受信信号処理部
９７  送信信号処理部
９８  制御部
１０１  無線基地局装置（通信制御装置）
１６１  Ｓ-ＧＷ
１６２  ＭＭＥ
１６３  Ｐ−ＧＷ
２０２  無線端末装置
３０１  コアネットワーク
３０２  ＩＰ網
【図１】
2013201585.tif 000003
【図２】
2013201585.tif 000004
【図３】
2013201585.tif 000005
【図４】
2013201585.tif 000006
【図５】
2013201585.tif 000007
【図６】
2013201585.tif 000008
【図７】
2013201585.tif 000009
【図８】
2013201585.tif 000010
【図９】
2013201585.tif 000011
【図１０】
2013201585.tif 000012
【図１１】
2013201585.tif 000013
【図１２】
2013201585.tif 000014
【図１３】
2013201585.tif 000015
【図１４】
2013201585.tif 000016
【図１５】
2013201585.tif 000017
【図１６】
2013201585.tif 000018
【図１７】
2013201585.tif 000019
【図１８】
2013201585.tif 000020
【図１９】
2013201585.tif 000021
【図２０】
2013201585.tif 000022
【図２１】
2013201585.tif 000023
【図２２】
2013201585.tif 000024
【図２３】
2013201585.tif 000025
【図２４】
2013201585.tif 000026
【図２５】
2013201585.tif 000027
【図２６】
2013201585.tif 000028
【図２７】
2013201585.tif 000029
【図２８】
2013201585.tif 000030
【図２９】
2013201585.tif 000031
【図３０】
2013201585.tif 000032
【図３１】
2013201585.tif 000033
【図３２】
2013201585.tif 000034
【図３３】
2013201585.tif 000035
【図３４】
2013201585.tif 000036
【図３５】
2013201585.tif 000037
【図３６】
2013201585.tif 000038
【図３７】
2013201585.tif 000039
【図３８】
2013201585.tif 000040
【図３９】
2013201585.tif 000041
【図４０】
2013201585.tif 000042
【図４１】
2013201585.tif 000043
【図４２】
2013201585.tif 000044
【図４３】
2013201585.tif 000045
【図４４】
2013201585.tif 000046